(57)【要約】  撮像装置は、撮像素子と光学系とを有し、撮像素子は、光強度を電気信号に変換する画素を複数有し、複数の画素は２次元に配列され、光学系は、物体側から順に、複数のレンズからなる第１レンズ群と、絞りと、複数のレンズからなる第２レンズ群と、からなり、第１レンズ群は、最も物体側に配置された第１物体側レンズを有し、第２レンズ群は、最も像側に配置された第２像側レンズを有し、以下の条件式（１）、（２）、（３）、（４）、（５）を満足することを特徴とする。  ３２５０＜２Ｙ／ｐ      （１）  −１．０＜β      （２）  ＣＲＡobj＜１０ｄｅｇ      （３）  ２．０＜ＬL／√（Ｙ×Ｙobj）＜１５．０      （４）  ０．５＜ＬTL／Ｄoi＜０．９５      （５）
2015072245.tif 000002
【特許請求の範囲】
【請求項１】
撮像素子と、光学系と、を有する撮像装置であって、
前記撮像素子は、光強度を電気信号に変換する画素を複数有し、前記複数の画素は２次元に配列され、
前記光学系によって、前記撮像素子上に光学像が形成され、
前記光学系は、物体側から順に、
複数のレンズからなる第１レンズ群と、
絞りと、
複数のレンズからなる第２レンズ群と、からなり、
前記第１レンズ群は、最も物体側に配置された第１物体側レンズを有し、
前記第２レンズ群は、最も像側に配置された第２像側レンズを有し、
以下の条件式（１）、（２）、（３）、（４）、（５）を満足することを特徴とする撮像装置。
３２５０＜２Ｙ／ｐ      （１）
−１．０＜β      （２）
ＣＲＡobj＜１０ｄｅｇ      （３）
２．０＜ＬL／√（Ｙ×Ｙobj）＜１５．０      （４）
０．５＜ＬTL／Ｄoi＜０．９５      （５）
ここで、
Ｙは、前記光学系全系における最大像高、
ｐは、前記撮像素子における画素ピッチ、
βは、前記光学系の結像倍率、
ＣＲＡobjは、前記第１物体側レンズに入射する主光線と光軸とのなす角度のうち、最大となる角度、
ＬLは、前記第１物体側レンズの物体側面から前記第２像側レンズの像側面までの光軸上の距離、
Ｙobjは、最大物体高、
ＬTLは、前記第１物体側レンズの物体側面から像までの光軸上の距離、
Ｄoiは、物体から像までの光軸上の距離、
である。
角度の正負は、光軸から時計回りの方向に測った場合の角度を負、反時計回りの方向に測ったときの角度を正とする。
【請求項２】
前記第１レンズ群は、最も像側に配置された第１像側レンズを有し、
前記第２レンズ群は、最も物体側に配置された第２物体側レンズを有し、
以下の条件式（６）を満足することを特徴とする請求項１に記載の撮像装置。
ＤG1G2／φs＜２．０      （６）
ここで、
ＤG1G2は、前記第１像側レンズの像側面から前記第２物体側レンズの物体側面までの光軸上の距離、
φsは、前記絞りの直径、
である。
【請求項３】
以下の条件式（７）を満足することを特徴とする請求項１に記載の撮像装置。
０．０３＜Ｄmax／ＬL＜０．５      （７）
ここで、
Ｄmaxは、前記光学系における隣り合うレンズの光軸上の間隔のうち、最大となる間隔、
ＬLは、前記第１物体側レンズの物体側面から前記第２像側レンズの像側面までの光軸上の距離、
である。
【請求項４】
以下の条件式（８）を満足することを特徴とする請求項１に記載の撮像装置。
０．１＜ＤG2max／Ｙ＜１．５      （８）
ここで、
ＤG2maxは、前記第２レンズ群における隣り合うレンズの光軸上の間隔のうち、最大となる間隔、
Ｙは、前記光学系全系における最大像高、
である。
【請求項５】
以下の条件式（９）を満足することを特徴とする請求項１に記載の撮像装置。
−１．５＜ｆ／ｆG2＜１０．０      （９）
ここで、
ｆは、前記光学系全系の焦点距離、
ｆG2は、前記第２レンズ群の焦点距離、
である。
【請求項６】
前記第１レンズ群は、最も物体側に配置された物体側レンズ群を含み、
前記物体側レンズ群は全体として正の屈折力を有すると共に、以下の条件式（１０）を満足するレンズにより構成され、
以下の条件式（１１）を満足することを特徴とする請求項１に記載の撮像装置。
０．６＜φG1o×｜β｜／Ｙ      （１０）
０．０＜βG1o      （１１）
ここで、
φG1oは、前記物体側レンズ群を構成する全てのレンズにおける有効径、
βは、前記光学系の結像倍率、
Ｙは、前記光学系全系における最大像高、
βG1oは、前記物体側レンズ群の結像倍率、
である。
【請求項７】
以下の条件式（１４）を満足することを特徴とする請求項１に記載の撮像装置。
−０．５０＜（ＷＤ×ｔａｎ（ｓｉｎ-1ＮＡ）−φs／２）／ＬG1s＜０．１０      （１４）
ここで、
ＷＤは、物体から前記第１物体側レンズの物体側面までの光軸上の距離、
ＮＡは、前記光学系の物体側の開口数、
φsは、前記絞りの直径、
ＬG1sは、前記第１物体側レンズの物体側面から前記絞りまでの光軸上の距離、
である。
【請求項８】
以下の条件式（１５）を満足することを特徴とする請求項１に記載の撮像装置。
０．６０＜φs／（２×ＷＤ×ｔａｎ（ｓｉｎ-1ＮＡ））＜１２．０      （１５）
ここで、
φsは、前記絞りの直径、
ＷＤは、物体から前記第１物体側レンズの物体側面までの光軸上の距離、
ＮＡは、前記光学系の物体側の開口数、
である。
【請求項９】
以下の条件式（１６）を満足することを特徴とする請求項１に記載の撮像装置。
０．０３＜（Ｙobj−ＷＤ×ｔａｎＣＲＡobj）／ＬG1s＜１．０      （１６）
ここで、
Ｙobjは、最大物体高、
ＷＤは、物体から前記第１物体側レンズの物体側面までの光軸上の距離、
ＣＲＡobjは、前記第１物体側レンズに入射する主光線と光軸とのなす角度のうち、最大となる角度、
ＬG1sは、前記第１物体側レンズの物体側面から前記絞りまでの光軸上の距離、
である。
角度の正負は、光軸から時計回りの方向に測った場合の角度を負、反時計回りの方向に測ったときの角度を正とする。
【請求項１０】
前記第１レンズ群は、最も物体側に配置された物体側レンズ群を含み、
前記物体側レンズ群は全体として正の屈折力を有し、
前記物体側レンズ群は、少なくとも２枚の正レンズを有することを特徴とする請求項９に記載の撮像装置。
【請求項１１】
前記第１レンズ群は、最も像側に配置された像側レンズ群を含み、
前記像側レンズ群は、１枚以上の正レンズと、１枚以上の負レンズと、を有することを特徴とする請求項９に記載の撮像装置。
【請求項１２】
前記第１レンズ群は、最も像側に配置された像側レンズ群を含み、
以下の条件式（１７）を満足することを特徴とする請求項９に記載の撮像装置。
−１．５＜ｆG1pn／ｆG1＜０．５      （１７）
ここで、
ｆG1pnは、前記像側レンズ群の焦点距離、
ｆG1は、前記第１レンズ群の焦点距離、
である。
【請求項１３】
以下の条件式（１８）を満足することを特徴とする請求項１に記載の撮像装置。
０．４０＜Ｄos／Ｄoi＜０．９０      （１８）
ここで、
Ｄosは、物体から前記絞りまでの光軸上の距離、
Ｄoiは、物体から像までの光軸上の距離、
である。
【請求項１４】
以下の条件式（１９）を満足することを特徴とする請求項１に記載の撮像装置。
０．００５＜ＢＦ／ＬL＜０．４      （１９）
ここで、
ＢＦは、前記第２像側レンズの像側面から像までの光軸上の距離、
ＬLは、前記第１物体側レンズの物体側面から前記第２像側レンズの像側面までの光軸上の距離、
である。
【請求項１５】
以下の条件式（２０）を満足することを特徴とする請求項１に記載の撮像装置。
０．５＜Ｄos／ＬG1＜４．０      （２０）
ここで、
Ｄosは、物体から前記絞りまでの光軸上の距離、
ＬG1は、前記第１物体側レンズの物体側面から前記第１像側レンズの像側面までの光軸上の距離、
である。
【請求項１６】
撮像素子と、光学系と、を有する撮像装置であって、
前記撮像素子は、光強度を電気信号に変換する画素を複数有し、前記複数の画素は２次元に配列され、
前記光学系によって、前記撮像素子上に光学像が形成され、
前記光学系は、物体側から順に、
複数のレンズからなる第１レンズ群と、
絞りと、
複数のレンズからなる第２レンズ群と、を有し、
前記第１レンズ群は、最も物体側に配置された第１物体側レンズを有し、
前記第２レンズ群は、最も像側に配置された第２像側レンズを有し、
前記第１レンズ群は、最も物体側に配置され全体として正の屈折力を有する物体側レンズ群を含み、
前記物体側レンズ群は、以下の条件式（１０）を満足するレンズにより構成され、
以下の条件式（１）、（２）、（４）、（１１）を満足することを特徴とする撮像装置。
３２５０＜２Ｙ／ｐ      （１）
−１．０＜β      （２）
２．０＜ＬL／√（Ｙ×Ｙobj）＜１５．０      （４）
０．６＜φG1o×｜β｜／Ｙ      （１０）
０．０＜βG1o      （１１）
ここで、
Ｙは、前記光学系全系における最大像高、
ｐは、前記撮像素子における画素ピッチ、
βは、前記光学系の結像倍率、
ＬLは、前記第１物体側レンズの物体側面から前記第２像側レンズの像側面までの光軸上の距離、
Ｙobjは、最大物体高、
φG1oは、前記物体側レンズ群を構成する全てのレンズにおける有効径、
βG1oは、前記物体側レンズ群の結像倍率、
である。
【請求項１７】
以下の条件式（２１）を満足することを特徴とする請求項１又は１６に記載の撮像装置。
０．０１５＜１／νｄmin−１／νｄmax      （２１）
ここで、
νｄminは、前記光学系を構成するレンズのアッベ数のうち、最小となるアッベ数、
νｄmaxは、前記光学系を構成するレンズのアッベ数のうち、最大となるアッベ数、
である。
【請求項１８】
以下の条件式（２２）を満足することを特徴とする請求項１又は１６に記載の撮像装置。
３．０＜ＣＲＡimg／ＣＲＡobj＜５０．０      （２２）
ここで、
ＣＲＡimgは、像面に入射する主光線と光軸とのなす角度うち、最大となる角度、
ＣＲＡobjは、前記第１物体側レンズに入射する主光線と光軸とのなす角度のうち、最大となる角度、
である。
角度の正負は、光軸から時計回りの方向に測った場合の角度を負、反時計回りの方向に測ったときの角度を正とする。
【請求項１９】
前記第１レンズ群は、最も像側に配置された第１像側レンズを有し、
前記第２レンズ群は、最も物体側に配置された第２物体側レンズを有し、
以下の条件式（２３）を満足することを特徴とする請求項１又は１６に記載の撮像装置。
０．６５＜ＬG1／ＬG2＜５．００      （２３）
ここで、
ＬG1は、前記第１物体側レンズの物体側面から前記第１像側レンズの像側面までの光軸上の距離、
ＬG2は、前記第２物体側レンズの物体側面から前記第２像側レンズの像側面までの光軸上の距離、
である。
【請求項２０】
前記光学系の光路中に光路分割素子が配置され、
前記光路分割素子によって、第１の光路と第２の光路とが形成され、
前記第１の光路に、前記光学系の一部が配置され、
前記分割された第２の光路側に、物体を照射する照明光学系を接続する接続部を有することを特徴とする請求項１又は１６に記載の撮像装置。
【請求項２１】
前記光学系の光路中に光路分割素子が配置され、
前記光路分割素子が前記第２レンズ群内に配置されることを特徴とする請求項１又は１６に記載の撮像装置。
【請求項２２】
以下の条件式（２４）を満足することを特徴とする請求項２１に記載の撮像装置。
０．１＜ＤsBS／ＤBSi＜０．９５      （２４）
ここで、
ＤsBSは、前記絞りから前記光路分割素子までの光軸上の距離、
ＤBSiは、前記光路分割素子から前記撮像素子の撮像面までの光軸上の距離、
である。
【請求項２３】
前記絞りと前記光路分割素子との間に、少なくとも１枚の正レンズが配置されることを特徴とする請求項２１に記載の撮像装置。
【請求項２４】
以下の条件式（３）を満足することを特徴とする請求項１６に記載の撮像装置。
ＣＲＡobj＜１０ｄｅｇ      （３）
ここで、
ＣＲＡobjは、前記第１物体側レンズに入射する主光線と光軸とのなす角度のうち、最大となる角度、
である。
角度の正負は、光軸から時計回りの方向に測った場合の角度を負、反時計回りの方向に測ったときの角度を正とする。
【請求項２５】
請求項１から２４のいずれか一項に記載の撮像装置と、
物体を保持するステージと、
物体を照明する照明装置と、を有することを特徴とする撮像システム。
【発明の詳細な説明】
【技術分野】
【０００１】
本発明は、撮像装置及び撮像システムに関するものである。
【背景技術】
【０００２】
従来、ある程度の広さ（面積）を持つ標本を観察する場合、最初に、標本全体を観察して詳細に観察したい部位を特定し、その後、詳細に観察したい部位を拡大して観察する手法がとられている。標本全体を撮影することができると、撮影した画像の一部をデジタル的に拡大し、拡大した画像を表示することができる。なお、画像のデジタル的な拡大はデジタルズームと呼ばれる。【０００３】
面積の大きい測定対象物を撮影できる光学系として、特許文献１に記載の測光用レンズがある。
【先行技術文献】
【特許文献】
【０００４】
【特許文献１】特開２００３−１９５１６６号公報
【発明の概要】
【発明が解決しようとする課題】
【０００５】
特許文献１に記載の測光用レンズでは、軸外収差、特に非点収差の補正が十分ではない。そのため、この測光用レンズで標本を撮影した場合、標本の画像の一部を拡大すると、詳細観察に必要な分解能を得ることが困難である。【０００６】
また、特許文献１に記載の測光用レンズは、光学系の全長が長いため、撮像システムが大型化してしまう。広い撮影範囲を維持したまま光学系の全長を短縮しようとすると、更なる軸外収差の悪化を招いてしまう。【０００７】
本発明は、上記に鑑みてなされたものであって、広い観察範囲を確保しつつ、収差が良好に補正され、高い分解能を有しながらも、全長が短い光学系を備える撮像装置及び撮像システムを提供することを目的とする。
【課題を解決するための手段】
【０００８】
上述した課題を解決し、目的を達成するために、本発明の撮像装置は、
撮像素子と、光学系と、を有する撮像装置であって、
撮像素子は、光強度を電気信号に変換する画素を複数有し、複数の画素は２次元に配列され、
光学系によって、撮像素子上に光学像が形成され、
光学系は、物体側から順に、
複数のレンズからなる第１レンズ群と、
絞りと、
複数のレンズからなる第２レンズ群と、からなり、
第１レンズ群は、最も物体側に配置された第１物体側レンズを有し、
第２レンズ群は、最も像側に配置された第２像側レンズを有し、
以下の条件式（１）、（２）、（３）、（４）、（５）を満足することを特徴とする。
３２５０＜２Ｙ／ｐ      （１）
−１．０＜β      （２）
ＣＲＡobj＜１０ｄｅｇ      （３）
２．０＜ＬL／√（Ｙ×Ｙobj）＜１５．０      （４）
０．５＜ＬTL／Ｄoi＜０．９５      （５）
ここで、
Ｙは、光学系全系における最大像高、
ｐは、撮像素子における画素ピッチ、
βは、光学系の結像倍率、
ＣＲＡobjは、第１物体側レンズに入射する主光線と光軸とのなす角度のうち、最大となる角度、
ＬLは、第１物体側レンズの物体側面から第２像側レンズの像側面までの光軸上の距離、
Ｙobjは、最大物体高、
ＬTLは、第１物体側レンズの物体側面から像までの光軸上の距離、
Ｄoiは、物体から像までの光軸上の距離、
である。
角度の正負は、光軸から時計回りの方向に測った場合の角度を負、反時計回りの方向に測ったときの角度を正とする。【０００９】
また、本発明の別の撮像装置は、
撮像素子と、光学系と、を有する撮像装置であって、
撮像素子は、光強度を電気信号に変換する画素を複数有し、複数の画素は２次元に配列され、
光学系によって、撮像素子上に光学像が形成され、
光学系は、物体側から順に、
複数のレンズからなる第１レンズ群と、
絞りと、
複数のレンズからなる第２レンズ群と、を有し、
第１レンズ群は、最も物体側に配置された第１物体側レンズを有し、
第２レンズ群は、最も像側に配置された第２像側レンズを有し、
第１レンズ群は、最も物体側に配置され全体として正の屈折力を有する物体側レンズ群を含み、
物体側レンズ群は、以下の条件式（１０）を満足するレンズにより構成され、
以下の条件式（１）、（２）、（４）、（１１）を満足することを特徴とする。
３２５０＜２Ｙ／ｐ      （１）
−１．０＜β      （２）
２．０＜ＬL／√（Ｙ×Ｙobj）＜１５．０      （４）
０．６＜φG1o×｜β｜／Ｙ      （１０）
０．０＜βG1o      （１１）
ここで、
Ｙは、光学系全系における最大像高、
ｐは、撮像素子における画素ピッチ、
βは、光学系の結像倍率、
ＬLは、第１物体側レンズの物体側面から第２像側レンズの像側面までの光軸上の距離、
Ｙobjは、最大物体高、
φG1oは、物体側レンズ群を構成する全てのレンズにおける有効径、
βG1oは、物体側レンズ群の結像倍率、
である。【００１０】
また、本発明の撮像システムは、
上記の撮像装置と、
物体を保持するステージと、
物体を照明する照明装置と、を有することを特徴とする。
【発明の効果】
【００１１】
本発明によれば、広い撮影範囲を確保しつつ、収差が良好に補正され、高い分解能を有しながらも、全長が短い光学系を備える撮像装置及び撮像システムを提供することができる。
【図面の簡単な説明】
【００１２】
【図１】実施例１にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２】実施例２にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図３】実施例３にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図４】実施例４にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図５】実施例５にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図６】実施例６にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図７】実施例７にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図８】実施例８にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図９】実施例９にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１０】実施例１０にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１１】実施例１１にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１２】実施例１２にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１３】実施例１３にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１４】実施例１４にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１５】実施例１５にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１６】実施例１６にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１７】実施例１７にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１８】実施例１８にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図１９】実施例１９にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２０】実施例２０にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２１】実施例２１にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２２】実施例２２にかかる光学系の光学構成を示す光軸に沿う断面図、光学系の球面収差（ＳＡ）、非点収差（ＡＳ）、歪曲収差（ＤＴ）、倍率色収差（ＣＣ）を示す図である。
【図２３】撮像装置及び撮像システムの構成を示す図である。
【図２４】他の撮像装置及び撮像システムの構成を示す図である。
【図２５】他の撮像装置及び撮像システムの構成を示す図である。
【図２６】他の撮像装置及び撮像システムの構成を示す図である。
【図２７】他の撮像装置及び撮像システムの構成を示す図である。
【発明を実施するための形態】
【００１３】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１４】
また、以下の説明では、「標本」を、適宜「物体」とし、「標本像」を、適宜「像」とする。
【００１５】
なお、以下の説明において、周辺光線は、光軸上の物点から出て光学系の入射瞳の周辺部を通る光線であるが、光軸上の物点から出た場合を軸上周辺光線とし、光軸外の物点から出た場合を軸外周辺光線とする。また、本実施形態の光学系は、物体が光学系から有限の距離にあることを前提とする光学系（有限遠補正光学系）である。
【００１６】
また、本実施形態の光学系を用いた撮像装置では、撮影で得た画像をデジタルズームして拡大表示することができる。そのため、これらの実施形態の光学系は、諸収差が良好に補正されているので高い分解能を有すると共に、広い観察範囲の像を形成することができる。これらの実施形態の光学系では、特に、軸上と軸外の色収差が良好に補正されているので、画素ピッチの小さい撮像素子と組み合わせることで、撮影した画像をデジタルズームして拡大した場合であっても、高い解像度の拡大画像が得られる。
【００１７】
第１実施形態の撮像装置は、撮像素子と、光学系と、を有する撮像装置であって、撮像素子は、光強度を電気信号に変換する画素を複数有し、複数の画素は２次元に配列され、光学系によって、撮像素子上に光学像が形成され、光学系は、物体側から順に、複数のレンズからなる第１レンズ群と、絞りと、複数のレンズからなる第２レンズ群と、からなり、第１レンズ群は、最も物体側に配置された第１物体側レンズを有し、第２レンズ群は、最も像側に配置された第２像側レンズを有し、以下の条件式（１）、（２）、（３）、（４）、（５）を満足することを特徴とする。
３２５０＜２Ｙ／ｐ      （１）
−１．０＜β      （２）
ＣＲＡobj＜１０ｄｅｇ      （３）
２．０＜ＬL／√（Ｙ×Ｙobj）＜１５．０      （４）
０．５＜ＬTL／Ｄoi＜０．９５      （５）
ここで、
Ｙは、光学系全系における最大像高、
ｐは、撮像素子における画素ピッチ、
βは、光学系の結像倍率、
ＣＲＡobjは、第１物体側レンズに入射する主光線と光軸とのなす角度のうち、最大となる角度、
ＬLは、第１物体側レンズの物体側面から第２像側レンズの像側面までの光軸上の距離、
Ｙobjは、最大物体高、
ＬTLは、第１物体側レンズの物体側面から像までの光軸上の距離、
Ｄoiは、物体から像までの光軸上の距離、
である。
角度の正負は、光軸から時計回りの方向に測った場合の角度を負、反時計回りの方向に測ったときの角度を正とする。
【００１８】
本実施形態の撮像装置は、撮像素子と、光学系と、を有する。ここで、撮像素子は、光強度を電気信号に変換する画素を複数有し、複数の画素は２次元に配列されている。一方、光学系は、複数のレンズ群と、絞りと、からなる。この光学系によって、物体の光学像が形成される。そして、撮像素子は、光学像の位置と撮像素子の撮像面の位置とが一致するように配置されている。これにより、撮像素子上に光学像が形成される。
【００１９】
光学系は、物体側より順に、複数のレンズからなる第１レンズ群と、絞りと、複数のレンズからなる第２レンズ群と、を備えている。ここで、光学系を構成するレンズ群は、第１レンズ群と第２レンズ群とからなることが好ましい。なお、絞りは、開口絞りであることが好ましい。
【００２０】
また、第１レンズ群は、最も物体側に配置された第１物体側レンズを有することが好ましい。また、第１レンズ群は、最も像側に配置された第１像側レンズを有することが好ましい。また、第２レンズ群は、最も物体側に配置された第２物体側レンズを有ことが好ましい。また、第２レンズ群は、最も像側に配置された第２像側レンズを有することが好ましい。
【００２１】
撮像装置が条件式（１）を満足する撮像素子と条件式（２）を満足する光学系とを備えることにより、広い観察範囲の確保、高い分解能の確保及び撮像装置の小型化が可能になる。広い観察範囲あるいは広い撮影範囲が確保できることで、標本を全体観察することができる。また、高い分解能が確保できることで、撮影で得た画像を拡大した場合であっても、標本の細部を詳細に観察することができる。
【００２２】
条件式（３）を満足することで、物体側でのテレセントリック性を適切に確保することができる。すなわち、物体から第１レンズ群に入射する軸外主光線を、より光軸と平行にすることができる。これにより、本実施形態の撮像装置に用いられる光学系を、より物体側でテレセントリックな光学系にすることができる。
【００２３】
物体側でテレセントリックな光学系では、倍率の変動が少ない。すなわち、光学系から物体までの距離が多少変化しても、光学系によって形成された光学像の大きさの変動を抑えることができる。このようなことから、例えば、本実施形態の撮像装置に用いられる光学系を寸法計測に用いた場合、光学系に対する物体位置が光軸方向で多少変化し、これにより光学系から物体までの距離が多少変化しても、光学像の大きさの変動は少ない。よって、本実施形態の撮像装置では、光学系から物体までの距離が多少変化しても、物体の大きさを正確に計測することができる。なお、物体の大きさは、光軸と垂直な面内における大きさのことである。
【００２４】
条件式（４）を満足することで、良好な光学性能を確保しつつ、光学系の全長を短縮することができる。
【００２５】
条件式（４）の下限値を下回らないようにすることで、光学系全系の屈折作用が大きくなり過ぎることを抑制できるため、光学性能を良好に保つことができる。条件式（４）の上限値を上回らないようにすることで、光学系の全長の更なる短縮ができる。
【００２６】
また、条件式（５）を満足することで、特に軸外収差の発生を抑えることができる。
【００２７】
条件式（５）の下限値を下回らないようにすることで、第１レンズ群へ入射する軸外光線の光線高が高くなり過ぎることを抑制できる。その結果、第１レンズ群内において、軸外収差、特に歪曲収差や非点収差の補正が容易になる。
【００２８】
条件式（５）の上限値を上回らないようにすることで、ピントを合わすことができる距離を広げることができる。例えば、物体が段差（凹形状や凸形状）を持つ場合、より大きな段差に対して、段差の上側面に光学系が接触することなく下側面にピントが合っている状態にすることができる。
【００２９】
ここで、条件式（３）に代えて、以下の条件式（３’）を満足することが好ましい。
０．１０ｄｅｇ＜ＣＲＡobj＜８．００ｄｅｇ      （３’）
また、条件式（３）に代えて、以下の条件式（３’’）を満足することがより好ましい。
０．３０ｄｅｇ＜ＣＲＡobj＜７．００ｄｅｇ      （３’’）
また、条件式（３）に代えて、以下の条件式（３’’’）を満足することがより好ましい。
０．５０ｄｅｇ＜ＣＲＡobj＜６．００ｄｅｇ      （３’’’）
【００３０】
ここで、条件式（４）に代えて、以下の条件式（４’）を満足することが好ましい。
３．００＜ＬL／√（Ｙ×Ｙobj）＜１４．００      （４’）
また、条件式（４）に代えて、以下の条件式（４’’）を満足することがより好ましい。
４．００＜ＬL／√（Ｙ×Ｙobj）＜１３．００      （４’’）
また、条件式（４）に代えて、以下の条件式（４’’’）を満足することがより好ましい。
５．００＜ＬL／√（Ｙ×Ｙobj）＜１２．００      （４’’’）
【００３１】
ここで、条件式（５）に代えて、以下の条件式（５’）を満足することが好ましい。
０．５５＜ＬTL／Ｄoi＜０．９３      （５’）
また、条件式（５）に代えて、以下の条件式（５’’）を満足することがより好ましい。
０．６０＜ＬTL／Ｄoi＜０．９０      （５’’）
また、条件式（５）に代えて、以下の条件式（５’’’）を満足することがより好ましい。
０．６５＜ＬTL／Ｄoi＜０．８８      （５’’’）
【００３２】
なお、条件式（４）を満足し、更に条件式（５）を満足することで、軸外収差の発生の更なる抑制ができる。
【００３３】
また、本実施形態の撮像装置では、第１レンズ群は、最も像側に配置された第１像側レンズを有し、第２レンズ群は、最も物体側に配置された第２物体側レンズを有し、以下の条件式（６）を満足することが好ましい。
ＤG1G2／φs＜２．０      （６）
ここで、
ＤG1G2は、第１像側レンズの像側面から第２物体側レンズの物体側面までの光軸上の距離、
φsは、絞りの直径、
である。
【００３４】
条件式（６）を満足することで、光学系の全長を短縮しつつ、第１レンズ群における屈折作用と第２レンズ群における屈折作用とのバランスを適切に保つことができる。その結果、倍率色収差や軸上色収差を良好に補正することができる。
【００３５】
条件式（６）の上限値を上回らないようにすることで、軸外光束の第１レンズ群から第２レンズ群への入射角が小さくなり過ぎないようにするとともに、第１レンズ群における屈折作用が大きくなり過ぎることを抑制できる。そのため、特に、倍率色収差や軸上色収差を良好に補正しながら、光学系を細径化することができる。
【００３６】
なお、条件式（４）、（５）を満足し、更に条件式（６）を満足することで、倍率色収差や軸上色収差のより良好な補正と、光学系の更なる細径化ができる。
【００３７】
ここで、条件式（６）に代えて、以下の条件式（６’）を満足することが好ましい。
０．００３＜ＤG1G2／φs＜１．５００      （６’）
また、条件式（６）に代えて、以下の条件式（６’’）を満足することがより好ましい。
０．００５＜ＤG1G2／φs＜１．０００      （６’’）
また、条件式（６）に代えて、以下の条件式（６’’’）を満足することがより好ましい。
０．００７＜ＤG1G2／φs＜０．８００      （６’’’）
【００３８】
また、本実施形態の撮像装置は、以下の条件式（７）を満足することが好ましい。
０．０３＜Ｄmax／ＬL＜０．５      （７）
ここで、
Ｄmaxは、光学系における隣り合うレンズの光軸上の間隔のうち、最大となる間隔、
ＬLは、第１物体側レンズの物体側面から第２像側レンズの像側面までの光軸上の距離、
である。
【００３９】
条件式（７）の下限値を下回らないようにすることで、製造誤差による収差の悪化を低減することができる。製造誤差としては、例えば、レンズ組立て時におけるレンズの偏心がある。
【００４０】
条件式（７）の上限値を上回らないようにすることで、物体側の開口数が大きい場合であっても、軸上周辺光線の高さに対する軸外周辺光線の高さがレンズ間で大きく変化することを抑制できる。例えば、隣り合うレンズを、それぞれ、レンズＬＡとレンズＬＢとする。軸外周辺光線の高さは、レンズＬＡにおける高さとレンズＬＢにおける高さとで異なるが、レンズＬＡとレンズＬＢとの間隔を適切にすることで、その差を少なくできる。その結果、レンズＬＡに入射する軸外光束における色収差と、レンズＬＢから出射する軸外光束における色収差の差を小さくできるので、色コマ収差の発生を抑制できる。
【００４１】
ここで、条件式（７）に代えて、以下の条件式（７’）を満足することが好ましい。
０．０３５＜Ｄmax／ＬL＜０．４５０      （７’）
また、条件式（７）に代えて、以下の条件式（７’’）を満足することがより好ましい。
０．０４０＜Ｄmax／ＬL＜０．４００      （７’’）
また、条件式（７）に代えて、以下の条件式（７’’’）を満足することがより好ましい。
０．０５０＜Ｄmax／ＬL＜０．３５０      （７’’’）
【００４２】
なお、両側が平面になっている光学素子、例えば、平行平板や、プリズムや、ビームスプリッタはレンズには含まれない。このような光学素子が２つのレンズの間に配置されている場合、Ｄmaxは以下の（Ｉ）、（ＩＩ）、（ＩＩＩ）の合計になる。（Ｉ）一方のレンズと光学素子との光軸上の間隔、（ＩＩ）光学素子の２つの平面の間隔、（ＩＩＩ）光学素子と他方のレンズとの光軸上の間隔。
【００４３】
また、本実施形態の撮像装置は、以下の条件式（８）を満足することが好ましい。
０．１＜ＤG2max／Ｙ＜１．５      （８）
ここで、
ＤG2maxは、第２レンズ群における隣り合うレンズの光軸上の間隔のうち、最大となる間隔、
Ｙは、光学系全系における最大像高、
である。
【００４４】
条件式（８）の下限値を下回らないようにすることで、製造誤差による収差の悪化を低減することができる。製造誤差としては、例えば、レンズ組立て時におけるレンズの偏心がある。
【００４５】
条件式（８）の上限値を上回らないようにすることで、物体側の開口数が大きい場合であっても、軸上周辺光線の高さに対する軸外周辺光線の高さがレンズ間で大きく変化することを抑制できる。例えば、隣り合うレンズを、それぞれ、レンズＬＡとレンズＬＢとする。軸外周辺光線の高さは、レンズＬＡにおける高さとレンズＬＢにおける高さとで異なるが、レンズＬＡとレンズＬＢとの間隔を適切にすることで、その差を少なくできる。その結果、レンズＬＡに入射する軸外光束における色収差と、レンズＬＢから出射する軸外光束における色収差の差を小さくできるので、色コマ収差の発生を抑制できる。
【００４６】
ここで、条件式（８）に代えて、以下の条件式（８’）を満足することが好ましい。
０．２０＜ＤG2max／Ｙ＜１．３０      （８’）
また、条件式（８）に代えて、以下の条件式（８’’）を満足することがより好ましい。
０．３０＜ＤG2max／Ｙ＜１．１０      （８’’）
また、条件式（８）に代えて、以下の条件式（８’’’）を満足することがより好ましい。
０．３５＜ＤG2max／Ｙ＜１．００      （８’’’）
【００４７】
なお、両側が平面になっている光学素子、例えば、平行平板や、プリズムや、ビームスプリッタはレンズには含まれない。このような光学素子が２つのレンズの間に配置されている場合、ＤG2maxは以下の（Ｉ）、（ＩＩ）、（ＩＩＩ）の合計になる。（Ｉ）一方のレンズと光学素子との光軸上の間隔、（ＩＩ）光学素子の２つの平面の間隔、（ＩＩＩ）光学素子と他方のレンズとの光軸上の間隔。
【００４８】
また、本実施形態の撮像装置は、以下の条件式（９）を満足することが好ましい。
−１．５＜ｆ／ｆG2＜１０．０      （９）
ここで、
ｆは、光学系全系の焦点距離、
ｆG2は、第２レンズ群の焦点距離、
である。
【００４９】
条件式（９）を満足することで、第２レンズ群の屈折作用を適切に保つことができる。そのため、光学系の全長の短縮と特に軸上収差のより良好な補正とを両立することができる。
【００５０】
ここで、条件式（９）に代えて、以下の条件式（９’）を満足することが好ましい。
−１．３０＜ｆ／ｆG2＜８．００      （９’）
また、条件式（９）に代えて、以下の条件式（９’’）を満足することがより好ましい。
−１．１０＜ｆ／ｆG2＜６．００      （９’’）
また、条件式（９）に代えて、以下の条件式（９’’’）を満足することがより好ましい。
−０．９０＜ｆ／ｆG2＜５．００      （９’’’）
また、条件式（９）に代えて、以下の条件式（９−１）または（９−２）を満足することがより好ましい。
−１．５＜ｆ／ｆG2≦−０．４０      （９−１）
０．０８≦ｆ／ｆG2＜１０．０      （９−２）
【００５１】
また、本実施形態の撮像装置では、絞りの物体側もしくは像側に、少なくとも１つの接合レンズを有することが好ましい。
【００５２】
絞り（開口絞り）の物体側もしくは像側では、軸上周辺光線の高さが高くなっている。そこで、ここに接合レンズを配置することで、軸上周辺光線の高い場所に接合レンズが配置されることになる。その結果、軸上色収差を良好に補正することができる。
【００５３】
また、本実施形態の撮像装置では、第２レンズ群は、最も像側に所定のレンズ群を有し、所定のレンズ群は全体で負の屈折力を有すると共に、負の屈折力を有する単レンズか２枚のレンズからなり、２枚のレンズは、物体側から順に、負の屈折力を有するレンズと、正または負の屈折力を有するレンズと、からなることが好ましい。
【００５４】
このようにすることにより、光学系の全長を短縮しつつ、第２レンズ群における主光線の高さの急激な変化を抑えることができる。そのため、特に、倍率色収差を良好に補正することができる。
【００５５】
また、本実施形態の撮像装置では、第１レンズ群は、最も物体側に配置された物体側レンズ群を含み、物体側レンズ群は全体として正の屈折力を有すると共に、以下の条件式（１０）を満足するレンズにより構成され、以下の条件式（１１）を満足することが好ましい。
０．６＜φG1o×｜β｜／Ｙ      （１０）
０．０＜βG1o      （１１）
ここで、
φG1oは、物体側レンズ群を構成する全てのレンズにおける有効径、
βは、光学系の結像倍率、
Ｙは、光学系全系における最大像高、
βG1oは、物体側レンズ群の結像倍率、
である。
【００５６】
物体側レンズ群は正の屈折力を有し、第１レンズ群内において最も物体側に配置されている。この場合、物体側レンズ群は絞りよりも物体側に位置するので、物体側でのテレセントリック性を適切に確保することができる。
【００５７】
条件式（１０）を満足するレンズを備えることで、第１レンズ群における軸外主光線の入射位置が、レンズ面の光軸から離れた位置になる場合であっても、軸外主光線を第１レンズ群に入射させることができる。そのため、物体側でのテレセントリック性を適切に確保することができる。
【００５８】
なお、φG1oは、各レンズの物体側のレンズ面における有効径であることが好ましい。ただし、各レンズの像側のレンズ面における有効径をφG1oとしても良い。また、ある１つのレンズでは、φG1oを物体側のレンズ面における有効径とし、他のレンズでは、φG1oを物体側のレンズ面における有効径としても良い。
【００５９】
また、φG1oは、例えば、最も外側の光線がレンズ面を通過する位置からレンズの中心までの距離を２倍した距離（以下、適宜、所定の距離とする）である。なお、有効径は、所定の距離以上であって良い。例えば、レンズを保持する保持枠の内径が所定の距離よりも大きい場合、保持枠の内径を有効径とみなせば良い。また、レンズが、曲面と、曲面の外周に形成された平面とで構成される場合、曲面の部分を有効径とみなせば良い。
【００６０】
このように、有効径は、所定の距離で決まる場合と、所定の距離よりも長い距離で決まる場合とがある。有効径が所定の距離よりも長い距離で決まる場合は、保持部材にレンズが保持されている状態でレンズを物体側あるいは像側から見たときに、レンズ面の形状が曲面になっている範囲で、且つ、光が通過する範囲を有効径とすれば良い。
【００６１】
条件式（１１）を満足することで、第１レンズ群の主点を物体側に位置させることができる。これにより、光学系の全長を短縮しつつ、歪曲収差、非点収差及びコマ収差などの軸外収差を良好に補正することができる。
【００６２】
条件式（１１）の下限値を下回らないようにすることで、物体側レンズ群の屈折作用が大きくなり過ぎることを抑制できる。そのため、歪曲収差、非点収差及びコマ収差など軸外収差の発生を抑制することができる。
【００６３】
なお、条件式（４）、（５）を満足し、更に条件式（１０）を満足するレンズを有すると共に条件式（１１）を満足することで、光学系の全長の更なる短縮と、歪曲収差、非点収差及びコマ収差の発生の更なる抑制と、これらの収差のより良好な補正ができる。
【００６４】
ここで、条件式（１１）に代えて、以下の条件式（１１’）を満足することが好ましい。
０．１＜βG1＜１０００      （１１’）
また、条件式（１１）に代えて、以下の条件式（１１’’）を満足することがより好ましい。
０．５＜βG1＜２００      （１１’’）
また、条件式（１１）に代えて、以下の条件式（１１’’’）を満足することがより好ましい。
１．０＜βG1＜５０．０      （１１’’’）
【００６５】
また、本実施形態の撮像装置では、第１レンズ群は、物体側から順に、物体側レンズ群と、像側レンズ群と、からなることが好ましい。
【００６６】
物体側レンズ群よりも像側に像側レンズ群を配置することで、第１レンズ群内においてコマ収差を良好に補正できると共に、球面収差などの軸上収差についても良好に補正できる。
【００６７】
なお、条件式（４）、（５）、（１１）を満足し、条件式（１０）を満足するレンズを有し、更にこのような構成を備えることで、第１レンズ群内におけるコマ収差のより良好な補正と、球面収差のより良好な補正ができる。
【００６８】
また、本実施形態の撮像装置では、物体側レンズ群は、少なくとも２枚の正レンズからなり、物体側レンズ群と絞りとの間には、少なくとも１枚の負レンズが配置されていることが好ましい。
【００６９】
物体側レンズ群の位置では、物体側レンズ群に入射する軸外光線の光線高が高い。そこで、物体側レンズ群の正の屈折力を少なくとも２枚のレンズで分担することにより、歪曲収差、非点収差及びコマ収差を良好に補正することができる。
【００７０】
また、像側レンズ群と絞りとの間に少なくとも１枚の負レンズを配置することで、コマ収差や倍率色収差を良好に補正することができる。
【００７１】
なお、条件式（１１）を満足し、更にこのような構成を備えることで、歪曲収差、非点収差、コマ収差及び倍率色収差のより良好な補正ができる。
【００７２】
また、本実施形態の撮像装置は、以下の条件式（１２）を満足することが好ましい。
０．３＜ｆG1o／ｆ＜１２．０      （１２）
ここで、
ｆG1oは、物体側レンズ群の焦点距離、
ｆは、光学系全系の焦点距離、
である。
【００７３】
条件式（１２）の下限値を下回らないようにすることで、物体側レンズ群の正の屈折力が大きくなり過ぎることを抑制できる。これにより、歪曲収差や非点収差、コマ収差などの軸外収差をより良好に補正することができる。
【００７４】
条件式（１２）の上限値を上回らないようにすることで、物体側レンズ群の正の屈折力が小さくなり過ぎることを抑制できる。これにより、光学系の主点を物体側に位置させることができるため、光学系の全長をより短縮することができる。
【００７５】
ここで、条件式（１２）に代えて、以下の条件式（１２’）を満足することが好ましい。
０．５０＜ｆG1o／ｆ＜１０．００      （１２’）
また、条件式（１２）に代えて、以下の条件式（１２’’）を満足することがより好ましい。
０．７０＜ｆG1o／ｆ＜７．００      （１２’’）
また、条件式（１２）に代えて、以下の条件式（１２’’’）を満足することがより好ましい。
０．８０＜ｆG1o／ｆ＜５．００      （１２’’’）
【００７６】
また、本実施形態の撮像装置では、第１レンズ群は、物体側から順に、物体側レンズ群と、像側レンズ群と、を有し、
像側レンズ群は、以下の条件式（１３）を満足するレンズにより構成されていることが好ましい。
φG1i×｜β｜／Ｙ＜０．９      （１３）
ここで、
φG1iは、像側レンズ群を構成する全てのレンズにおける有効径、
βは、光学系の結像倍率、
Ｙは、光学系全系における最大像高、
である。
【００７７】
また、本実施形態の撮像装置は、以下の条件式（１４）を満足することが好ましい。
−０．５０＜（ＷＤ×ｔａｎ（ｓｉｎ-1ＮＡ）−φs／２）／ＬG1s＜０．１０      （１４）
ここで、
ＷＤは、物体から第１物体側レンズの物体側面までの光軸上の距離、
ＮＡは、光学系の物体側の開口数、
φsは、絞りの直径、
ＬG1sは、第１物体側レンズの物体側面から絞りまでの光軸上の距離、
である。
【００７８】
条件式（１４）において、ＷＤは物体から第１物体側レンズの物体側面までの光軸上の距離であるが、本明細書中では、ワーキングディスタンスと呼ぶこととする。
【００７９】
条件式（１４）を満足することで、光学系の全長を短縮しつつ、光学系から物体までの距離が多少変化しても、倍率の変動、すなわち光学系によって形成された光学像の大きさの変動を抑えることができる。また、軸上収差と軸外収差とを良好に補正することができる。
【００８０】
条件式（１４）の下限値を下回らないようにすることで、必要なワーキングディスタンスを確保しつつ、第１レンズ群から射出され第２レンズ群に入射する軸上光線の光束径を適切に保つことができる。これにより、第２レンズ群と第１レンズ群の屈折作用のバランスをとることができるので、軸上収差、特に、球面収差の発生を抑えることができる。
【００８１】
条件式（１４）の上限値を上回らないようにすることで、第１レンズ群内における軸上周辺光線及び軸外周辺光線に対する屈折作用が大きくなり過ぎることを抑制できる。そのため、軸上収差と軸外収差の発生を抑えることができる。軸外収差については、特に、非点収差やコマ収差の発生を抑えることができる。
【００８２】
なお、条件式（３）、（４）、（５）を満足し、更に条件式（１４）を満足することで、光学系の全長の更なる短縮と、球面収差、非点収差及コマ収差の発生の更なる抑制ができる。
【００８３】
また、本実施形態の撮像装置では、第１レンズ群は、物体側から順に、正の屈折力を有するレンズ群と、負または正の屈折力を有するレンズ群と、からなり、上述の条件式（１４）を満足することが好ましい。
【００８４】
第１レンズ群を、正の屈折力を有するレンズ群と負の屈折力を有するレンズ群とで構成すると、色収差を良好に補正することができる。また、第１レンズ群を、２つの正の屈折力を有するレンズ群で構成すると、第１レンズ群の正の屈折力を２つのレンズ群で分担できるので、歪曲収差、非点収差及びコマ収差を良好に補正することができる。
【００８５】
条件式（１４）を満足することで、光学系の全長を短縮しつつ、光学系から物体までの距離が多少変化しても、倍率の変動、すなわち光学系によって形成された光学像の大きさの変動を抑えることができる。また、軸上収差と軸外収差とを良好に補正することができる。
【００８６】
条件式（１４）の下限値を下回らないようにすることで、必要なワーキングディスタンスを確保しつつ、正の屈折力を有するレンズ群の屈折力が小さくなり過ぎることを抑制できる。そのため、第２レンズ群に入射する軸上光線の光束径を適切に保つことができる。これにより、第２レンズ群と第１レンズ群との屈折作用のバランスをとることができるので、軸上収差、特に、球面収差の発生を抑えることができる。
【００８７】
条件式（１４）の上限値を上回らないようにすることで、特に、正の屈折力を有するレンズ群の屈折力が大きくなり過ぎることを抑制できる。そのため、軸上収差と軸外収差の発生を抑えることができる。軸外収差については、特に、非点収差やコマ収差の発生を抑えることができる。
【００８８】
また、正の屈折力を有するレンズ群の屈折力を適切に保つことにより、主点を物体側に位置させることができる。そのため、正の屈折力を有するレンズ群の屈折力を適切に保つことは、光学系の全長短縮にとっても好ましい。
【００８９】
なお、条件式（３）、（４）、（５）を満足し、更に条件式（１４）を満足することで、光学系の全長の更なる短縮と、球面収差、非点収差及コマ収差の発生の更なる抑制ができる。
【００９０】
ここで、条件式（１４）に代えて、以下の条件式（１４’）を満足することが好ましい。
−０．３０＜（ＷＤ×ｔａｎ（ｓｉｎ-1ＮＡ）−φs／２）／ＬG1s＜０．０８      （１４’）
また、条件式（１４）に代えて、以下の条件式（１４’’）を満足することがより好ましい。
−０．２０＜（ＷＤ×ｔａｎ（ｓｉｎ-1ＮＡ）−φs／２）／ＬG1s＜０．０６      （１４’’）
また、条件式（１４）に代えて、以下の条件式（１４’’’）を満足することがより好ましい。
−０．１０＜（ＷＤ×ｔａｎ（ｓｉｎ-1ＮＡ）−φs／２）／ＬG1s＜０．０４      （１４’’’）
【００９１】
また、本実施形態の撮像装置は、以下の条件式（１５）を満足することが好ましい。
０．６０＜φs／（２×ＷＤ×ｔａｎ（ｓｉｎ-1ＮＡ））＜１２．０      （１５）
ここで、
φsは、絞りの直径、
ＷＤは、物体から第１物体側レンズの物体側面までの光軸上の距離、
ＮＡは、光学系の物体側の開口数、
である。
【００９２】
条件式（１５）を満足することで、必要なワーキングディスタンスを確保すると共に、更に光学系の全長を短縮しつつ、軸外収差を良好に補正することができる。
【００９３】
条件式（１５）の下限値を下回らないようにすることで、必要なワーキングディスタンスを確保しつつ、第１レンズ群を構成するレンズ群のうち、特に物体側に配置される正レンズ群について、その屈折作用が大きくなり過ぎることを抑制できる。そのため、球面収差などの軸上収差を良好に補正することができる。
【００９４】
条件式（１５）の上限値を上回らないようにすることで、第１レンズ群に入射する光束径が大きくなり過ぎることを抑制できる。そのため、軸外収差、特に、非点収差やコマ収差の発生を抑制することができる。
【００９５】
なお、条件式（４）、（５）を満足し、更に、条件式（１５）を満足することで、必要なワーキングディスタンスの確保と、光学系の全長の更なる短縮と、非点収差やコマ収差の発生の更なる抑制と、球面収差のより良好な補正ができる。
【００９６】
ここで、条件式（１５）に代えて、以下の条件式（１５’）を満足することが好ましい。
０．８０＜φs／（２×ＷＤ×ｔａｎ（ｓｉｎ-1ＮＡ））＜１０．００      （１５’）
また、条件式（１５）に代えて、以下の条件式（１５’’）を満足することがより好ましい。
１．２０＜φs／（２×ＷＤ×ｔａｎ（ｓｉｎ-1ＮＡ））＜８．００      （１５’’）
また、条件式（１５）に代えて、以下の条件式（１５’’’）を満足することがより好ましい。
１．５０＜φs／（２×ＷＤ×ｔａｎ（ｓｉｎ-1ＮＡ））＜６．００      （１５’’’）
【００９７】
また、本実施形態の撮像装置では、第１レンズ群は、物体側から順に、正の屈折力を有するレンズ群と、負または正の屈折力を有するレンズ群と、からなり、以下の条件式（１５−１）を満足することが好ましい。
０．６＜φs／（２×ＷＤ×ｔａｎ（ｓｉｎ-1ＮＡ））＜１２．０      （１５−１）
ここで、
φsは、絞りの直径、
ＷＤは、物体から第１物体側レンズの物体側面までの光軸上の距離、
ＮＡは、光学系の物体側の開口数、
である。
【００９８】
第１レンズ群を、正の屈折力を有するレンズ群と負の屈折力を有するレンズ群とで構成すると、色収差を良好に補正することができる。また、第１レンズ群を、２つの正の屈折力を有するレンズ群で構成すると、第１レンズ群の正の屈折力を２つのレンズ群で分担できるので、歪曲収差、非点収差及びコマ収差を良好に補正することができる。
【００９９】
条件式（１５−１）を満足することで、光学系の全長を短縮しつつ、光学系から物体までの距離が多少変化しても、倍率の変動、すなわち光学系によって形成された光学像の大きさの変動を抑えることができる。これにより、軸上収差と軸外収差とを良好に補正することができる。
【０１００】
条件式（１５−１）の下限値を下回らないようにすることで、必要なワーキングディスタンスを確保しつつ、正の屈折力を有するレンズ群の屈折力が小さくなり過ぎることを抑制できる。そのため、第２レンズ群に入射する軸上光線の光束径を適切に保つことができる。これにより、第２レンズ群と第１レンズ群との屈折作用のバランスをとることができるので、軸上収差、特に、球面収差の発生を抑えることができる。
【０１０１】
条件式（１５−１）の上限値を上回らないようにすることで、特に、正の屈折力を有するレンズ群の屈折力が大きくなり過ぎることを抑制できる。そのため、軸上収差と軸外収差の発生を抑えることができる。軸外収差については、特に、非点収差やコマ収差の発生を抑えることができる。
【０１０２】
また、正の屈折力を有するレンズ群の屈折力を適切に保つことにより、主点を物体側に位置させることができる。そのため、正の屈折力を有するレンズ群の屈折力を適切に保つことは、光学系の全長短縮にとっても好ましい。
【０１０３】
なお、条件式（３）、（４）、（５）を満足し、更に条件式（１５−１）を満足することで、光学系の全長の更なる短縮と、球面収差、非点収差及びコマ収差の発生の更なる抑制ができる。
【０１０４】
また、本実施形態の撮像装置は、以下の条件式（１６）を満足することが好ましい。
０．０３＜（Ｙobj−ＷＤ×ｔａｎＣＲＡobj）／ＬG1s＜１．０      （１６）
ここで、
Ｙobjは、最大物体高、
ＷＤは、物体から第１物体側レンズの物体側面までの光軸上の距離、
ＣＲＡobjは、第１物体側レンズに入射する主光線と光軸とのなす角度のうち、最大となる角度、
ＬG1sは、第１物体側レンズの物体側面から絞りまでの光軸上の距離、
である。
角度の正負は、光軸から時計回りの方向に測った場合の角度を負、反時計回りの方向に測ったときの角度を正とする。
【０１０５】
条件式（１６）を満足することで、物体側でのテレセントリック性を確保しつつ、光学系の全長の短縮と軸外における結像性能の最適化とを両立することができる。軸外における結像性能の最適化は、軸外収差性能の改善（軸外収差の低減）によって実現できる。
【０１０６】
条件式（１６）の下限値を下回らないようにすることで、第１レンズ群の屈折作用が小さくなり過ぎることを抑制できる。そのため、物体側でのテレセントリック性を適切に確保しつつ、光学系の全長を短縮することができる。
【０１０７】
条件式（１６）の上限値を上回らないようにすることで、第１レンズ群の屈折作用が大きくなり過ぎることを抑制できる。そのため、軸外収差、特に、歪曲収差、非点収差及びコマ収差の発生を抑えることができる。
【０１０８】
なお、条件式（４）、（５）を満足し、更に条件式（１６）を満足することで、物体側でのテレセントリック性の適切な確保と、光学系の全長の更なる短縮と、歪曲収差、非点収差及びコマ収差の発生の更なる抑制ができる。また、これらの収差の発生の抑制により、軸外における結像性能の更なる最適化ができる。
【０１０９】
ここで、条件式（１６）に代えて、以下の条件式（１６’）を満足することが好ましい。
０．１５＜（Ｙobj−ＷＤ×ｔａｎＣＲＡobj）／ＬG1s＜０．８０      （１６’）
また、条件式（１６）に代えて、以下の条件式（１６’’）を満足することがより好ましい。
０．２０＜（Ｙobj−ＷＤ×ｔａｎＣＲＡobj）／ＬG1s＜０．７０      （１６’’）
また、条件式（１６）に代えて、以下の条件式（１６’’’）を満足することがより好ましい。
０．２５＜（Ｙobj−ＷＤ×ｔａｎＣＲＡobj）／ＬG1s＜０．６０      （１６’’’）
【０１１０】
また、本実施形態の撮像装置では、第１レンズ群は、物体側から順に、正の屈折力を有するレンズ群と、負または正の屈折力を有するレンズ群と、からなり、以下の条件式（１６−１）を満足することが好ましい。
０．０３＜（Ｙobj−ＷＤ×ｔａｎＣＲＡobj）／ＬG1s＜１．０      （１６−１）
ここで、
Ｙobjは、最大物体高、
ＷＤは、物体から第１物体側レンズの物体側面までの光軸上の距離、
ＣＲＡobjは、第１物体側レンズに入射する主光線と光軸とのなす角度のうち、最大となる角度、
ＬG1sは、第１物体側レンズの物体側面から絞りまでの光軸上の距離、
である。
角度の正負は、光軸から時計回りの方向に測った場合の角度を負、反時計回りの方向に測ったときの角度を正とする。
【０１１１】
第１レンズ群を、正の屈折力を有するレンズ群と負の屈折力を有するレンズ群とで構成すると、色収差を良好に補正することができる。また、第１レンズ群を、２つの正の屈折力を有するレンズ群で構成すると、第１レンズ群の正の屈折力を２つのレンズ群で分担できるので、歪曲収差、非点収差及びコマ収差を良好に補正することができる。
【０１１２】
条件式（１６−１）を満足することで、物体側でのテレセントリック性を確保しつつ、光学系の全長の短縮と軸外における結像性能の最適とを両立をすることができる。軸外における結像性能の最適化は、軸外収差性能の改善（軸外収差の低減）によって実現できる。
【０１１３】
条件式（１６−１）の下限値を下回らないようにすることで、正の屈折力を有するレンズ群の屈折作用が小さくなり過ぎることを抑制できる。そのため、物体側でのテレセントリック性を確保しつつ、光学系の全長を短縮することができる。
【０１１４】
条件式（１６−１）の上限値を上回らないようにすることで、第１レンズ群を構成するレンズ群のうち、特に、正の屈折力を有するレンズ群の屈折作用が大きくなり過ぎることを抑制できる。そのため、軸外収差、特に、歪曲収差、非点収差及びコマ収差の発生を抑えることができる。
【０１１５】
なお、条件式（４）、（５）を満足し、更に条件式（１６−１）を満足することで、物体側でのテレセントリック性の適切な確保と、光学系の全長の更なる短縮と、歪曲収差、非点収差及びコマ収差の発生の更なる抑制ができる。また、これらの収差の発生の抑制により、軸外における結像性能の更なる最適化ができる。
【０１１６】
また、本実施形態の撮像装置では、第１レンズ群は、最も物体側に配置された物体側レンズ群を含み、物体側レンズ群は全体として正の屈折力を有し、物体側レンズ群は、少なくとも２枚の正レンズを有することが好ましい。
【０１１７】
物体側レンズ群の位置では、正の屈折力を有するレンズ群に入射する軸外光線の光線高が高い。そこで、物体側群を２枚以上の正レンズで構成することで、物体側レンズ群の屈折力を２枚以上の正レンズで分担させることができる。その結果、歪曲収差、非点収差及びコマ収差を良好に補正することができる。
【０１１８】
なお、条件式（１６）を満足し、更にこのような構成を備えることで、歪曲収差、非点収差及びコマ収差のより良好な補正ができる。
【０１１９】
また、本実施形態の撮像装置では、第１レンズ群は、最も像側に配置された像側レンズ群を含み、像側レンズ群は、１枚以上の正レンズと１枚以上の負レンズとを有することが好ましい。
【０１２０】
像側レンズ群を１枚以上の正レンズと１枚以上の負レンズで構成することにより、軸上収差、特に、球面収差と軸上色収差とをより良好に補正することができる。
【０１２１】
なお、条件式（１６）を満足し、更にこのような構成を備えることで、球面収差と軸上色収差のより良好な補正ができる。
【０１２２】
また、本実施形態の撮像装置は、第１レンズ群は、最も像側に配置された像側レンズ群を含み、以下の条件式（１７）を満足することが好ましい。
−１．５＜ｆG1pn／ｆG1＜０．５      （１７）
ここで、
ｆG1pnは、像側レンズ群の焦点距離、
ｆG1は、第１レンズ群の焦点距離、
である。
【０１２３】
条件式（１７）を満足することで、光学系の全長短縮と必要なワーキングディスタンスの確保とを両立することができる。
【０１２４】
なお、条件式（１６）を満足し、更に条件式（１７）を満足することで、光学系の全長の更なる短縮と、必要なワーキングディスタンスの確保ができる。
【０１２５】
ここで、条件式（１７）に代えて、以下の条件式（１７’）を満足することが好ましい。
−１．３＜ｆG1pn／ｆG1＜０．３      （１７’）
また、条件式（１７）に代えて、以下の条件式（１７’’）を満足することがより好ましい。
−１．０＜ｆG1pn／ｆG1＜０．２      （１７’’）
また、条件式（１７）に代えて、以下の条件式（１７’’’）を満足することがより好ましい。
−０．８＜ｆG1pn／ｆG1＜０．１      （１７’’’）
また、条件式（１７）に代えて、以下の条件式（１７−１）または（１７−２）を満足することがより好ましい。
−１．５＜ｆG1pn／ｆG1≦−０．０２      （１７−１）
０．０３≦ｆG1pn／ｆG1＜０．５      （１７−２）
【０１２６】
また、本実施形態の撮像装置では、絞りよりも像側に正レンズを有することが好ましい。
【０１２７】
絞りよりも像側に正レンズを有することで、第２レンズ群の主点を物体側に位置させることができる。そのため、このようにすることは、光学系の全長短縮に望ましい。また、このようにすることで、球面収差も良好に補正することができる。
【０１２８】
また、本実施形態の撮像装置では、第２レンズ群の最も像側に負の屈折力を有するレンズが配置されることが好ましい。
【０１２９】
このようにすることで、光学系の全長を短縮しつつ、必要なバックフォーカスを確保することができる。
【０１３０】
また、本実施形態の撮像装置は、以下の条件式（１８）を満足することが好ましい。
０．４０＜Ｄos／Ｄoi＜０．９０      （１８）
ここで、
Ｄosは、物体から絞りまでの光軸上の距離、
Ｄoiは、物体から像までの光軸上の距離、
である。
【０１３１】
条件式（１８）の下限値を下回らないようにすることで、第１レンズ群を構成するレンズにおいて適切な厚みを確保しながら、第１レンズ群の正の屈折力を適切に保つことができる。その結果、第１レンズ群での像面湾曲などの単色収差を良好に補正しつつ、色収差も良好に補正することができる。また、第１レンズ群において軸上色収差を良好に補正できることから、第２レンズ群での軸上色収差の過剰な補正が不要となる。これにより、第２レンズ群での倍率色収差が良好に補正できるようになるため、光学系全系での倍率色収差を良好に補正することができる。
【０１３２】
条件式（１８）の上限値を上回らないようにすることで、像の周辺に至る主光線の高さを、絞りから像までの間で比較的緩やかに変化させることが可能になる。これにより、第２レンズ群を構成するレンズの曲率半径が小さくなり過ぎることを防止できる。そのため、第２レンズ群での像面湾曲などの単色収差を良好に補正しつつ、色収差も良好に補正することができる。
【０１３３】
ここで、条件式（１８）に代えて、以下の条件式（１８’）を満足することが好ましい。
０．４５＜Ｄos／Ｄoi＜０．８８      （１８’）
また、条件式（１８）に代えて、以下の条件式（１８’’）を満足することがより好ましい。
０．５０＜Ｄos／Ｄoi＜０．８６      （１８’’）
また、条件式（１８）に代えて、以下の条件式（１８’’’）を満足することがより好ましい。
０．５５＜Ｄos／Ｄoi＜０．８４      （１８’’’）
【０１３４】
また、本実施形態の撮像装置は、以下の条件式（１９）を満足することが好ましい。
０．００５＜ＢＦ／ＬL＜０．４      （１９）
ここで、
ＢＦは、第２像側レンズの像側面から像までの光軸上の距離、
ＬLは、第１物体側レンズの物体側面から第２像側レンズの像側面までの光軸上の距離、
である。
【０１３５】
条件式（１９）において、ＢＦは第２像側レンズの像側面から像までの光軸上の距離であるが、本明細書中では、バックフォーカスと呼ぶこととする。
【０１３６】
条件式（１９）の下限値を下回らないようにすることで、第２像側レンズと撮像素子との間隔を大きくすることができる。これにより、第２像側レンズと撮像素子との間での多重反射によってゴーストが生じても、ゴーストが高密度で撮像素子面に入射することを防止できる。
【０１３７】
条件式（１９）の上限値を上回らないようにすることで、光学系の全長に対するバックフォーカスのスペースの占有率が大きくなり過ぎることを防止できる。これにより、レンズを配置する際の位置の自由度が増えるので、諸収差を良好に補正することができる。例えば、第１レンズ群や第２レンズ群に、色収差補正の働きを持つレンズを配置し、これらのレンズ同士の位置関係を調整することにより、軸上色収差の良好な補正と倍率色収差の良好な補正とを両立させることができる。
【０１３８】
ここで、条件式（１９）に代えて、以下の条件式（１９’）を満足することが好ましい。
０．００７＜ＢＦ／ＬL＜０．３５０      （１９’）
また、条件式（１９）に代えて、以下の条件式（１９’’）を満足することがより好ましい。
０．０１０＜ＢＦ／ＬL＜０．３００      （１９’’）
また、条件式（１９）に代えて、以下の条件式（１９’’’）を満足することがより好ましい。
０．０１５＜ＢＦ／ＬL＜０．２００      （１９’’’）
【０１３９】
また、本実施形態の撮像装置は、以下の条件式（２０）を満足することが好ましい。
０．５＜Ｄos／ＬG1＜４．０      （２０）
ここで、
Ｄosは、物体から絞りまでの光軸上の距離、
ＬG1は、第１物体側レンズの物体側面から第１像側レンズの像側面までの光軸上の距離、
である。
【０１４０】
条件式（２０）の下限値を下回らないようにすることで、第２レンズ群を配置するスペースを十分に確保することができる。これにより、第２レンズ群を構成するレンズにおいて適切な厚みを確保して曲率の選択の自由度を増やすことや、特性の異なるレンズを多数配置することができる。そのため、第２レンズ群における単色収差を補正しつつ、色収差も良好に補正することができる。また、第２レンズ群において軸上色収差を良好に補正できることから、第１レンズ群での軸上色収差の過剰な補正が不要となる。これにより、第１レンズ群での倍率色収差が良好に行えるようになるため、光学系全系での倍率色収差が良好に補正できる。
【０１４１】
条件式（２０）の上限値を上回らないようにすることで、第１レンズ群を配置するスペースを適切に確保することができる。これにより、第１レンズ群を構成するレンズにおいて適切な厚みを確保して、レンズ面の曲率について選択の自由度を増やすことや、光学特性の異なるレンズを多数配置することができる。そのため、第１レンズ群における単色収差を補正しつつ、色収差も良好に補正することができる。また、第１レンズ群において軸上色収差を良好に補正できることから、第２レンズ群での軸上色収差の過剰な補正が不要となる。これにより、第２レンズ群での倍率色収差が良好に行えるようになるため、光学系全系での倍率色収差が良好に補正できる。
【０１４２】
ここで、条件式（２０）に代えて、以下の条件式（２０’）を満足することが好ましい。
０．７０＜Ｄos／ＬG1＜３．５０      （２０’）
また、条件式（２０）に代えて、以下の条件式（２０’’）を満足することがより好ましい。
０．９０＜Ｄos／ＬG1＜３．００      （２０’’）
また、条件式（２０）に代えて、以下の条件式（２０’’’）を満足することがより好ましい。
１．１０＜Ｄos／ＬG1＜２．５０      （２０’’’）
【０１４３】
また、本実施形態の撮像装置では、第１レンズ群は、正の屈折力を有するレンズと、負の屈折力を有するレンズと、を有し、正の屈折力を有するレンズは、最も物体側に配置され、負の屈折力を有するレンズは、正の屈折力を有するレンズと隣り合う位置に配置されていることが好ましい。
【０１４４】
このようにすることで、物体側に主点を位置させることができる。その結果、光学系の全長を短縮しつつ、更に倍率色収差を良好に補正することが可能になる。
【０１４５】
なお、条件式（２０）を満足し、更にこのような構成を備えることで、光学系の全長の更なる短縮と、倍率色収差のより良好な補正ができる。
【０１４６】
第２実施形態の撮像装置は、撮像素子と、光学系と、を有する撮像装置であって、撮像素子は、光強度を電気信号に変換する画素を複数有し、複数の画素は２次元に配列され、光学系によって、撮像素子上に光学像が形成され、光学系は、物体側から順に、複数のレンズからなる第１レンズ群と、絞りと、複数のレンズからなる第２レンズ群と、を有し、第１レンズ群は、最も物体側に配置された第１物体側レンズを有し、第２レンズ群は、最も像側に配置された第２像側レンズを有し、第１レンズ群は、最も物体側に配置され全体として正の屈折力を有する物体側レンズ群を含み、物体側レンズ群は、以下の条件式（１０）を満足するレンズにより構成され、以下の条件式（１）、（２）、（４）、（１１）を満足することを特徴とする。
３２５０＜２Ｙ／ｐ      （１）
−１．０＜β      （２）
２．０＜ＬL／√（Ｙ×Ｙobj）＜１５．０      （４）
０．６＜φG1o×｜β｜／Ｙ      （１０）
０．０＜βG1o      （１１）
ここで、
Ｙは、光学系全系における最大像高、
ｐは、撮像素子における画素ピッチ、
βは、光学系の結像倍率、
ＬLは、第１物体側レンズの物体側面から第２像側レンズの像側面までの光軸上の距離、
Ｙobjは、最大物体高、
φG1oは、物体側レンズ群を構成する全てのレンズにおける有効径、
βG1oは、物体側レンズ群の結像倍率、
である。
【０１４７】
光学系の構成に関する技術的意義については既に説明したので、説明を省略する。また、条件式（１）、（２）、（４）、（１０）、（１１）に関する技術的意義についても既に説明したので、説明を省略する。
【０１４８】
また、本実施形態の撮像装置では、第１レンズ群は、物体側から順に、物体側レンズ群と、像側レンズ群と、からなることが好ましい。
【０１４９】
物体側レンズ群よりも像側に像側レンズ群を配置することで、第１レンズ群内においてコマ収差を良好に補正できると共に、球面収差などの軸上収差についても良好に補正できる。
【０１５０】
なお、条件式（４）を満足し、条件式（１０）、（１１）を満足するレンズを有し、更にこのような構成を備えることで、第１レンズ群内におけるコマ収差のより良好な補正と、球面収差のより良好な補正ができる。
【０１５１】
また、本実施形態の撮像装置は、以下の条件式（２１）を満足することが好ましい。
０．０１５＜１／νｄmin−１／νｄmax      （２１）
ここで、
νｄminは、光学系を構成するレンズのアッベ数のうち、最小となるアッベ数、
νｄmaxは、光学系を構成するレンズのアッベ数のうち、最大となるアッベ数、
である。
【０１５２】
条件式（２１）の下限値を下回らないようにすることで、軸上色収差と倍率色収差とを良好に補正することができる。
【０１５３】
ここで、条件式（２１）に代えて、以下の条件式（２１’）を満足することが好ましい。
０．０１６＜１／νｄmin−１／νｄmax＜０．１００      （２１’）
また、条件式（２１）に代えて、以下の条件式（２１’’）を満足することがより好ましい。
０．０１７＜１／νｄmin−１／νｄmax＜０．０７０      （２１’’）
また、条件式（２１）に代えて、以下の条件式（２１’’’）を満足することがより好ましい。
０．０１８＜１／νｄmin−１／νｄmax＜０．０５０      （２１’’’）
【０１５４】
また、本実施形態の撮像装置は、以下の条件式（２２）を満足することが好ましい。
３．０＜ＣＲＡimg／ＣＲＡobj＜５０．０      （２２）
ここで、
ＣＲＡimgは、像面に入射する主光線と光軸とのなす角度うち、最大となる角度、
ＣＲＡobjは、第１物体側レンズに入射する主光線と光軸とのなす角度のうち、最大となる角度、
である。
角度の正負は、光軸から時計回りの方向に測った場合の角度を負、反時計回りの方向に測ったときの角度を正とする。
【０１５５】
条件式（２２）の下限値を下回らないようにすることで、撮像面への軸外光束の入射角が大きくなり過ぎないようにすることができる。これにより、周辺光量の低下をより効率的に防止できる。
【０１５６】
条件式（２２）の上限値を上回らないようにすることで、光学系のうちの像側に近い領域に発散作用をもたせて、光学系の構成をテレフォトタイプの構成にすることができる。その結果、光学系の全長を短縮することができる。
【０１５７】
ここで、条件式（２２）に代えて、以下の条件式（２２’）を満足することが好ましい。
３．３０＜ＣＲＡimg／ＣＲＡobj＜３０．００      （２２’）
また、条件式（２２）に代えて、以下の条件式（２２’’）を満足することがより好ましい。
３．５０＜ＣＲＡimg／ＣＲＡobj＜２０．００      （２２’’）
また、条件式（２２）に代えて、以下の条件式（２２’’’）を満足することがより好ましい。
３．７０＜ＣＲＡimg／ＣＲＡobj＜１５．００      （２２’’’）
【０１５８】
また、本実施形態の撮像装置では、第１レンズ群は、最も像側に配置された第１像側レンズを有し、第２レンズ群は、最も物体側に配置された第２物体側レンズを有し、以下の条件式（２３）を満足することが好ましい。
０．６５＜ＬG1／ＬG2＜５．００      （２３）
ここで、
ＬG1は、第１物体側レンズの物体側面から第１像側レンズの像側面までの光軸上の距離、
ＬG2は、第２物体側レンズの物体側面から第２像側レンズの像側面までの光軸上の距離、
である。
【０１５９】
条件式（２３）の下限値を下回らないようにすることで、第１レンズ群を構成するレンズにおいて適切な厚みを確保しながら、第１レンズ群の正の屈折力を適切に保つことができる。そのため、軸上色収差を良好に補正しながら、主点を物体側に位置させて光学系の全長を短縮することができる。
【０１６０】
条件式（２３）の上限値を上回らないようにすることで、適切なワーキングディスタンスを確保する場合に、第２レンズ群において絞りから像の周辺に至る主光線の高さを比較的緩やかに変化させることが可能になるので、第２レンズ群を構成するレンズの曲率半径が小さくなり過ぎることを防止できる。そのため、倍率色収差をより良好に補正することができる。
【０１６１】
ここで、条件式（２３）に代えて、以下の条件式（２３’）を満足することが好ましい。
０．８５＜ＬG1／ＬG2＜４．５０      （２３’）
また、条件式（２３）に代えて、以下の条件式（２３’’）を満足することがより好ましい。
１．０５＜ＬG1／ＬG2＜４．３０      （２３’’）
また、条件式（２３）に代えて、以下の条件式（２３’’’）を満足することがより好ましい。
１．２５＜ＬG1／ＬG2＜４．００      （２３’’’）
【０１６２】
また、本実施形態の撮像装置では、光学系の光路中に光路分割素子が配置され、光路分割素子によって、第１の光路と第２の光路とが形成され、第１の光路に、光学系の一部が配置され、分割された第２の光路側に、物体を照射する照明光学系を接続する接続部を有することが好ましい。
【０１６３】
このようにすることで、接続部に照明光学系を接続し、更に照明光学系に光源を接続することで、照明光を第２の光路から入射させることができる。これにより、物体（標本）に照明光を照射することができる。
【０１６４】
なお、照明方式がケーラー照明となるように、照明光学系を構成することが好ましい。このようにすることで、物体の中心から周辺までを、一定の明るさの照明光で照明することができる。その結果、中心部から周辺部まで、明るさムラや影が少ない良好な物体の画像を得ることができる。
【０１６５】
なお、光路分割素子としては、例えば、偏光ビームスプリッターやハーフミラーがある。偏光ビームスプリッターを使用する場合は、光路分割素子よりも物体側の光路中、すなわち、光路分割素子から物体までの間の光路中に１／４波長板を配置することが望ましい。
【０１６６】
また、本実施形態の撮像装置では、光学系の光路中に光路分割素子が配置され、光路分割素子が第２レンズ群内に配置されることが好ましい。
【０１６７】
第２レンズ群の位置では、光束径が小さくなる。そこで、光路分割素子を第２レンズ群に配置することにより、光路分離素子を小型化できる。その結果、光学系の全長を短縮することができる。
【０１６８】
また、本実施形態の撮像装置は、以下の条件式（２４）を満足することが好ましい。
０．１＜ＤsBS／ＤBSi＜０．９５      （２４）
ここで、
ＤsBSは、絞りから光路分割素子までの光軸上の距離、
ＤBSiは、光路分割素子から撮像素子の撮像面までの光軸上の距離、
である。
【０１６９】
条件式（２４）を満足することで、軸上光束と軸外光束の両方について、光路分割素子への入射角が大きくなり過ぎることを抑制できる。更に、軸外光線の光線高が高くなり過ぎることを抑制できる。そのため、光学系の細径化が可能となり、また、球面収差とコマ収差の発生を抑制することができる。
【０１７０】
ここで、条件式（２４）に代えて、以下の条件式（２４’）を満足することが好ましい。
０．２０＜ＤsBS／ＤBSi＜０．９３      （２４’）
また、条件式（２４）に代えて、以下の条件式（２４’’）を満足することがより好ましい。
０．２５＜ＤsBS／ＤBSi＜０．９０      （２４’’）
また、条件式（２４）に代えて、以下の条件式（２４’’’）を満足することがより好ましい。
０．３０＜ＤsBS／ＤBSi＜０．８８      （２４’’’）
【０１７１】
また、本実施形態の撮像装置では、絞りと光路分割素子との間に、少なくとも１枚の正レンズが配置されることが好ましい。
【０１７２】
このようにすることで、軸上光束と軸外光束の両方について、光路分割素子への入射角が大きくなり過ぎることを抑制できる。更に、軸外光線の光線高が高くなり過ぎることを抑制できる。そのため、光学系の細径化が可能となり、また、球面収差とコマ収差の発生を抑制することができる。
【０１７３】
また、本実施形態の撮像装置では、絞りと光路分割素子との間に配置された正レンズの少なくとも１枚は負レンズと接合されていることが好ましい。
【０１７４】
このようにすることで、軸上収差、特に、球面収差と軸上色収差とを良好に補正することができる。
【０１７５】
また、本実施形態の撮像装置では、光路分割素子の像側に正レンズが配置され、正レンズの像側には少なくとも１枚の負レンズが配置されていることが好ましい。
【０１７６】
このようにすることで、光路分割素子より射出される光を効率よく収斂させ、球面収差の発生を抑制と光学系の全長短縮とを両立できる。
【０１７７】
また、本実施形態の撮像装置は、以下の条件式（３）を満足することが好ましい。
ＣＲＡobj＜１０ｄｅｇ      （３）
ここで、
ＣＲＡobjは、第１物体側レンズに入射する主光線と光軸とのなす角度のうち、最大となる角度、
である。
角度の正負は、光軸から時計回りの方向に測った場合の角度を負、反時計回りの方向に測ったときの角度を正とする。
【０１７８】
条件式（３）に関する技術的意義については既に説明したので、説明を省略する。
【０１７９】
また、本実施形態の撮像装置では、第１レンズ群は、物体側から順に、正の屈折力を有する１枚または２枚のレンズと、負の屈折力を有する１枚または２枚のレンズと、正の屈折力を有する１枚から３枚のレンズと、負の屈折力を有する第１像側レンズと、から構成されることが好ましい。
【０１８０】
更に、本実施形態の撮像装置では、第１レンズ群は、６枚のレンズから構成され、物体側から順に、正の屈折力を有する第１物体側レンズと、正の屈折力を有する１枚のレンズと、負の屈折力を有する１枚のレンズと、正の屈折力を有する２枚のレンズと、負の屈折力を有する第１像側レンズと、から構成されることが好ましい。
【０１８１】
更に、本実施形態の撮像装置では、第１レンズ群は、５枚のレンズから構成され、物体側から順に、正の屈折力を有する第１物体側レンズと、正の屈折力を有する１枚のレンズと、負の屈折力を有する１枚のレンズと、正の屈折力を有する１枚のレンズと、負の屈折力を有する第１像側レンズと、から構成されることが好ましい。
【０１８２】
更に、本実施形態の撮像装置では、第１レンズ群は、７枚のレンズから構成され、物体側から順に、正の屈折力を有する第１物体側レンズと、正の屈折力を有する１枚のレンズと、負の屈折力を有する２枚のレンズと、正の屈折力を有する２枚のレンズと、負の屈折力を有する第１像側レンズと、から構成されることが好ましい。
【０１８３】
また、本実施形態の撮像装置では、第１物体側レンズは、物体側面が、物体側に凸面を向けていることが好ましい。また、第１物体側レンズは、両凸正レンズであることが好ましい。
【０１８４】
また、本実施形態の撮像装置では、第１像側レンズは、像側面が、像側に凹面を向けていることが好ましい。また、第１像側レンズは、両凹負レンズであることが好ましい。
【０１８５】
また、本実施形態の撮像装置では、第２レンズ群は、物体側から順に、正の屈折力を有する第２物体側レンズと、負の屈折力を有する１枚のレンズと、正の屈折力を有する２枚または３枚のレンズと、負の屈折力を有する１枚のレンズと、正の屈折力を有する１枚または２枚のレンズと、負の屈折力を有する第２像側レンズと、から構成されることが好ましい。この場合、第２物体側レンズは、像側面が、像側に凸面を向けていることが好ましい。例えば、第２物体側レンズは、両凸正レンズであることが好ましい。また、第２像側レンズは、像側面が像側に凹面を向けていることが好ましい。また、第２像側レンズは、物体側面が物体側に凹面を向けていることが好ましい。
【０１８６】
更に、本実施形態の撮像装置では、第２レンズ群は、８枚のレンズから構成され、物体側から順に、正の屈折力を有する第２物体側レンズと、負の屈折力を有する１枚のレンズと、正の屈折力を有する３枚のレンズと、負の屈折力を有する１枚のレンズと、正の屈折力を有する１枚のレンズと、負の屈折力を有する第２像側レンズと、から構成されることが好ましい。
【０１８７】
更に、本実施形態の撮像装置では、第２レンズ群は、７枚のレンズから構成され、物体側から順に、正の屈折力を有する第２物体側レンズと、負の屈折力を有する１枚のレンズと、正の屈折力を有する２枚のレンズと、負の屈折力を有する１枚のレンズと、正の屈折力を有する１枚のレンズと、負の屈折力を有する第２像側レンズと、から構成されることが好ましい。
【０１８８】
また、本実施形態の撮像装置では、第２レンズ群は、物体側から順に、正の屈折力を有する第２物体側レンズと、負の屈折力を有する１枚のレンズと、正の屈折力を有する３枚のレンズと、負の屈折力を有する２枚または３枚のレンズと、から構成されることが好ましい。
【０１８９】
また、本実施形態の撮像装置では、第２レンズ群は、物体側から順に、負の屈折力を有する第２物体側レンズと、正の屈折力を有する２枚から４枚のレンズと、負の屈折力を有する１枚または２枚のレンズと、から構成されることが好ましい。この場合、第２物体側レンズは、両凹負レンズであることが好ましい。また、第２物体側レンズの像側に位置するレンズは、両凸正レンズであることが好ましい。また、第２像側レンズは、両凹負レンズであることが好ましい。また、第２像側レンズの物体側に位置するレンズは、両凹負レンズであることが好ましい。
【０１９０】
更に、本実施形態の撮像装置では、第２レンズ群は、５枚のレンズから構成され、物体側から順に、負の屈折力を有する第２物体側レンズと、正の屈折力を有する２枚のレンズと、負の屈折力を有する２枚のレンズと、から構成されることが好ましい。
【０１９１】
また、本実施形態の撮像システムは、上述のいずれか１つの撮像装置と、物体を保持するステージと、物体を照明する照明装置と、を有することを特徴とする。
【０１９２】
このようにすることで、照明装置により物体を照明することができる。よって、撮像時のノイズが低減できるので、高い解像度で物体の画像を取得することができる。
【０１９３】
また、本実施形態の撮像システムでは、撮像装置とステージとが一体になっていることが好ましい。
【０１９４】
本実施形態の撮像装置に用いられる光学系は、物体側の開口数が大きい。そのため、光学系は高い分解能を有するが、被写界深度が浅くなる。そこで、本実施形態の撮像装置を用いる撮像システムでは、撮像装置と物体を保持するステージとを一体にすることが好ましい。このようにすることで、撮像装置と物体の相対位置や相対距離を一定に保つことができるので、解像度の高い画像を取得することができる。
【０１９５】
また、本実施形態の撮像装置に用いられる光学系は、以下の条件式（１）を満足する撮像素子を有する撮像装置に用いられる光学系であって、光学系は、物体側から順に、複数のレンズからなる第１レンズ群と、絞りと、複数のレンズからなる第２レンズ群と、からなり、第１レンズ群は、最も物体側に配置された第１物体側レンズを有し、第２レンズ群は、最も像側に配置された第２像側レンズを有し、以下の条件式（２）、（３）、（４）、（５）を満足することを特徴とする。
３２５０＜２Ｙ／ｐ      （１）
−１．０＜β      （２）
ＣＲＡobj＜１０ｄｅｇ      （３）
２．０＜ＬL／√（Ｙ×Ｙobj）＜１５．０      （４）
０．５＜ＬTL／Ｄoi＜０．９５      （５）
ここで、
Ｙは、光学系全系における最大像高、
ｐは、撮像素子における画素ピッチ、
βは、光学系の結像倍率、
ＣＲＡobjは、第１物体側レンズに入射する主光線と光軸とのなす角度のうち、最大となる角度、
ＬLは、第１物体側レンズの物体側面から第２像側レンズの像側面までの光軸上の距離、
Ｙobjは、最大物体高、
ＬTLは、第１物体側レンズの物体側面から像までの光軸上の距離、
Ｄoiは、物体から像までの光軸上の距離、
である。
【０１９６】
また、本実施形態の撮像装置に用いられる別の光学系は、以下の条件式（１）を満足する撮像素子を有する撮像装置に用いられる光学系であって、光学系は、物体側から順に、複数のレンズからなる第１レンズ群と、絞りと、複数のレンズからなる第２レンズ群と、を有し、第１レンズ群は、最も物体側に配置された第１物体側レンズを有し、第２レンズ群は、最も像側に配置された第２像側レンズを有し、第１レンズ群は、最も物体側に配置され、全体として正の屈折力を有する物体側レンズ群を含み、物体側レンズ群は、以下の条件式（１０）を満足するレンズにより構成され、以下の条件式（２）、（４）、（１１）を満足することを特徴とする。
３２５０＜２Ｙ／ｐ      （１）
−１．０＜β      （２）
２．０＜ＬL／√（Ｙ×Ｙobj）＜１５．０      （４）
０．６＜φG1o×｜β｜／Ｙ      （１０）
０．０＜βG1o      （１１）
ここで、
Ｙは、光学系全系における最大像高、
ｐは、撮像素子における画素ピッチ、
βは、光学系の結像倍率、
ＬLは、第１物体側レンズの物体側面から第２像側レンズの像側面までの光軸上の距離、
Ｙobjは、最大物体高、
φG1oは、物体側レンズ群を構成する全てのレンズにおける有効径、
βG1oは、物体側レンズ群の結像倍率、
である。
【０１９７】
本実施形態の撮像装置に用いられる光学系は、適宜、上述した撮像装置における構成を備え、条件式を満足しても良い。
【０１９８】
また、各条件式について、下限値、上限値の何れかまたは双方を限定することで、その機能をより確実にできるので好ましい。また、各条件式について、より限定した条件式の数値範囲の上限値あるいは下限値のみを限定しても構わない。また、条件式の数値範囲を限定するにあたっては、上記の各条件式の上限値又は下限値を、上記の他の条件式の上限値又は下限値としても良い。
【０１９９】
以下に、本発明のある態様に係る撮像装置に用いられる光学系の実施例を、図面に基づいて詳細に説明する。なお、この実施例によりこの発明が限定されるものではない。
【０２００】
なお、以下の実施例においては、例示される光学系に対して、どのような画素ピッチの撮像素子を用いるかについては、明示していない。何故なら、上述した、条件式（１）を満足しさえすれば、種々の画素ピッチの撮像素子を適宜選択することが可能であるからである。
【０２０１】
例えば、実施例１の光学系における像高は、２１．６７１ｍｍであるから、実施例１の光学系に、画素ピッチが６．０μｍの撮像素子を用いた場合、２Ｙ／Ｐ＝７２２３となるので、本実施例の条件式（１）を満足する。このように、撮像素子の画素ピッチは、条件式（１）を満足する範囲内において、適宜選択し得るものであるから、当然、実施例１の光学系とともに用いられる撮像素子の画素ピッチも、６．０μｍに限定されない。また、他の実施例の光学系においても、具体的な撮像素子の画素ピッチを例示するまでもなく、適切な画素ピッチの撮像素子と組み合わせることが可能である。
【０２０２】
実施例１にかかる光学系について説明する。図１（ａ）は実施例１にかかる光学系の光学構成を示す光軸に沿う断面図である。また、図１（ｂ）、（ｃ）、（ｄ）、（ｅ）は、実施例１にかかる光学系の収差図である。
【０２０３】
図１に示す収差図において、“ＦＩＹ”は像高を示している。なお、収差図における記号は、後述の実施例においても共通である。また、実施例１〜２２の収差図において、（ｂ）、（ｃ）、（ｄ）、（ｅ）は、それぞれ、球面収差（ＳＡ）、非点収差（ＡＳ）、歪曲収差（ＤＴ）、倍率色収差（ＣＣ）を示している。
【０２０４】
実施例１の光学系は、図１（ａ）に示すように、物体側より順に、正の屈折力の第１レンズ群Ｇ１と、開口絞りＳと、正の屈折力の第２レンズ群Ｇ２と、を有している。なお、実施例１〜２２おいて、レンズ断面図中、Ｓは絞りを示し、Ｃはカバーガラスを示し、Ｉは撮像素子の撮像面を示している。
【０２０５】
第１レンズ群Ｇ１は、両凸正レンズＬ１と、像側に凸面を向けた正メニスカスレンズＬ２と、両凹負レンズＬ３と、両凸正レンズＬ４と、像側に凸面を向けた正メニスカスレンズＬ５と、両凹負レンズＬ６と、からなる。ここで、正メニスカスレンズＬ５と両凹負レンズＬ６とは接合されている。
【０２０６】
第２レンズ群Ｇ２は、両凸正レンズＬ７と、両凹負レンズＬ８と、両凸正レンズＬ９と、両凸正レンズＬ１０と、物体側に凸面を向けた正メニスカスレンズＬ１１と、物体側に凸面を向けた負メニスカスレンズＬ１２と、像側に凸面を向けた正メニスカスレンズＬ１３と、両凹負レンズＬ１４と、からなる。ここで、両凹負レンズＬ８と両凸正レンズＬ９とは接合されている。
【０２０７】
第１レンズ群Ｇ１において、物体側レンズ群は、両凸正レンズＬ１と正メニスカスレンズＬ２とで構成されている。また、像側レンズ群は、両凹負レンズＬ３、両凸正レンズＬ４、正メニスカスレンズＬ５及び両凹負レンズＬ６で構成されている。ここで、物体側レンズ群の全てのレンズは、条件式（１０）を満足するレンズである。像側レンズ群の全てのレンズは、条件式（１３）を満足するレンズである。
【０２０８】
第２レンズ群Ｇ２において、所定のレンズ群は両凹負レンズＬ１４である。
【０２０９】
非球面は、両凹負レンズＬ３の両面と、両凸正レンズＬ７の両面と、両凸正レンズＬ１０の両面と、正メニスカスレンズＬ１３の両面と、両凹負レンズＬ１４の両面との１０面に用いられている。
【０２１０】
次に、実施例２にかかる光学系について説明する。図２（ａ）は実施例２にかかる光学系の光学構成を示す光軸に沿う断面図である。また、図２（ｂ）、（ｃ）、（ｄ）、（ｅ）は、実施例２にかかる光学系の収差図である。
【０２１１】
実施例２の光学系は、図２（ａ）に示すように、物体側より順に、正の屈折力の第１レンズ群Ｇ１と、開口絞りＳと、正の屈折力の第２レンズ群Ｇ２と、を有している。
【０２１２】
第１レンズ群Ｇ１は、両凸正レンズＬ１と、像側に凸面を向けた正メニスカスレンズＬ２と、両凹負レンズＬ３と、両凸正レンズＬ４と、像側に凸面を向けた正メニスカスレンズＬ５と、両凹負レンズＬ６と、からなる。ここで、正メニスカスレンズＬ５と両凹負レンズＬ６とは接合されている。
【０２１３】
第２レンズ群Ｇ２は、両凸正レンズＬ７と、両凹負レンズＬ８と、両凸正レンズＬ９と、両凸正レンズＬ１０と、物体側に凸面を向けた正メニスカスレンズＬ１１と、物体側に凸面を向けた負メニスカスレンズＬ１２と、像側に凸面を向けた正メニスカスレンズＬ１３と、両凹負レンズＬ１４と、からなる。ここで、両凹負レンズＬ８と両凸正レンズＬ９とは接合されている。
【０２１４】
第１レンズ群Ｇ１において、物体側レンズ群は、両凸正レンズＬ１と正メニスカスレンズＬ２とで構成されている。また、像側レンズ群は、両凹負レンズＬ３、両凸正レンズＬ４、正メニスカスレンズＬ５及び両凹負レンズＬ６で構成されている。ここで、物体側レンズ群の全てのレンズは、条件式（１０）を満足するレンズである。像側レンズ群の全てのレンズは、条件式（１３）を満足するレンズである。
【０２１５】
第２レンズ群Ｇ２において、所定のレンズ群は両凹負レンズＬ１４である。
【０２１６】
非球面は、両凹負レンズＬ３の両面と、両凸正レンズＬ７の両面と、両凸正レンズＬ１０の両面と、正メニスカスレンズＬ１３の両面と、両凹負レンズＬ１４の両面との１０面に用いられている。
【０２１７】
次に、実施例３にかかる光学系について説明する。図３（ａ）は実施例３にかかる光学系の光学構成を示す光軸に沿う断面図である。また、図３（ｂ）、（ｃ）、（ｄ）、（ｅ）は、実施例３にかかる光学系の収差図である。
【０２１８】
実施例３の光学系は、図３（ａ）に示すように、物体側より順に、正の屈折力の第１レンズ群Ｇ１と、開口絞りＳと、正の屈折力の第２レンズ群Ｇ２と、を有している。
【０２１９】
第１レンズ群Ｇ１は、両凸正レンズＬ１と、像側に凸面を向けた正メニスカスレンズＬ２と、両凹負レンズＬ３と、両凸正レンズＬ４と、両凸正レンズＬ５と、両凹負レンズＬ６と、からなる。ここで、両凸正レンズＬ５と両凹負レンズＬ６とは接合されている。
【０２２０】
第２レンズ群Ｇ２は、両凸正レンズＬ７と、両凹負レンズＬ８と、両凸正レンズＬ９と、両凸正レンズＬ１０と、物体側に凸面を向けた正メニスカスレンズＬ１１と、物体側に凸面を向けた負メニスカスレンズＬ１２と、像側に凸面を向けた正メニスカスレンズＬ１３と、両凹負レンズＬ１４と、からなる。ここで、両凹負レンズＬ８と両凸正レンズＬ９とは接合されている。
【０２２１】
第１レンズ群Ｇ１において、物体側レンズ群は、両凸正レンズＬ１と正メニスカスレンズＬ２とで構成されている。また、像側レンズ群は、両凹負レンズＬ３、両凸正レンズＬ４、両凸正レンズＬ５及び両凹負レンズＬ６で構成されている。ここで、物体側レンズ群の全てのレンズは、条件式（１０）を満足するレンズである。像側レンズ群の全てのレンズは、条件式（１３）を満足するレンズである。
【０２２２】
第２レンズ群Ｇ２において、所定のレンズ群は両凹負レンズＬ１４である。
【０２２３】
非球面は、両凹負レンズＬ３の両面と、両凸正レンズＬ７の両面と、両凸正レンズＬ１０の両面と、正メニスカスレンズＬ１３の両面と、両凹負レンズＬ１４の両面との１０面に用いられている。
【０２２４】
次に、実施例４にかかる光学系について説明する。図４（ａ）は実施例４にかかる光学系の光学構成を示す光軸に沿う断面図である。また、図４（ｂ）、（ｃ）、（ｄ）、（ｅ）は、実施例４にかかる光学系の収差図である。
【０２２５】
実施例４の光学系は、図４（ａ）に示すように、物体側より順に、正の屈折力の第１レンズ群Ｇ１と、開口絞りＳと、正の屈折力の第２レンズ群Ｇ２と、を有している。
【０２２６】
第１レンズ群Ｇ１は、両凸正レンズＬ１と、像側に凸面を向けた正メニスカスレンズＬ２と、両凹負レンズＬ３と、両凸正レンズＬ４と、像側に凸面を向けた正メニスカスレンズＬ５と、両凹負レンズＬ６と、からなる。ここで、正メニスカスレンズＬ５と両凹負レンズＬ６とは接合されている。
【０２２７】
第２レンズ群Ｇ２は、両凸正レンズＬ７と、両凹負レンズＬ８と、両凸正レンズＬ９と、両凸正レンズＬ１０と、物体側に凸面を向けた正メニスカスレンズＬ１１と、物体側に凸面を向けた負メニスカスレンズＬ１２と、像側に凸面を向けた正メニスカスレンズＬ１３と、両凹負レンズＬ１４と、からなる。ここで、両凹負レンズＬ８と両凸正レンズＬ９とは接合されている。
【０２２８】
第１レンズ群Ｇ１において、物体側レンズ群は、両凸正レンズＬ１と正メニスカスレンズＬ２とで構成されている。また、像側レンズ群は、両凹負レンズＬ３、両凸正レンズＬ４、正メニスカスレンズＬ５及び両凹負レンズＬ６で構成されている。ここで、物体側レンズ群の全てのレンズは、条件式（１０）を満足するレンズである。像側レンズ群の全てのレンズは、条件式（１３）を満足するレンズである。
【０２２９】
第２レンズ群Ｇ２において、所定のレンズ群は両凹負レンズＬ１４である。
【０２３０】
非球面は、両凹負レンズＬ３の両面と、両凸正レンズＬ７の両面と、両凸正レンズＬ１０の両面と、正メニスカスレンズＬ１３の両面と、両凹負レンズＬ１４の両面との１０面に用いられている。
【０２３１】
次に、実施例５にかかる光学系について説明する。図５（ａ）は実施例５にかかる光学系の光学構成を示す光軸に沿う断面図である。また、図５（ｂ）、（ｃ）、（ｄ）、（ｅ）は、実施例５にかかる光学系の収差図である。
【０２３２】
実施例５の光学系は、図５（ａ）に示すように、物体側より順に、正の屈折力の第１レンズ群Ｇ１と、開口絞りＳと、正の屈折力の第２レンズ群Ｇ２と、を有している。
【０２３３】
第１レンズ群Ｇ１は、両凸正レンズＬ１と、像側に凸面を向けた正メニスカスレンズＬ２と、両凹負レンズＬ３と、両凸正レンズＬ４と、両凸正レンズＬ５と、両凹負レンズＬ６と、からなる。ここで、両凸正レンズＬ５と両凹負レンズＬ６とは接合されている。
【０２３４】
第２レンズ群Ｇ２は、両凸正レンズＬ７と、両凹負レンズＬ８と、両凸正レンズＬ９と、両凸正レンズＬ１０と、物体側に凸面を向けた正メニスカスレンズＬ１１と、物体側に凸面を向けた負メニスカスレンズＬ１２と、像側に凸面を向けた正メニスカスレンズＬ１３と、像側に凸面を向けた負メニスカスレンズＬ１４と、からなる。ここで、両凹負レンズＬ８と両凸正レンズＬ９とは接合されている。
【０２３５】
第１レンズ群Ｇ１において、物体側レンズ群は、両凸正レンズＬ１と正メニスカスレンズＬ２とで構成されている。また、像側レンズ群は、両凹負レンズＬ３、両凸正レンズＬ４、両凸正レンズＬ５及び両凹負レンズＬ６で構成されている。ここで、物体側レンズ群の全てのレンズは、条件式（１０）を満足するレンズである。像側レンズ群の全てのレンズは、条件式（１３）を満足するレンズである。
【０２３６】
第２レンズ群Ｇ２において、所定のレンズ群は負メニスカスレンズＬ１４である。
【０２３７】
非球面は、両凹負レンズＬ３の両面と、両凸正レンズＬ７の両面と、両凸正レンズＬ１０の両面と、正メニスカスレンズＬ１３の両面と、負メニスカスレンズＬ１４の両面との１０面に用いられている。
【０２３８】
次に、実施例６にかかる光学系について説明する。図６（ａ）は実施例６にかかる光学系の光学構成を示す光軸に沿う断面図である。また、図６（ｂ）、（ｃ）、（ｄ）、（ｅ）は、実施例６にかかる光学系の収差図である。
【０２３９】
実施例６の光学系は、図６（ａ）に示すように、物体側より順に、正の屈折力の第１レンズ群Ｇ１と、開口絞りＳと、正の屈折力の第２レンズ群Ｇ２と、を有している。
【０２４０】
第１レンズ群Ｇ１は、両凸正レンズＬ１と、像側に凸面を向けた正メニスカスレンズＬ２と、両凹負レンズＬ３と、両凸正レンズＬ４と、両凸正レンズＬ５と、両凹負レンズＬ６と、からなる。ここで、両凸正レンズＬ５と両凹負レンズＬ６とは接合されている。
【０２４１】
第２レンズ群Ｇ２は、両凸正レンズＬ７と、両凹負レンズＬ８と、物体側に凸面を向けた正メニスカスレンズＬ９と、両凸正レンズＬ１０と、物体側に凸面を向けた正メニスカスレンズＬ１１と、物体側に凸面を向けた負メニスカスレンズＬ１２と、像側に凸面を向けた正メニスカスレンズＬ１３と、像側に凸面を向けた負メニスカスレンズＬ１４と、からなる。ここで、両凹負レンズＬ８と正メニスカスレンズＬ９とは接合されている。
【０２４２】
第１レンズ群Ｇ１において、物体側レンズ群は、両凸正レンズＬ１と正メニスカスレンズＬ２とで構成されている。また、像側レンズ群は、両凹負レンズＬ３、両凸正レンズＬ４、両凸正レンズＬ５及び両凹負レンズＬ６で構成されている。ここで、物体側レンズ群の全てのレンズは、条件式（１０）を満足するレンズである。像側レンズ群の全てのレンズは、条件式（１３）を満足するレンズである。
【０２４３】
第２レンズ群Ｇ２において、所定のレンズ群は負メニスカスレンズＬ１４である。
【０２４４】
非球面は、両凹負レンズＬ３の両面と、両凸正レンズＬ７の両面と、両凸正レンズＬ１０の両面と、正メニスカスレンズＬ１３の両面と、負メニスカスレンズＬ１４の両面との１０面に用いられている。
【０２４５】
次に、実施例７にかかる光学系について説明する。図７（ａ）は実施例７にかかる光学系の光学構成を示す光軸に沿う断面図である。また、図７（ｂ）、（ｃ）、（ｄ）、（ｅ）は、実施例７にかかる光学系の収差図である。
【０２４６】
実施例７の光学系は、図７（ａ）に示すように、物体側より順に、正の屈折力の第１レンズ群Ｇ１と、開口絞りＳと、正の屈折力の第２レンズ群Ｇ２と、を有している。
【０２４７】
第１レンズ群Ｇ１は、両凸正レンズＬ１と、像側に凸面を向けた正メニスカスレンズＬ２と、両凹負レンズＬ３と、両凸正レンズＬ４と、両凸正レンズＬ５と、両凹負レンズＬ６と、からなる。ここで、両凸正レンズＬ５と両凹負レンズＬ６とは接合されている。
【０２４８】
第２レンズ群Ｇ２は、両凸正レンズＬ７と、両凹負レンズＬ８と、物体側に凸面を向けた正メニスカスレンズＬ９と、両凸正レンズＬ１０と、物体側に凸面を向けた正メニスカスレンズＬ１１と、物体側に凸面を向けた負メニスカスレンズＬ１２と、像側に凸面を向けた正メニスカスレンズＬ１３と、像側に凸面を向けた負メニスカスレンズＬ１４と、からなる。ここで、両凹負レンズＬ８と正メニスカスレンズＬ９とは接合されている。
【０２４９】
第１レンズ群Ｇ１において、物体側レンズ群は、両凸正レンズＬ１と正メニスカスレンズＬ２とで構成されている。また、像側レンズ群は、両凹負レンズＬ３、両凸正レンズＬ４、両凸正レンズＬ５及び両凹負レンズＬ６で構成されている。ここで、物体側レンズ群の全てのレンズは、条件式（１０）を満足するレンズである。像側レンズ群の全てのレンズは、条件式（１３）を満足するレンズである。
【０２５０】
第２レンズ群Ｇ２において、所定のレンズ群は負メニスカスレンズＬ１４である。
【０２５１】
非球面は、両凹負レンズＬ３の両面と、両凸正レンズＬ７の両面と、両凸正レンズＬ１０の両面と、正メニスカスレンズＬ１３の両面と、負メニスカスレンズＬ１４の両面との１０面に用いられている。
【０２５２】
次に、実施例８にかかる光学系について説明する。図８（ａ）は実施例８にかかる光学系の光学構成を示す光軸に沿う断面図である。また、図８（ｂ）、（ｃ）、（ｄ）、（ｅ）は、実施例８にかかる光学系の収差図である。
【０２５３】
実施例８の光学系は、図８（ａ）に示すように、物体側より順に、正の屈折力の第１レンズ群Ｇ１と、開口絞りＳと、正の屈折力の第２レンズ群Ｇ２と、を有している。
【０２５４】
第１レンズ群Ｇ１は、両凸正レンズＬ１と、両凸正レンズＬ２と、両凹負レンズＬ３と、両凸正レンズＬ４と、像側に凸面を向けた正メニスカスレンズＬ５と、両凹負レンズＬ６と、からなる。ここで、正メニスカスレンズＬ５と両凹負レンズＬ６とは接合されている。
【０２５５】
第２レンズ群Ｇ２は、両凸正レンズＬ７と、両凹負レンズＬ８と、両凸正レンズＬ９と、両凸正レンズＬ１０と、物体側に凸面を向けた正メニスカスレンズＬ１１と、物体側に凸面を向けた負メニスカスレンズＬ１２と、像側に凸面を向けた負メニスカスレンズＬ１３と、両凹負レンズＬ１４と、からなる。ここで、両凹負レンズＬ８と両凸正レンズＬ９とは接合されている。
【０２５６】
第１レンズ群Ｇ１において、物体側レンズ群は、両凸正レンズＬ１と両凸正レンズＬ２とで構成されている。また、像側レンズ群は、両凹負レンズＬ３、両凸正レンズＬ４、正メニスカスレンズＬ５及び両凹負レンズＬ６で構成されている。ここで、物体側レンズ群の全てのレンズは、条件式（１０）を満足するレンズである。像側レンズ群の全てのレンズは、条件式（１３）を満足するレンズである。
【０２５７】
第２レンズ群Ｇ２において、所定のレンズ群は、負メニスカスレンズＬ１３と両凹負レンズＬ１４である。
【０２５８】
非球面は、両凹負レンズＬ３の両面と、両凸正レンズＬ７の両面と、両凸正レンズＬ１０の両面と、負メニスカスレンズＬ１３の両面と、両凹負レンズＬ１４の両面との１０面に用いられている。
【０２５９】
次に、実施例９にかかる光学系について説明する。図９（ａ）は実施例９にかかる光学系の光学構成を示す光軸に沿う断面図である。また、図９（ｂ）、（ｃ）、（ｄ）、（ｅ）は、実施例９にかかる光学系の収差図である。
【０２６０】
実施例９の光学系は、図９（ａ）に示すように、物体側より順に、正の屈折力の第１レンズ群Ｇ１と、開口絞りＳと、正の屈折力の第２レンズ群Ｇ２と、を有している。
【０２６１】
第１レンズ群Ｇ１は、物体側に凸面を向けた正メニスカスレンズＬ１と、物体側に凸面を向けた正メニスカスレンズＬ２と、両凹負レンズＬ３と、両凸正レンズＬ４と、像側に凸面を向けた正メニスカスレンズＬ５と、両凹負レンズＬ６と、からなる。ここで、正メニスカスレンズＬ５と両凹負レンズＬ６とは接合されている。
【０２６２】
第２レンズ群Ｇ２は、両凸正レンズＬ７と、両凹負レンズＬ８と、両凸正レンズＬ９と、物体側に凸面を向けた正メニスカスレンズＬ１０と、物体側に凸面を向けた負メニスカスレンズＬ１１と、物体側に凸面を向けた正メニスカスレンズＬ１２と、像側に凸面を向けた正メニスカスレンズＬ１３と、両凹負レンズＬ１４と、からなる。ここで、両凹負レンズＬ８と両凸正レンズＬ９とは接合されている。
【０２６３】
第１レンズ群Ｇ１において、物体側レンズ群は、正メニスカスレンズＬ１と正メニスカスレンズＬ２とで構成されている。また、像側レンズ群は、両凹負レンズＬ３、両凸正レンズＬ４、正メニスカスレンズＬ５及び両凹負レンズＬ６で構成されている。ここで、物体側レンズ群の全てのレンズは、条件式（１０）を満足するレンズである。像側レンズ群の全てのレンズは、条件式（１３）を満足するレンズである。
【０２６４】
第２レンズ群Ｇ２において、所定のレンズ群は両凹負レンズＬ１４である。
【０２６５】
非球面は、両凹負レンズＬ３の両面と、両凸正レンズＬ７の両面と、正メニスカスレンズＬ１０の両面と、正メニスカスレンズＬ１３の両面と、両凹負レンズＬ１４の両面との１０面に用いられている。
【０２６６】
次に、実施例１０にかかる光学系について説明する。図１０（ａ）は実施例１０にかかる光学系の光学構成を示す光軸に沿う断面図である。また、図１０（ｂ）、（ｃ）、（ｄ）、（ｅ）は、実施例１０にかかる光学系の収差図である。
【０２６７】
実施例１０の光学系は、図１０（ａ）に示すように、物体側より順に、正の屈折力の第１レンズ群Ｇ１と、開口絞りＳと、正の屈折力の第２レンズ群Ｇ２と、を有している。
【０２６８】
第１レンズ群Ｇ１は、両凸正レンズＬ１と、両凸正レンズＬ２と、物体側に凸面を向けた負メニスカスレンズＬ３と、両凹負レンズＬ４と、両凸正レンズＬ５と、両凸正レンズＬ６と、両凹負レンズＬ７と、からなる。ここで、両凸正レンズＬ６と両凹負レンズＬ７とは接合されている。
【０２６９】
第２レンズ群Ｇ２は、両凸正レンズＬ８と、両凹負レンズＬ９と、両凸正レンズＬ１０と、プリズムＬ１１と、両凸正レンズＬ１２と、物体側に凸面を向けた負メニスカスレンズＬ１３と、像側に凸面を向けた正メニスカスレンズＬ１４と、両凹負レンズＬ１５と、からなる。ここで、両凹負レンズＬ９と両凸正レンズＬ１０とは接合されている。
【０２７０】
第１レンズ群Ｇ１において、物体側レンズ群は、両凸正レンズＬ１と両凸正レンズＬ２とで構成されている。また、像側レンズ群は、負メニスカスレンズＬ３、両凹負レンズＬ４、両凸正レンズＬ５、両凸正レンズＬ６及び両凹負レンズＬ７で構成されている。ここで、物体側レンズ群の全てのレンズは、条件式（１０）を満足するレンズである。像側レンズ群の全てのレンズは、条件式（１３）を満足するレンズである。
【０２７１】
第２レンズ群Ｇ２において、所定のレンズ群は両凹負レンズＬ１５である。
【０２７２】
非球面は、両凹負レンズＬ４の両面と、両凸正レンズＬ８の両面と、両凸正レンズＬ１２の両面と、正メニスカスレンズＬ１４の両面と、両凹負レンズＬ１５の両面との１０面に用いられている。
【０２７３】
次に、実施例１１にかかる光学系について説明する。図１１（ａ）は実施例１１にかかる光学系の光学構成を示す光軸に沿う断面図である。また、図１１（ｂ）、（ｃ）、（ｄ）、（ｅ）は、実施例１１にかかる光学系の収差図である。
【０２７４】
実施例１１の光学系は、図１１（ａ）に示すように、物体側より順に、正の屈折力の第１レンズ群Ｇ１と、開口絞りＳと、正の屈折力の第２レンズ群Ｇ２と、を有している。
【０２７５】
第１レンズ群Ｇ１は、両凸正レンズＬ１と、両凸正レンズＬ２と、物体側に凸面を向けた負メニスカスレンズＬ３と、両凹負レンズＬ４と、両凸正レンズＬ５と、両凸正レンズＬ６と、両凹負レンズＬ７と、からなる。ここで、両凸正レンズＬ６と両凹負レンズＬ７とは接合されている。
【０２７６】
第２レンズ群Ｇ２は、両凸正レンズＬ８と、両凹負レンズＬ９と、両凸正レンズＬ１０と、プリズムＬ１１と、両凸正レンズＬ１２と、物体側に凸面を向けた負メニスカスレンズＬ１３と、両凸正レンズＬ１４と、両凹負レンズＬ１５と、からなる。ここで、両凹負レンズＬ９と両凸正レンズＬ１０とは接合されている。
【０２７７】
第１レンズ群Ｇ１において、物体側レンズ群は、両凸正レンズＬ１と両凸正レンズＬ２とで構成されている。また、像側レンズ群は、負メニスカスレンズＬ３、両凹負レンズＬ４、両凸正レンズＬ５、両凸正レンズＬ６及び両凹負レンズＬ７で構成されている。ここで、物体側レンズ群の全てのレンズは、条件式（１０）を満足するレンズである。像側レンズ群の全てのレンズは、条件式（１３）を満足するレンズである。
【０２７８】
第２レンズ群Ｇ２において、所定のレンズ群は両凹負レンズＬ１５である。
【０２７９】
非球面は、両凹負レンズＬ４の両面と、両凸正レンズＬ８の両面と、両凸正レンズＬ１２の両面と、両凸正レンズＬ１４の両面と、両凹負レンズＬ１５の両面との１０面に用いられている。
【０２８０】
次に、実施例１２にかかる光学系について説明する。図１２（ａ）は実施例１２にかかる光学系の光学構成を示す光軸に沿う断面図である。また、図１２（ｂ）、（ｃ）、（ｄ）、（ｅ）は、実施例１２にかかる光学系の収差図である。
【０２８１】
実施例１２の光学系は、図１２（ａ）に示すように、物体側より順に、正の屈折力の第１レンズ群Ｇ１と、開口絞りＳと、正の屈折力の第２レンズ群Ｇ２と、を有している。
【０２８２】
第１レンズ群Ｇ１は、両凸正レンズＬ１と、両凸正レンズＬ２と、物体側に凸面を向けた負メニスカスレンズＬ３と、両凹負レンズＬ４と、両凸正レンズＬ５と、像側に凸面を向けた正メニスカスレンズＬ６と、両凹負レンズＬ７と、からなる。ここで、正メニスカスレンズＬ６と両凹負レンズＬ７とは接合されている。
【０２８３】
第２レンズ群Ｇ２は、両凸正レンズＬ８と、両凹負レンズＬ９と、両凸正レンズＬ１０と、プリズムＬ１１と、両凸正レンズＬ１２と、物体側に凸面を向けた負メニスカスレンズＬ１３と、両凸正レンズＬ１４と、両凹負レンズＬ１５と、からなる。ここで、両凹負レンズＬ９と両凸正レンズＬ１０とは接合されている。
【０２８４】
第１レンズ群Ｇ１において、物体側レンズ群は、両凸正レンズＬ１と両凸正レンズＬ２とで構成されている。また、像側レンズ群は、負メニスカスレンズＬ３、両凹負レンズＬ４、両凸正レンズＬ５、正メニスカスレンズＬ６及び両凹負レンズＬ７で構成されている。ここで、物体側レンズ群の全てのレンズは、条件式（１０）を満足するレンズである。像側レンズ群の全てのレンズは、条件式（１３）を満足するレンズである。
【０２８５】
第２レンズ群Ｇ２において、所定のレンズ群は両凹負レンズＬ１５である。
【０２８６】
非球面は、両凹負レンズＬ４の両面と、両凸正レンズＬ８の両面と、両凸正レンズＬ１２の両面と、両凸正レンズＬ１４の両面と、両凹負レンズＬ１５の両面との１０面に用いられている。
【０２８７】
次に、実施例１３にかかる光学系について説明する。図１３（ａ）は実施例１３にかかる光学系の光学構成を示す光軸に沿う断面図である。また、図１３（ｂ）、（ｃ）、（ｄ）、（ｅ）は、実施例１３にかかる光学系の収差図である。
【０２８８】
実施例１３の光学系は、図１３（ａ）に示すように、物体側より順に、正の屈折力の第１レンズ群Ｇ１と、開口絞りＳと、正の屈折力の第２レンズ群Ｇ２と、を有している。
【０２８９】
第１レンズ群Ｇ１は、両凸正レンズＬ１と、物体側に凸面を向けた正メニスカスレンズＬ２と、物体側に凸面を向けた負メニスカスレンズＬ３と、両凸正レンズＬ４と、物体側に凸面を向けた負メニスカスレンズＬ５と、からなる。
【０２９０】
第２レンズ群Ｇ２は、像側に凸面を向けた正メニスカスレンズＬ６と、両凹負レンズＬ７と、両凸正レンズＬ８と、両凸正レンズＬ９と、物体側に凸面を向けた負メニスカスレンズＬ１０と、像側に凸面を向けた正メニスカスレンズＬ１１と、物体側に凸面を向けた負メニスカスレンズＬ１２と、からなる。ここで、両凹負レンズＬ７と両凸正レンズＬ８とは接合されている。
【０２９１】
第１レンズ群Ｇ１において、物体側レンズ群は、両凸正レンズＬ１と正メニスカスレンズＬ２とで構成されている。また、像側レンズ群は、負メニスカスレンズＬ３、両凸正レンズＬ４及び負メニスカスレンズＬ５で構成されている。ここで、物体側レンズ群の全てのレンズは、条件式（１０）を満足するレンズである。像側レンズ群の全てのレンズは、条件式（１３）を満足するレンズである。
【０２９２】
第２レンズ群Ｇ２において、所定のレンズ群は負メニスカスレンズＬ１２である。
【０２９３】
非球面は、両凸正レンズＬ４の両面と、正メニスカスレンズＬ６の両面と、両凸正レンズＬ９の両面と、正メニスカスレンズＬ１１の両面と、負メニスカスレンズＬ１２の両面との１０面に用いられている。
【０２９４】
次に、実施例１４にかかる光学系について説明する。図１４（ａ）は実施例１４にかかる光学系の光学構成を示す光軸に沿う断面図である。また、図１４（ｂ）、（ｃ）、（ｄ）、（ｅ）は、実施例１４にかかる光学系の収差図である。
【０２９５】
実施例１４の光学系は、図１４（ａ）に示すように、物体側より順に、負の屈折力の第１レンズ群Ｇ１と、開口絞りＳと、正の屈折力の第２レンズ群Ｇ２と、を有している。
【０２９６】
第１レンズ群Ｇ１は、平凸正レンズＬ１と、物体側に凸面を向けた正メニスカスレンズＬ２と、物体側に凸面を向けた負メニスカスレンズＬ３と、像側に凸面を向けた正メニスカスレンズＬ４と、物体側に凸面を向けた負メニスカスレンズＬ５と、からなる。
【０２９７】
第２レンズ群Ｇ２は、像側に凸面を向けた正メニスカスレンズＬ６と、両凹負レンズＬ７と、両凸正レンズＬ８と、両凸正レンズＬ９と、物体側に凸面を向けた負メニスカスレンズＬ１０と、両凸正レンズＬ１１と、物体側に凸面を向けた正メニスカスレンズＬ１２と、からなる。ここで、両凹負レンズＬ７と両凸正レンズＬ８とは接合されている。
【０２９８】
第１レンズ群Ｇ１において、物体側レンズ群は、平凸正レンズＬ１と正メニスカスレンズＬ２とで構成されている。また、像側レンズ群は、負メニスカスレンズＬ３、正メニスカスレンズＬ４及び負メニスカスレンズＬ５で構成されている。ここで、物体側レンズ群の全てのレンズは、条件式（１０）を満足するレンズである。像側レンズ群の全てのレンズは、条件式（１３）を満足するレンズである。
【０２９９】
非球面は、正メニスカスレンズＬ４の両面と、正メニスカスレンズＬ６の両面と、両凸正レンズＬ９の両面と、両凸正レンズＬ１１の両面と、負メニスカスレンズＬ１２の両面との１０面に用いられている。
【０３００】
次に、実施例１５にかかる光学系について説明する。図１５（ａ）は実施例１５にかかる光学系の光学構成を示す光軸に沿う断面図である。また、図１５（ｂ）、（ｃ）、（ｄ）、（ｅ）は、実施例１５にかかる光学系の収差図である。
【０３０１】
実施例１５の光学系は、図１５（ａ）に示すように、物体側より順に、負の屈折力の第１レンズ群Ｇ１と、開口絞りＳと、正の屈折力の第２レンズ群Ｇ２と、を有している。
【０３０２】
第１レンズ群Ｇ１は、両凸正レンズＬ１と、物体側に凸面を向けた正メニスカスレンズＬ２と、物体側に凸面を向けた負メニスカスレンズＬ３と、像側に凸面を向けた正メニスカスレンズＬ４と、物体側に凸面を向けた負メニスカスレンズＬ５と、からなる。
【０３０３】
第２レンズ群Ｇ２は、両凸正レンズＬ６と、両凹負レンズＬ７と、両凸正レンズＬ８と、物体側に凸面を向けた正メニスカスレンズＬ９と、物体側に凸面を向けた正メニスカスレンズＬ１０と、像側に凸面を向けた負メニスカスレンズＬ１１と、物体側に凸面を向けた負メニスカスレンズＬ１２と、からなる。ここで、両凹負レンズＬ７と両凸正レンズＬ８とは接合されている。
【０３０４】
第１レンズ群Ｇ１において、物体側レンズ群は、両凸正レンズＬ１と正メニスカスレンズＬ２とで構成されている。また、像側レンズ群は、負メニスカスレンズＬ３、正メニスカスレンズＬ４及び負メニスカスレンズＬ５で構成されている。ここで、物体側レンズ群の全てのレンズは、条件式（１０）を満足するレンズである。像側レンズ群の全てのレンズは、条件式（１３）を満足するレンズである。
【０３０５】
第２レンズ群Ｇ２において、所定のレンズ群は、負メニスカスレンズＬ１１と負メニスカスレンズＬ１２である。
【０３０６】
非球面は、負メニスカスレンズＬ３の物体側面と、正メニスカスレンズＬ４の両面と、両凸正レンズＬ６の両面と、正メニスカスレンズＬ９の両面と、負メニスカスレンズＬ１１の両面と、負メニスカスレンズＬ１２の両面との１１面に用いられている。
【０３０７】
次に、実施例１６にかかる光学系について説明する。図１６（ａ）は実施例１６にかかる光学系の光学構成を示す光軸に沿う断面図である。また、図１６（ｂ）、（ｃ）、（ｄ）、（ｅ）は、実施例１６にかかる光学系の収差図である。
【０３０８】
実施例１６の光学系は、図１６（ａ）に示すように、物体側より順に、正の屈折力の第１レンズ群Ｇ１と、開口絞りＳと、正の屈折力の第２レンズ群Ｇ２と、を有している。
【０３０９】
第１レンズ群Ｇ１は、両凸正レンズＬ１と、両凹負レンズＬ２と、両凸正レンズＬ３と、両凸正レンズＬ４と、物体側に凸面を向けた正メニスカスレンズＬ５と、物体側に凸面を向けた負メニスカスレンズＬ６と、からなる。ここで、正メニスカスレンズＬ５と負メニスカスレンズＬ６とは接合されている。
【０３１０】
第２レンズ群Ｇ２は、両凹負レンズＬ７と、物体側に凸面を向けた正メニスカスレンズＬ８と、両凸正レンズＬ９と、物体側に凸面を向けた正メニスカスレンズＬ１０と、両凸正レンズＬ１１と、両凹負レンズＬ１２と、両凹負レンズＬ１３と、からなる。ここで、両凹負レンズＬ７と正メニスカスレンズＬ８とは接合されている。
【０３１１】
第２レンズ群Ｇ２において、所定のレンズ群は、両凹負レンズＬ１２と両凹負レンズＬ１３である。
【０３１２】
非球面は、両凸正レンズＬ１の像側面と、両凹負レンズＬ２の両面と、両凸正レンズＬ３の物体側面と、両凸正レンズＬ４の像側面と、両凸正レンズＬ９の両面と、正メニスカスレンズＬ１０の両面と、両凸正レンズＬ１１の両面と、両凹負レンズＬ１２の両面と、両凹負レンズＬ１３の両面との１５面に用いられている。
【０３１３】
次に、実施例１７にかかる光学系について説明する。図１７（ａ）は実施例１７にかかる光学系の光学構成を示す光軸に沿う断面図である。また、図１７（ｂ）、（ｃ）、（ｄ）、（ｅ）は、実施例１７にかかる光学系の収差図である。
【０３１４】
実施例１７の光学系は、図１７（ａ）に示すように、物体側より順に、正の屈折力の第１レンズ群Ｇ１と、開口絞りＳと、負の屈折力の第２レンズ群Ｇ２と、を有している。
【０３１５】
第１レンズ群Ｇ１は、両凸正レンズＬ１と、像側に凸面を向けた正メニスカスレンズＬ２と、両凹負レンズＬ３と、両凸正レンズＬ４と、両凸正レンズＬ５と、両凹負レンズＬ６と、からなる。ここで、両凸正レンズＬ５と両凹負レンズＬ６とは接合されている。
【０３１６】
第２レンズ群Ｇ２は、両凹負レンズＬ７と、両凸正レンズＬ８と、プリズムＬ９と、両凸正レンズＬ１０と、両凹負レンズＬ１１と、両凹負レンズＬ１２と、からなる。
【０３１７】
第２レンズ群Ｇ２において、所定のレンズ群は、両凹負レンズＬ１１と両凹負レンズＬ１２である。
【０３１８】
非球面は、両凸正レンズＬ４の像側面と、両凹負レンズＬ７の像側面と、両凸正レンズＬ８の両面と、両凸正レンズＬ１０の両面と、両凹負レンズＬ１１の両面と、両凹負レンズＬ１２の両面との１０面に用いられている。
【０３１９】
次に、実施例１８にかかる光学系について説明する。図１８（ａ）は実施例１８にかかる光学系の光学構成を示す光軸に沿う断面図である。また、図１８（ｂ）、（ｃ）、（ｄ）、（ｅ）は、実施例１８にかかる光学系の収差図である。
【０３２０】
実施例１８の光学系は、図１８（ａ）に示すように、物体側より順に、正の屈折力の第１レンズ群Ｇ１と、開口絞りＳと、負の屈折力の第２レンズ群Ｇ２と、を有している。
【０３２１】
第１レンズ群Ｇ１は、物体側に凸面を向けた正メニスカスレンズＬ１と、両凸正レンズＬ２と、両凹負レンズＬ３と、両凸正レンズＬ４と、両凸正レンズＬ５と、両凹負レンズＬ６と、からなる。ここで、両凸正レンズＬ５と両凹負レンズＬ６とは接合されている。
【０３２２】
第２レンズ群Ｇ２は、両凹負レンズＬ７と、両凸正レンズＬ８と、プリズムＬ９と、両凸正レンズＬ１０と、両凹負レンズＬ１１と、両凹負レンズＬ１２と、からなる。
【０３２３】
第２レンズ群Ｇ２において、所定のレンズ群は、両凹負レンズＬ１１と両凹負レンズＬ１２である。
【０３２４】
非球面は、両凸正レンズＬ４の像側面と、両凹負レンズＬ７の像側面と、両凸正レンズＬ８の両面と、両凸正レンズＬ１０の両面と、両凹負レンズＬ１１の両面と、両凹負レンズＬ１２の両面との１０面に用いられている。
【０３２５】
次に、実施例１９にかかる光学系について説明する。図１９（ａ）は実施例１９にかかる光学系の光学構成を示す光軸に沿う断面図である。また、図１９（ｂ）、（ｃ）、（ｄ）、（ｅ）は、実施例１９にかかる光学系の収差図である。
【０３２６】
実施例１９の光学系は、図１９（ａ）に示すように、物体側より順に、正の屈折力の第１レンズ群Ｇ１と、開口絞りＳと、負の屈折力の第２レンズ群Ｇ２と、を有している。
【０３２７】
第１レンズ群Ｇ１は、物体側に凸面を向けた正メニスカスレンズＬ１と、両凸正レンズＬ２と、両凹負レンズＬ３と、両凸正レンズＬ４と、両凸正レンズＬ５と、両凹負レンズＬ６と、からなる。ここで、両凸正レンズＬ５と両凹負レンズＬ６とは接合されている。
【０３２８】
第２レンズ群Ｇ２は、両凹負レンズＬ７と、両凸正レンズＬ８と、プリズムＬ９と、両凸正レンズＬ１０と、両凹負レンズＬ１１と、両凹負レンズＬ１２と、からなる。
【０３２９】
第２レンズ群Ｇ２において、所定のレンズ群は、両凹負レンズＬ１１と両凹負レンズＬ１２である。
【０３３０】
非球面は、両凸正レンズＬ４の像側面と、両凹負レンズＬ７の像側面と、両凸正レンズＬ８の両面と、両凸正レンズＬ１０の両面と、両凹負レンズＬ１１の両面と、両凹負レンズＬ１２の両面との１０面に用いられている。
【０３３１】
次に、実施例２０にかかる光学系について説明する。図２０（ａ）は実施例２０にかかる光学系の光学構成を示す光軸に沿う断面図である。また、図２０（ｂ）、（ｃ）、（ｄ）、（ｅ）は、実施例２０にかかる光学系の収差図である。
【０３３２】
実施例２０の光学系は、図２０（ａ）に示すように、物体側より順に、正の屈折力の第１レンズ群Ｇ１と、開口絞りＳと、正の屈折力の第２レンズ群Ｇ２と、を有している。
【０３３３】
第１レンズ群Ｇ１は、像側に凸面を向けた正メニスカスレンズＬ１と、両凸正レンズＬ２と、両凹負レンズＬ３と、両凸正レンズＬ４と、両凸正レンズＬ５と、両凸正レンズＬ６と、両凹負レンズＬ７と、からなる。ここで、両凸正レンズＬ６と両凹負レンズＬ７とは接合されている。
【０３３４】
第２レンズ群Ｇ２は、両凹負レンズＬ８と、両凸正レンズＬ９と、像側に凸面を向けた正メニスカスレンズＬ１０と、像側に凸面を向けた正メニスカスレンズＬ１１と、両凸正レンズＬ１２と、物体側に凸面を向けた負メニスカスレンズＬ１３と、両凹負レンズＬ１４と、からなる。ここで、両凹負レンズＬ８と両凸正レンズＬ９とは接合されている。
【０３３５】
第２レンズ群Ｇ２において、所定のレンズ群は、負メニスカスレンズＬ１３と両凹負レンズＬ１４である。
【０３３６】
非球面は、両凸正レンズＬ４の物体側面と、両凹負レンズＬ５の像側面と、正メニスカスレンズＬ１０の両面と、正メニスカスレンズＬ１１の両面と、両凸正レンズＬ１２の両面と、負メニスカスレンズＬ１３の両面と、両凹負レンズＬ１４の両面との１２面に用いられている。
【０３３７】
次に、実施例２１にかかる光学系について説明する。図２１（ａ）は実施例２１にかかる光学系の光学構成を示す光軸に沿う断面図である。また、図２１（ｂ）、（ｃ）、（ｄ）、（ｅ）は、実施例２１にかかる光学系の収差図である。
【０３３８】
実施例２１の光学系は、図２１（ａ）に示すように、物体側より順に、正の屈折力の第１レンズ群Ｇ１と、開口絞りＳと、正の屈折力の第２レンズ群Ｇ２と、を有している。
【０３３９】
第１レンズ群Ｇ１は、物体側に凸面を向けた負メニスカスレンズＬ１と、物体側に凸面を向けた正メニスカスレンズＬ２と、両凸正レンズＬ３と、両凸正レンズＬ４と、両凹負レンズＬ５と、からなる。ここで、負メニスカスレンズＬ１と、正メニスカスレンズＬ２とは接合されている。また、両凸正レンズＬ４と両凹負レンズＬ５とは接合されている。
【０３４０】
第２レンズ群Ｇ２は、両凹負レンズＬ６と、両凸正レンズＬ７と、両凸正レンズＬ８と、両凸正レンズＬ９と、両凹負レンズＬ１０と、両凹負レンズＬ１１と、からなる。ここで、両凹負レンズＬ６と両凸正レンズＬ７とは接合されている。
【０３４１】
第２レンズ群Ｇ２において、所定のレンズ群は、両凹負レンズＬ１０と両凹負レンズＬ１１である。
【０３４２】
非球面は、両凸正レンズＬ３の像側面と、両凸正レンズＬ８の両面と、両凹負レンズＬ１１の両面との５面に用いられている。
【０３４３】
次に、実施例２２にかかる光学系について説明する。図２２（ａ）は実施例２２にかかる光学系の光学構成を示す光軸に沿う断面図である。また、図２２（ｂ）、（ｃ）、（ｄ）、（ｅ）は、実施例２２にかかる光学系の収差図である。
【０３４４】
実施例２２の光学系は、図２２（ａ）に示すように、物体側より順に、正の屈折力の第１レンズ群Ｇ１と、開口絞りＳと、正の屈折力の第２レンズ群Ｇ２と、を有している。
【０３４５】
第１レンズ群Ｇ１は、両凸正レンズＬ１と、両凸正レンズＬ２と、両凸正レンズＬ３と、両凹負レンズＬ４と、からなる。ここで、両凸正レンズＬ３と両凹負レンズＬ４とは接合されている。
【０３４６】
第２レンズ群Ｇ２は、両凹負レンズＬ５と、両凸正レンズＬ６と、両凸正レンズＬ７と、両凸正レンズＬ８と、像側に凸面を向けた正メニスカスレンズＬ９と、両凹負レンズＬ１０と、からなる。ここで、両凹負レンズＬ５と両凸正レンズＬ６とは接合されている。
【０３４７】
第２レンズ群Ｇ２において、所定のレンズ群は両凹負レンズＬ１０である。
【０３４８】
非球面は、両凸正レンズＬ２の像側面と、両凸正レンズＬ７の両面と、両凹負レンズＬ９の像側面と、両凹負レンズＬ１０の両面との６面に用いられている。
【０３４９】
次に、上記各実施例の光学系を構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、φは有効径（直径）、＊印は非球面、ＮＡは物体側の開口数、βは倍率、ｆは光学系全系の焦点距離、ＩＨは像高、ｆｂはバックフォーカスを示している。なお、全長は、レンズ最前面からレンズ最終面までの距離にバックフォーカスを加えたものである。バックフォーカスは、レンズ最終面から近軸像面までの距離を空気換算して表したものである。
【０３５０】
また、非球面形状は、光軸方向をｚ、光軸に直交する方向をｙにとり、円錐係数をｋ、非球面係数をＡ４、Ａ６、Ａ８、Ａ１０、Ａ１２、Ａ１４としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋Ａ１４ｙ14
また、Ｅ又はｅは１０のべき乗を表している。なお、これら諸元値の記号は後述の実施例の数値データにおいても共通である。
【０３５１】
数値実施例１
単位  ｍｍ
面データ
面番号        r          d         nd        νd       φ
1      290.230     16.85     1.91082    35.25    101.49
2     -286.471      1.50                         100.17
3    -4871.735      9.90     1.91082    35.25     96.21
4     -219.148     41.06                          94.52
5*     -41.687      1.50     1.58360    30.33     38.74
6*      46.368      8.17                          35.85
7       44.400      9.66     1.49700    81.61     37.43
8      -55.892     15.38                          37.00
9     -323.128      4.44     1.84666    23.78     24.42
10      -32.362      1.50     1.72047    34.71     23.64
11       53.552      1.68                          21.65
12（絞り） ∞       -1.32                          21.42
13*      30.518      6.58     1.53366    55.96     22.47
14*     -27.831      0.18                          23.38
15      -33.267      1.50     1.72047    34.71     23.47
16       46.956      5.22     1.61800    63.33     25.94
17      -83.952      4.32                          27.14
18*      47.816      6.84     1.49700    81.61     32.72
19*     -87.060      0.62                          32.97
20       27.830      5.99     1.72000    43.69     33.20
21       70.475      1.26                          31.87
22       78.102      1.67     1.58313    59.38     31.22
23       18.075     11.55                          27.59
24*     -49.380      4.50     1.53366    55.96     28.28
25*     -32.783     10.93                          30.64
26*     -26.910      5.00     1.53366    55.96     34.05
27*     104.671      2.50                          41.03
28         ∞        0.30     1.51633    64.14     42.98
29         ∞        0.70
像面         ∞
非球面データ
第５面
k=-1.000
A4=2.57780e-06,A6=-3.39251e-09
第６面
k=-5.402
A4=1.40958e-05,A6=-5.92552e-09
第１３面
k=0.000
A4=-5.14399e-06,A6=7.68320e-09
第１４面
k=0.357
A4=1.27446e-05,A6=8.18251e-09
第１８面
k=-1.248
A4=3.36805e-06,A6=3.20443e-09
第１９面
k=-7.306
A4=-5.23660e-06,A6=1.75914e-08
第２４面
k=-1.685
A4=-4.14372e-05
第２５面
k=0.000
A4=-2.49691e-05
第２６面
k=0.345
A4=5.54883e-07,A6=2.92551e-09
第２７面
k=0.000
A4=-2.24294e-05,A6=6.07817e-09,A8=-3.27821e-11
各種データ
ＮＡ                    0.09
β                     -0.43
ｆ                     44.83
ＩＨ(mm)               21.67
ｆｂ(mm) (in air)       3.41
全長(mm) (in air)     179.90
【０３５２】
数値実施例２
単位  ｍｍ
面データ
面番号        r          d         nd        νd       φ
1      377.433     16.86     1.91082    35.25    102.33
2     -237.980      2.98                         101.38
3    -1694.134      9.85     1.91082    35.25     96.03
4     -202.477     39.72                          94.47
5*     -42.627      1.50     1.58360    30.33     40.11
6*      45.039      7.96                          36.78
7       43.331      9.99     1.49700    81.61     38.73
8      -56.813     17.24                          38.38
9     -361.698      4.32     1.84666    23.78     24.55
10      -33.358      1.50     1.72047    34.71     23.80
11       52.546      1.73                          21.83
12（絞り） ∞       -1.44                          21.59
13*      29.222      6.56     1.53366    55.96     22.69
14*     -29.001      0.14                          23.52
15      -35.383      1.50     1.72047    34.71     23.61
16       43.110      5.04     1.61800    63.33     25.95
17     -105.508      3.04                          27.04
18*      46.444      6.28     1.49700    81.61     31.53
19*     -95.376      0.66                          31.82
20       26.957      5.94     1.72000    43.69     32.38
21       74.146      1.26                          31.17
22       80.705      1.67     1.58313    59.38     30.49
23       17.871     11.59                          27.00
24*     -54.446      4.50     1.53366    55.96     28.06
25*     -35.275     10.96                          30.32
26*     -23.921      5.00     1.53366    55.96     33.47
27*     189.880      2.65                          40.65
28         ∞        0.30     1.51633    64.14     42.94
29         ∞        0.70
像面         ∞
非球面データ
第５面
k=-1.000
A4=2.75959e-06,A6=-2.04244e-09
第６面
k=-4.080
A4=1.32287e-05,A6=-1.86495e-09
第１３面
k=0.000
A4=-5.34344e-06,A6=6.00899e-09
第１４面
k=0.114
A4=1.07687e-05,A6=1.85906e-09
第１８面
k=-1.062
A4=3.56994e-06,A6=-1.22920e-09
第１９面
k=-16.180
A4=-4.68878e-06,A6=1.38740e-08
第２４面
k=4.377
A4=-2.82666e-05
第２５面
k=0.000
A4=-1.92952e-05
第２６面
k=0.410
A4=9.98299e-06,A6=6.95543e-09
第２７面
k=0.000
A4=-2.11662e-05,A6=1.18435e-08,A8=-5.36504e-11
各種データ
ＮＡ                    0.09
β                     -0.43
ｆ                     44.32
ＩＨ(mm)               21.68
ｆｂ(mm) (in air)       3.55
全長(mm) (in air)     179.90
【０３５３】
数値実施例３
単位  ｍｍ
面データ
面番号        r          d         nd        νd       φ
1      785.203     17.18     1.73077    40.51    104.37
2     -184.196      1.93                         104.16
3    -2678.237     12.98     1.62041    60.29     99.57
4     -145.494     50.67                          98.12
5*     -30.827      1.51     1.58360    30.33     34.31
6*      95.512      7.59                          32.23
7       53.150      7.49     1.49700    81.61     33.12
8      -52.675      8.62                          32.81
9      146.229      4.61     1.84666    23.78     25.90
10      -47.030      1.50     1.72047    34.71     24.98
11       38.883      2.25                          22.68
12（絞り） ∞       -1.67                          22.47
13*      27.718      6.80     1.53366    55.96     23.53
14*     -32.871      0.10                          24.36
15      -44.072      1.50     1.72047    34.71     24.49
16       33.967      5.20     1.61800    63.33     26.66
17     -362.839      0.10                          27.67
18*      51.346      5.90     1.49700    81.61     29.66
19*     -80.998      0.90                          30.04
20       26.330      5.80     1.72000    43.69     30.88
21       77.752      1.22                          29.74
22       96.582      1.67     1.58313    59.38     29.20
23       17.842     12.03                          26.13
24*    -100.399      3.80     1.53366    55.96     28.30
25*     -46.976     11.29                          30.03
26*     -20.198      5.00     1.53366    55.96     33.75
27*    2674.981      3.04                          40.45
28         ∞        0.30     1.51633    64.14     42.84
29         ∞        0.70
像面         ∞
非球面データ
第５面
k=-1.000
A4=9.85445e-06,A6=-7.07014e-09
第６面
k=0.991
A4=1.57913e-05,A6=1.95861e-09
第１３面
k=0.000
A4=-1.05103e-05,A6=3.45440e-09
第１４面
k=-0.274
A4=2.79279e-06,A6=1.46711e-09
第１８面
k=-0.233
A4=5.27095e-06,A6=9.84958e-10
第１９面
k=-23.478
A4=-4.18438e-06,A6=1.12794e-08
第２４面
k=38.739
A4=-1.06404e-05
第２５面
k=0.000
A4=-5.02093e-06
第２６面
k=-0.052
A4=2.79272e-05,A6=4.91374e-09
第２７面
k=0.000
A4=-2.08432e-05,A6=2.73821e-08,A8=-8.44032e-11
各種データ
ＮＡ                    0.09
β                     -0.43
ｆ                     43.17
ＩＨ(mm)               21.59
ｆｂ(mm) (in air)       3.94
全長(mm) (in air)     179.90
【０３５４】
数値実施例４
単位  ｍｍ
面データ
面番号        r          d         nd        νd       φ
1     5221.748     16.37     1.73077    40.51    101.64
2     -175.401      1.76                         101.63
3  -233855.651     13.32     1.62041    60.29     97.22
4     -154.905     60.70                          95.56
5*     -28.919      1.71     1.58360    30.33     26.77
6*     107.810      7.70                          25.24
7       59.011      5.45     1.49700    81.61     24.74
8      -46.139      0.49                          24.27
9    -5647.022      4.32     1.84666    23.78     23.03
10      -34.878      1.50     1.72047    34.71     22.26
11       57.168      2.71                          20.61
12（絞り） ∞        0.37                          19.89
13*      35.185      6.57     1.53366    55.96     22.09
14*     -27.032      0.10                          23.10
15      -34.971      1.53     1.72047    34.71     23.20
16       39.286      5.51     1.61800    63.33     25.43
17      -98.149      0.10                          26.61
18*      73.902      5.84     1.49700    81.61     28.10
19*     -59.493      0.61                          28.67
20       26.168      5.70     1.72000    43.69     29.16
21       79.838      1.20                          27.92
22       90.083      1.67     1.58313    59.38     27.31
23       17.384     11.71                          24.51
24*    -473.682      3.37     1.53366    55.96     26.70
25*     -62.504     11.18                          27.43
26*     -25.843      5.00     1.53366    55.96     29.88
27*      99.885      2.51                          34.17
28         ∞        0.30     1.51633    64.14     35.39
29         ∞        0.70
像面         ∞
非球面データ
第５面
k=-1.000
A4=1.28943e-05,A6=-1.34791e-08
第６面
k=0.000
A4=2.19446e-05,A6=4.90652e-09
第１３面
k=0.000
A4=-1.04019e-05,A6=4.75397e-09
第１４面
k=-0.578
A4=4.09529e-06,A6=-3.74743e-09
第１８面
k=-5.841
A4=3.85564e-06,A6=1.35308e-09
第１９面
k=0.000
A4=-5.49975e-06,A6=9.32029e-09
第２４面
k=0.000
A4=-6.28772e-06
第２５面
k=0.000
A4=7.74267e-06
第２６面
k=0.304
A4=1.88714e-05,A6=8.00602e-09
第２７面
k=0.000
A4=-2.19580e-05,A6=9.18849e-09,A8=-5.39544e-11
各種データ
ＮＡ                    0.07
β                     -0.35
ｆ                     44.93
ＩＨ(mm)               17.88
ｆｂ(mm) (in air)       3.41
全長(mm) (in air)     179.90
【０３５５】
数値実施例５
単位  ｍｍ
面データ
面番号        r          d         nd        νd       φ
1  9187931.290     16.14     1.73077    40.51    104.36
2     -171.745      1.50                         104.62
3  -577900.449     13.86     1.62041    60.29    100.38
4     -142.408     55.61                          99.06
5*     -30.718      1.50     1.58360    30.33     30.87
6*      83.213      7.52                          28.93
7       54.905      6.71     1.49700    81.61     29.37
8      -47.115      4.78                          29.02
9      159.227      4.47     1.84666    23.78     24.60
10      -46.111      1.50     1.72047    34.71     23.67
11       42.181      1.98                          21.63
12（絞り） ∞       -0.50                          21.39
13*      31.466      6.97     1.53366    55.96     23.31
14*     -30.402      0.10                          24.37
15      -42.088      1.50     1.72047    34.71     24.53
16       35.055      5.79     1.61800    63.33     26.85
17     -162.060      0.10                          28.05
18*      79.437      6.27     1.49700    81.61     29.62
19*     -56.262      0.47                          30.25
20       26.495      5.93     1.72000    43.69     30.91
21       71.583      1.19                          29.60
22       79.040      1.67     1.58313    59.38     29.01
23       17.489     11.31                          25.90
24*    -939.434      3.72     1.53366    55.96     28.02
25*     -78.289     10.98                          29.21
26*     -17.724      5.00     1.53366    55.96     31.10
27*    -160.121      2.93                          37.56
28         ∞        0.30     1.51633    64.14     39.96
29         ∞        0.70
像面         ∞
非球面データ
第５面
k=-1.000
A4=1.08837e-05,A6=-8.31696e-09
第６面
k=0.000
A4=1.90152e-05,A6=5.92495e-09
第１３面
k=0.000
A4=-1.15501e-05,A6=-3.81941e-11
第１４面
k=-0.638
A4=2.45955e-06,A6=-3.83848e-09
第１８面
k=-4.280
A4=4.86399e-06,A6=2.54101e-09
第１９面
k=0.000
A4=-3.26843e-06,A6=6.66087e-09
第２４面
k=0.000
A4=-2.13531e-05
第２５面
k=0.000
A4=-1.70921e-05
第２６面
k=-0.167
A4=3.02664e-05,A6=-6.23547e-09
第２７面
k=0.000
A4=-1.60019e-05,A6=-1.14301e-09,A8=-6.64954e-11
各種データ
ＮＡ                    0.08
β                     -0.40
ｆ                     44.12
ＩＨ(mm)               20.13
ｆｂ(mm) (in air)       3.83
全長(mm) (in air)     179.90
【０３５６】
数値実施例６
単位  ｍｍ
面データ
面番号        r          d         nd        νd       φ
1     1574.091     15.27     1.73077    40.51     98.66
2     -188.507      1.50                          98.30
3   -66763.325     12.08     1.62041    60.29     94.23
4     -154.464     55.50                          92.70
5*     -32.334      1.52     1.58360    30.33     28.45
6*     113.928      6.45                          26.86
7       58.638      5.37     1.49700    81.61     25.95
8      -55.039     11.66                          25.37
9       96.850      3.32     1.84666    23.78     16.68
10      -62.731      1.75     1.72047    34.71     15.65
11       34.937      1.31                          14.24
12（絞り） ∞        0.97                          13.94
13*      28.847      4.81     1.53366    55.96     16.27
14*     -32.529      0.10                          17.33
15      -57.290      3.42     1.72047    34.71     17.54
16       27.067      4.50     1.61800    63.33     19.57
17      510.324      0.10                          20.74
18*      83.849      4.32     1.49700    81.61     21.23
19*     -62.852      1.44                          22.21
20       23.697      5.27     1.72000    43.69     24.27
21      113.073      1.19                          23.50
22      102.126      1.65     1.58313    59.38     23.05
23       16.600     11.60                          21.48
24*    -275.425      3.98     1.53366    55.96     25.39
25*     -79.530     11.13                          26.83
26*     -20.965      5.00     1.53366    55.96     30.24
27*   -1581.442      3.39                          36.65
28         ∞        0.30     1.51633    64.14     39.91
29         ∞        0.70
像面         ∞
非球面データ
第５面
k=-1.000
A4=8.30055e-06,A6=-5.54126e-09
第６面
k=0.000
A4=1.53178e-05,A6=1.08291e-10
第１３面
k=0.000
A4=-9.32884e-06,A6=1.18578e-09
第１４面
k=-1.053
A4=4.08045e-06,A6=4.95261e-11
第１８面
k=-18.602
A4=2.87116e-06,A6=-4.65144e-09
第１９面
k=0.000
A4=-9.57505e-06,A6=4.22772e-10
第２４面
k=0.000
A4=-6.32628e-06
第２５面
k=0.000
A4=4.60539e-06
第２６面
k=0.232
A4=2.93882e-05,A6=-1.18611e-08
第２７面
k=0.000
A4=-1.96890e-05,A6=3.44237e-09,A8=-7.42664e-11
各種データ
ＮＡ                    0.05
β                     -0.40
ｆ                     45.88
ＩＨ(mm)               20.18
ｆｂ(mm) (in air)       4.30
全長(mm) (in air)     179.52
【０３５７】
数値実施例７
単位  ｍｍ
面データ
面番号        r          d         nd        νd       φ
1      809.519     15.50     1.73077    40.51     97.76
2     -211.448      1.75                          97.13
3  -182259.026     12.52     1.62041    60.29     93.38
4     -155.307     53.42                          91.66
5*     -35.463      1.53     1.58360    30.33     30.85
6*      99.984      5.96                          29.02
7       63.281      5.91     1.49700    81.61     28.47
8      -55.037     15.25                          27.94
9       87.469      3.37     1.84666    23.78     16.92
10      -70.150      1.65     1.72047    34.71     15.86
11       33.296      1.39                          14.48
12（絞り） ∞        0.25                          14.18
13*      27.960      4.57     1.53366    55.96     15.64
14*     -33.555      0.10                          16.69
15      -66.002      2.53     1.72047    34.71     16.92
16       25.355      4.02     1.61800    63.33     18.53
17      216.000      0.10                          19.57
18*      96.150      4.11     1.49700    81.61     19.89
19*     -59.233      1.94                          20.91
20       23.183      5.11     1.72000    43.69     23.28
21      125.863      1.18                          22.60
22       85.260      1.64     1.58313    59.38     22.13
23       15.736     11.63                          20.65
24*    -196.157      3.95     1.53366    55.96     24.97
25*     -71.846     11.15                          26.51
26*     -19.319      5.00     1.53366    55.96     30.05
27*    -248.081      3.45                          36.60
28         ∞        0.30     1.51633    64.14     39.84
29         ∞        0.70
像面         ∞
非球面データ
第５面
k=-1.000
A4=8.13136e-06,A6=-5.31392e-09
第６面
k=0.000
A4=1.44260e-05,A6=2.49441e-10
第１３面
k=0.000
A4=-1.27107e-05,A6=-7.33241e-09
第１４面
k=-0.873
A4=3.56248e-06,A6=-1.73093e-09
第１８面
k=-12.398
A4=2.87620e-06,A6=8.91012e-09
第１９面
k=0.000
A4=-9.51161e-06,A6=2.46205e-10
第２４面
k=0.000
A4=-5.83150e-06
第２５面
k=0.000
A4=2.59840e-06
第２６面
k=0.108
A4=3.78586e-05,A6=-1.58747e-08
第２７面
k=0.000
A4=-1.66449e-05,A6=1.44247e-08,A8=-1.29860e-10
各種データ
ＮＡ                    0.05
β                     -0.40
ｆ                     46.48
ＩＨ(mm)               20.12
ｆｂ(mm) (in air)       4.35
全長(mm) (in air)     179.91
【０３５８】
数値実施例８
単位  ｍｍ
面データ
面番号        r          d         nd        νd       φ
1      153.364     16.01     1.91082    35.25    102.08
2     -977.024     23.48                         100.17
3      259.518      7.58     1.91082    35.25     79.34
4    -1370.022     44.07                          77.22
5*     -65.913      1.00     1.58360    30.33     24.73
6*      23.807     11.23                          22.58
7       51.650      4.90     1.49700    81.61     23.46
8      -32.981      5.65                          23.33
9      -77.439      2.63     1.84666    23.78     19.27
10      -26.423      0.70     1.72047    34.71     19.01
11      204.574      0.76                          18.35
12（絞り） ∞       -0.46                          18.15
13*      49.832      4.22     1.53366    55.96     18.52
14*     -24.204      0.30                          19.13
15      -25.551      0.70     1.72047    34.71     19.22
16       95.296      3.75     1.61800    63.33     20.67
17      -33.299      0.10                          21.40
18*      68.048      4.50     1.49700    81.61     22.33
19*     -67.440      1.89                          23.07
20       24.298      4.50     1.78590    44.20     23.53
21       38.831      1.40                          22.20
22       32.697      2.01     1.59551    39.24     21.69
23       15.131      8.33                          19.92
24*     -24.252      3.77     1.53366    55.96     20.67
25*     -30.000      8.68                          22.57
26*    -294.255      5.00     1.53366    55.96     26.72
27*      40.862      3.00                          30.95
28         ∞        0.30     1.51633    64.14     32.86
29         ∞        0.70
像面         ∞
非球面データ
第５面
k=-1.000
A4=-1.92165e-05,A6=1.09278e-08
第６面
k=-1.074
A4=2.02385e-05,A6=2.59222e-08
第１３面
k=0.000
A4=-1.16004e-06,A6=-2.51732e-08
第１４面
k=0.216
A4=-1.64308e-06,A6=3.04689e-08
第１８面
k=-8.723
A4=-2.47687e-05,A6=-3.20757e-08
第１９面
k=0.000
A4=-2.25112e-05,A6=-4.19122e-08
第２４面
k=0.000
A4=2.37416e-05
第２５面
k=0.000
A4=4.15526e-05
第２６面
k=0.000
A4=-6.91467e-05,A6=9.28415e-08
第２７面
k=0.000
A4=-7.18720e-05,A6=4.49954e-08,A8=1.59780e-13
各種データ
ＮＡ                    0.07
β                     -0.33
ｆ                     57.11
ＩＨ(mm)               16.67
ｆｂ(mm) (in air)       3.90
全長(mm) (in air)     170.60
【０３５９】
数値実施例９
単位  ｍｍ
面データ
面番号        r          d         nd        νd       φ
1       40.667     12.54     1.74400    44.78     51.23
2      110.182      0.70                          47.40
3       56.524      7.98     1.85400    40.39     45.17
4      340.596     19.31                          41.85
5*     -15.539      1.50     1.58360    30.33     15.04
6*      15.144      5.22                          13.14
7       20.286      4.70     1.49700    81.61     14.18
8      -15.190      1.55                          14.00
9      -43.387      2.25     1.84666    23.78     11.71
10      -15.214      0.70     1.72047    34.71     11.29
11      103.583      0.65                          10.60
12（絞り） ∞       -0.35                          10.32
13*      18.240      3.36     1.53366    55.96     10.65
14*     -15.418      0.30                          11.25
15      -16.568      0.70     1.72047    34.71     11.32
16       47.648      2.98     1.61800    63.33     12.16
17      -21.174      0.10                          12.88
18*      25.501      2.68     1.49700    81.61     13.53
19*      95.345      0.25                          13.64
20       21.865      2.78     1.78590    44.20     13.59
21       16.804      2.01                          12.70
22       19.595      2.27     1.59551    39.24     12.88
23       21.012      5.10                          12.45
24*     -73.182      1.78     1.53366    55.96     12.59
25*     -15.000      1.15                          13.98
26*     -14.873      2.50     1.53366    55.96     14.85
27*      17.238      3.00                          17.53
28         ∞        0.30     1.51633    64.14     19.46
29         ∞        0.70
像面         ∞
非球面データ
第５面
k=-1.000
A4=4.75413e-05,A6=-1.37198e-07
第６面
k=-0.789
A4=1.96241e-04,A6=6.37208e-07
第１３面
k=0.000
A4=-1.03779e-04,A6=-5.55608e-07
第１４面
k=-0.251
A4=1.73339e-06,A6=3.53019e-07
第１８面
k=0.000
A4=-1.09187e-04,A6=1.15659e-06
第１９面
k=0.000
A4=-2.12928e-04,A6=8.43884e-07
第２４面
k=0.000
A4=-7.02693e-04
第２５面
k=0.000
A4=4.70862e-04
第２６面
k=0.000
A4=6.07403e-04,A6=-4.82564e-06
第２７面
k=0.000
A4=-5.72039e-04,A6=3.62103e-06,A8=-2.75557e-08
各種データ
ＮＡ                    0.08
β                     -0.40
ｆ                     29.30
ＩＨ(mm)                9.99
ｆｂ(mm) (in air)       3.90
全長(mm) (in air)      88.60
【０３６０】
数値実施例１０
単位  ｍｍ
面データ
面番号        r          d         nd        νd       φ
1     1000.000     12.02     1.74400    44.78     54.31
2      -75.500     15.36                          54.79
3      150.000      6.54     1.74400    44.78     43.98
4     -120.513     13.67                          42.77
5       29.997      3.40     1.65844    50.88     22.29
6       21.508      7.64                          18.85
7*     -16.766      1.51     1.68893    31.08     15.06
8*      23.675      4.33                          14.72
9       78.561      4.88     1.49700    81.61     15.86
10      -17.774      0.31                          16.22
11      144.084      4.14     1.84666    23.78     15.45
12      -20.335      2.18     1.72047    34.71     14.91
13       48.592      1.09                          13.69
14（絞り） ∞       -0.54                          13.51
15*      22.360      4.08     1.53366    55.96     14.05
16*     -51.095      0.30                          14.74
17      -91.654      1.50     1.72047    34.71     14.88
18       16.117      5.91     1.61800    63.33     15.89
19      -27.784      0.10                          16.80
20         ∞       21.00     1.84666    23.78     17.07
21         ∞        0.10                          19.26
22*      22.867      5.99     1.49700    81.61     19.72
23*     -29.539      0.30                          19.20
24       39.218      2.45     1.70154    41.24     17.96
25       12.794      5.51                          15.93
26*    -100.547      4.50     1.53366    55.96     16.33
27*     -15.000      1.73                          17.70
28*     -13.523      1.00     1.53366    55.96     17.69
29*      34.257      3.00                          19.12
30         ∞        0.30     1.51633    64.14     19.97
31         ∞        0.70
像面         ∞
非球面データ
第７面
k=-1.000
A4=-3.70912e-05,A6=1.59394e-07
第８面
k=-0.553
A4=-2.17940e-06
第１５面
k=0.000
A4=1.98953e-06
第１６面
k=6.562
A4=4.04195e-05
第２２面
k=0.000
A4=8.15542e-06
第２３面
k=0.000
A4=5.13863e-05
第２６面
k=0.000
A4=-1.94239e-04
第２７面
k=0.000
A4=-1.89042e-05
第２８面
k=0.000
A4=8.97798e-05
第２９面
k=0.000
A4=-2.09862e-04,A6=1.99502e-07
各種データ
ＮＡ                    0.08
β                     -0.40
ｆ                     36.39
ＩＨ(mm)               10.10
ｆｂ(mm) (in air)       3.90
全長(mm) (in air)     134.90
【０３６１】
数値実施例１１
単位  ｍｍ
面データ
面番号        r          d         nd        νd       φ
1     1300.000      7.57     1.74400    44.78     55.42
2      -92.940      8.95                          55.65
3      450.433      6.90     1.74400    44.78     50.78
4     -100.000     29.57                          50.03
5       30.062      1.50     1.65844    50.88     17.63
6       19.983      4.85                          16.11
7*     -17.168      1.54     1.68893    31.08     14.99
8*      29.120      3.97                          14.93
9      138.714      4.77     1.49700    81.61     16.15
10      -17.755      0.30                          16.67
11      688.712      4.30     1.84666    23.78     16.15
12      -18.404      1.65     1.72047    34.71     15.84
13       49.667      1.16                          14.99
14（絞り） ∞       -0.88                          14.91
15*      20.588      4.47     1.53366    55.96     15.49
16*     -51.733      0.30                          16.10
17     -130.239      1.50     1.72047    34.71     16.25
18       17.267      6.23     1.61800    63.33     17.12
19      -27.784      0.10                          17.89
20         ∞       21.00     1.84666    23.78     18.03
21         ∞        0.10                          19.05
22*      18.930      6.15     1.49700    81.61     19.30
23*     -30.795      0.30                          18.45
24       37.509      2.51     1.70154    41.24     17.00
25       10.194      4.61                          14.41
26*      65.474      4.47     1.53366    55.96     14.99
27*     -15.000      1.61                          15.93
28*     -14.191      1.50     1.53366    55.96     15.98
29*      26.505      3.00                          16.71
30         ∞        0.30     1.51633    64.14     16.62
31         ∞        0.70
像面         ∞
非球面データ
第７面
k=-1.000
A4=-3.03636e-05,A6=2.24632e-07
第８面
k=-6.356
A4=3.47543e-05
第１５面
k=0.000
A4=-5.56700e-06
第１６面
k=0.794
A4=3.35442e-05
第２２面
k=0.000
A4=6.04102e-06
第２３面
k=0.000
A4=6.35238e-05
第２６面
k=0.000
A4=-1.76668e-04
第２７面
k=0.000
A4=4.88289e-05
第２８面
k=0.000
A4=1.83935e-04
第２９面
k=0.000
A4=-2.64475e-04,A6=-3.11887e-07
各種データ
ＮＡ                    0.08
β                     -0.33
ｆ                     40.83
ＩＨ(mm)                8.31
ｆｂ(mm) (in air)       3.90
全長(mm) (in air)     134.90
【０３６２】
数値実施例１２
単位  ｍｍ
面データ
面番号        r          d         nd        νd       φ
1     1300.000      7.10     1.74400    44.78     56.05
2     -105.419      0.30                          56.19
3      140.388      7.39     1.74400    44.78     53.84
4     -194.275     30.91                          52.75
5       30.039      4.14     1.65844    50.88     20.21
6       28.128      4.56                          17.05
7*     -15.258      1.50     1.68893    31.08     15.58
8*      18.328      3.61                          14.83
9       31.151      5.16     1.49700    81.61     16.13
10      -21.226      1.47                          16.35
11     -145.250      4.18     1.84666    23.78     15.52
12      -16.098      1.50     1.72047    34.71     15.27
13       80.466      0.92                          14.53
14（絞り） ∞       -0.82                          14.40
15*      18.401      4.16     1.53366    55.96     15.04
16*     -87.438      0.30                          15.52
17     -154.898      1.50     1.72047    34.71     15.61
18       16.958      5.83     1.61800    63.33     16.42
19      -27.784      0.10                          17.14
20         ∞       21.00     1.84666    23.78     17.28
21         ∞        0.10                          18.40
22*      23.425      4.91     1.49700    81.61     18.64
23*     -57.533      0.31                          17.88
24       17.089      2.69     1.70154    41.24     16.80
25        9.610      5.10                          14.29
26*     114.912      4.56     1.53366    55.96     14.81
27*     -15.000      0.61                          15.51
28*     -14.365      1.50     1.53366    55.96     15.36
29*      30.245      3.00                          16.24
30         ∞        0.30     1.51633    64.14     16.16
31         ∞        0.70
像面         ∞
非球面データ
第７面
k=-1.000
A4=6.26501e-05,A6=-5.35850e-08
第８面
k=-2.840
A4=7.35168e-05
第１５面
k=0.000
A4=-2.09235e-05
第１６面
k=-86.400
A4=2.94789e-05
第２２面
k=0.000
A4=4.47741e-05
第２３面
k=0.000
A4=7.95877e-05
第２６面
k=0.000
A4=-1.25123e-04
第２７面
k=0.000
A4=-1.31313e-05
第２８面
k=0.000
A4=2.51968e-05
第２９面
k=0.000
A4=-2.66681e-04,A6=-4.98113e-07
各種データ
ＮＡ                    0.07
β                     -0.32
ｆ                     44.61
ＩＨ(mm)                8.07
ｆｂ(mm) (in air)       3.90
全長(mm) (in air)     128.49
【０３６３】
数値実施例１３
単位  ｍｍ
面データ
面番号        r          d         nd        νd       φ
1      201.293     18.93     1.91082    35.25    101.37
2     -279.220      0.50                          99.44
3       60.002     20.00     1.91082    35.25     80.91
4       70.444     35.53                          64.99
5       78.452      4.50     1.70154    41.24     20.61
6       10.629     10.47                          14.44
7*      46.386      3.00     1.53366    55.96     11.29
8*     -68.282      0.10                          10.46
9       11.418      1.50     1.72047    34.71      9.64
10        8.425      3.57                           8.48
11（絞り） ∞        1.08                           7.37
12*     -29.889      3.13     1.53366    55.96      8.25
13*     -13.747      0.40                          10.24
14      -16.912      1.00     1.72047    34.71     10.63
15       95.296      5.15     1.61800    63.33     12.23
16      -11.340      0.10                          14.29
17*      19.476      5.04     1.49700    81.61     16.13
18*     -50.350      4.47                          16.23
19       67.721      2.11     1.59551    39.24     14.42
20       19.044      3.03                          13.61
21*     -51.602      2.82     1.53366    55.96     13.63
22*     -30.000      5.20                          14.31
23*      64.480      5.00     1.53366    55.96     14.27
24*      42.674      3.07                          15.55
25         ∞        0.30     1.51633    64.14     15.92
26         ∞        0.70
像面         ∞
非球面データ
第７面
k=0.000
A4=-2.00996e-05
第８面
k=0.000
A4=1.73466e-05
第１２面
k=0.000
A4=9.05171e-12,A6=2.95906e-08
第１３面
k=-2.626
A4=-1.95247e-05,A6=7.51228e-07
第１７面
k=0.000
A4=-4.30248e-05,A6=-5.77162e-08
第１８面
k=0.000
A4=-1.04660e-04,A6=1.38884e-07
第２１面
k=0.000
A4=-1.97625e-04
第２２面
k=0.000
A4=-1.56973e-04,A6=6.09484e-07
第２３面
k=0.000
A4=-2.57765e-04,A6=-8.40124e-07
第２４面
k=0.000
A4=-1.35545e-04,A6=-1.83247e-06,A8=1.06712e-08
各種データ
ＮＡ                    0.03
β                     -0.16
ｆ                     69.72
ＩＨ(mm)                8.01
ｆｂ(mm) (in air)       3.98
全長(mm) (in air)     140.61
【０３６４】
数値実施例１４
単位  ｍｍ
面データ
面番号        r          d         nd        νd       φ
1         ∞       15.35     1.91082    35.25    101.01
2     -177.355      0.50                         101.00
3       60.000     20.00     1.91082    35.25     85.65
4       81.611     47.01                          72.93
5       42.059      4.50     1.70154    41.24     17.96
6        7.944      5.86                          12.01
7*     -12.458      4.50     1.53366    55.96     11.59
8*     -11.677      4.41                          11.68
9       81.074      4.44     1.72047    34.71     10.45
10       30.000      1.15                           9.61
11（絞り） ∞        0.97                           9.55
12*     -69.825      2.38     1.53366    55.96     10.39
13*     -11.548      0.40                          11.19
14      -21.780      1.00     1.72047    34.71     11.72
15       95.296      4.35     1.61800    63.33     12.77
16      -15.778      0.10                          14.16
17*      11.402      6.11     1.49700    81.61     15.41
18*     -26.716      1.68                          15.20
19      730.497      1.52     1.59551    39.24     12.79
20       10.040      2.20                          11.31
21*      44.121      3.16     1.53366    55.96     11.35
22*     -30.000      0.10                          11.39
23*      15.668      5.00     1.53366    55.96     11.26
24*      15.355      3.00                           9.53
25         ∞        0.30     1.51633    64.14      9.06
26         ∞        0.70
像面         ∞
非球面データ
第７面
k=0.000
A4=4.02938e-04
第８面
k=0.000
A4=4.37562e-04
第１２面
k=0.000
A4=2.09449e-04,A6=-6.92868e-06
第１３面
k=1.107
A4=1.51973e-04,A6=-1.58258e-06
第１７面
k=0.000
A4=-1.72712e-04,A6=-1.05905e-06
第１８面
k=0.000
A4=-1.49408e-04,A6=3.17757e-07
第２１面
k=0.000
A4=-1.41009e-04
第２２面
k=0.000
A4=2.64220e-05,A6=2.10643e-06
第２３面
k=0.000
A4=2.35045e-05,A6=2.12734e-06
第２４面
k=0.000
A4=5.61865e-05,A6=-1.25386e-06,A8=2.32822e-08
各種データ
ＮＡ                    0.03
β                     -0.09
ｆ                     49.78
ＩＨ(mm)                4.44
ｆｂ(mm) (in air)       3.90
全長(mm) (in air)     140.60
【０３６５】
数値実施例１５
単位  ｍｍ
面データ
面番号        r          d         nd        νd       φ
1      233.107     17.36     1.91082    35.25    104.43
2     -211.459     29.43                         103.59
3       77.946     11.83     1.91082    35.25     64.60
4      164.873     21.87                          57.88
5*      52.979      4.27     1.53366    55.96     25.29
6       12.181      5.28                          18.01
7*    -101.652      4.45     1.53366    55.96     17.50
8*     -48.773      2.58                          16.32
9       18.213      1.50     1.71520    29.53     13.38
10       10.655      7.55                          11.92
11（絞り） ∞       -0.03                          10.23
12*      44.133      3.17     1.53366    55.96     10.58
13*     -13.343      0.40                          11.53
14      -15.701      1.50     1.72066    34.42     11.78
15       95.296      3.31     1.61800    63.33     13.49
16      -17.999      2.90                          14.50
17*      24.221      4.38     1.49700    81.61     17.74
18*     259.803      4.14                          17.71
19       16.111      3.02     1.59551    39.24     17.73
20       24.765      3.70                          16.87
21*     -28.270      3.66     1.53366    55.96     16.54
22*     -30.000      5.42                          16.51
23*      27.481      5.00     1.53366    55.96     17.19
24*      12.238      3.00                          18.72
25         ∞        0.30     1.51633    64.14     19.31
26         ∞        1.00
像面         ∞
非球面データ
第５面
k=0.000
A4=-1.31309e-05
第７面
k=0.000
A4=1.48050e-06
第８面
k=0.000
A4=4.25733e-06
第１２面
k=0.000
A4=-9.21321e-07,A6=3.53938e-08
第１３面
k=-0.493
A4=-3.79073e-06,A6=-3.10354e-07
第１７面
k=0.000
A4=4.16918e-05,A6=-6.83531e-08
第１８面
k=0.000
A4=2.16273e-06,A6=-4.89360e-08
第２１面
k=0.000
A4=1.14810e-05
第２２面
k=0.000
A4=1.28351e-04,A6=4.95827e-07
第２３面
k=0.000
A4=-2.65185e-04,A6=4.28039e-07
第２４面
k=0.000
A4=-3.82953e-04,A6=1.01724e-06,A8=-5.17604e-09
各種データ
ＮＡ                    0.04
β                     -0.20
ｆ                     55.37
ＩＨ(mm)                9.95
ｆｂ(mm) (in air)       4.21
全長(mm) (in air)     150.90
【０３６６】
数値実施例１６
単位  ｍｍ
面データ
面番号        r          d         nd        νd       φ
1      200.000      4.44     1.78069    28.19     16.52
2*     -16.891      2.71                          16.78
3*     -16.322      3.30     1.64216    38.89     14.93
4*      22.199      2.69                          15.35
5*      24.152      4.50     1.49700    81.61     17.00
6      -21.050      0.10                          17.33
7       19.474      4.83     1.49700    81.61     17.00
8*     -21.043      0.10                          16.52
9        8.264      3.16     1.61770    60.46     11.80
10       31.355      0.70     1.72047    34.71     10.21
11        5.948      1.85                           7.87
12（絞り） ∞        0.70                           7.50
13      -18.538      0.70     1.72047    34.71      7.59
14        8.011      1.71     1.61800    63.33      8.37
15       19.989      0.79                           8.85
16*      14.320      3.99     1.49700    81.61     10.43
17*     -16.644      0.10                          11.26
18*      15.000      2.47     1.49700    81.61     11.87
19*      19.201      3.20                          11.60
20*      12.099      3.93     1.63490    23.88     12.08
21*     -38.092      1.78                          11.40
22*     -19.577      0.70     1.53368    55.90     10.07
23*     105.748      1.78                           9.62
24*     -11.682      1.00     1.53368    55.90      9.31
25*      32.477      1.04                           9.40
26         ∞        0.38     1.51640    65.06      9.56
27         ∞        1.00
像面         ∞
非球面データ
第２面
k=-1.232
第３面
k=0.000
A4=3.85355e-06
第４面
k=0.000
A4=-5.02295e-06
第５面
k=-3.224
A4=-2.82481e-05
第８面
k=-1.801
A4=7.66872e-07
第１６面
k=-0.579
A4=1.13991e-06
第１７面
k=0.000
A4=2.37246e-06
第１８面
k=0.000
A4=1.24827e-05
第１９面
k=0.000
A4=-8.25200e-06
第２０面
k=-2.866
A4=1.79188e-04
第２１面
k=0.000
A4=5.51534e-06
第２２面
k=0.000
A4=3.73931e-06
第２３面
k=0.000
A4=-1.36482e-06
第２４面
k=0.000
A4=5.28357e-06
第２５面
k=0.000
A4=-3.99482e-06
各種データ
ＮＡ                    0.21
β                     -0.85
ｆ                     11.70
ＩＨ(mm)                4.92
ｆｂ(mm) (in air)       2.30
全長(mm) (in air)      53.53
【０３６７】
数値実施例１７
単位  ｍｍ
面データ
面番号        r          d         nd        νd       φ
1       70.496      5.00     1.75520    27.51     18.67
2      -48.147      0.11                          18.67
3     -411.922      2.98     1.75520    27.51     18.39
4      -53.420      9.20                          18.04
5      -15.584      6.21     1.63980    34.46     13.27
6       88.788      0.29                          13.76
7       17.754      3.67     1.49700    81.61     14.05
8*     -20.595      0.57                          13.88
9       15.281      2.40     1.71700    47.92     12.18
10     -922.547      0.70     1.69895    30.13     11.41
11       41.748      0.77                          10.66
12（絞り） ∞        0.68                          10.21
13      -49.176      0.70     1.68893    31.07     10.18
14*      10.388      0.12                          10.31
15*      10.130      3.32     1.49700    81.54     10.64
16*     -23.138      0.10                          10.90
17         ∞       14.46     1.84666    23.78     11.00
18         ∞        0.11                          12.06
19*      14.073      3.02     1.76182    26.52     12.25
20*     -25.604      0.82                          11.99
21*    -301.832      0.76     1.53368    55.90     10.52
22*      10.732      4.00                           9.30
23*      -6.048      0.70     1.53368    55.90      8.59
24*     280.562      1.00                           9.13
25         ∞        0.30     1.51640    65.06      9.49
26         ∞        1.00
像面         ∞
非球面データ
第８面
k=-2.427
A4=6.55778e-06
第１４面
k=0.000
A4=7.74428e-05
第１５面
k=-0.579
A4=1.14210e-04
第１６面
k=0.000
A4=8.06412e-05
第１９面
k=0.000
A4=-2.70276e-06,A6=-2.05877e-06
第２０面
k=0.000
A4=2.62769e-06,A6=3.82714e-07
第２１面
k=0.000
A4=-2.37650e-07,A6=7.47463e-06,A8=1.06625e-07
第２２面
k=0.000
A4=2.84086e-07,A6=-6.58956e-06,A8=2.26599e-07
第２３面
k=0.000
A4=-1.11575e-03,A6=4.22639e-05,A8=6.32025e-07
第２４面
k=0.000
A4=-1.75257e-03,A6=4.53363e-05,A8=4.97358e-08
各種データ
ＮＡ                    0.18
β                     -0.70
ｆ                     11.77
ＩＨ(mm)                4.92
ｆｂ(mm) (in air)       2.20
全長(mm) (in air)      62.90
【０３６８】
数値実施例１８
単位  ｍｍ
面データ
面番号        r          d         nd        νd       φ
1       30.415      3.82     1.75520    27.51     20.58
2     2027.159      7.82                          20.18
3       77.031      4.29     1.75520    27.51     17.39
4     -284.348      2.68                          16.33
5      -20.023      1.45     1.63980    34.46     15.64
6       56.991      0.10                          15.71
7       17.913      4.70     1.49700    81.61     16.01
8*     -21.946      1.70                          15.73
9       14.738      2.69     1.71700    47.92     12.77
10     -281.995      0.73     1.69895    30.13     11.85
11       36.280      0.82                          10.90
12（絞り） ∞        0.80                          10.40
13      -34.654      0.70     1.68893    31.07     10.34
14*      10.551      0.10                          10.44
15*       9.913      4.39     1.49700    81.54     10.75
16*     -23.929      0.10                          11.15
17         ∞       15.00     1.84666    23.78     11.21
18         ∞        0.13                          11.82
19*      13.672      3.04     1.76182    26.52     11.93
20*     -24.009      0.44                          11.57
21*     -49.111      0.76     1.53368    55.90     10.56
22*      10.855      3.72                           9.25
23*      -7.526      0.71     1.53368    55.90      8.70
24*      53.957      1.01                           9.17
25         ∞        0.30     1.51640    65.06      9.50
26         ∞        1.00
像面         ∞
非球面データ
第８面
k=-3.192
A4=7.13920e-07
第１４面
k=0.000
A4=3.25419e-05
第１５面
k=-0.579
A4=5.93467e-05
第１６面
k=0.000
A4=6.72038e-05
第１９面
k=0.000
A4=1.76259e-08,A6=-4.17456e-07
第２０面
k=0.000
A4=1.01402e-08,A6=1.04686e-06
第２１面
k=0.000
A4=8.27455e-08,A6=3.38041e-06,A8=8.33125e-09
第２２面
k=0.000
A4=1.41816e-08,A6=-1.86899e-06,A8=1.06510e-07
第２３面
k=0.000
A4=-2.06017e-03,A6=1.13032e-04,A8=-1.71376e-06
第２４面
k=0.000
A4=-2.17095e-03,A6=8.98014e-05,A8=-1.15360e-06
各種データ
ＮＡ                    0.18
β                     -0.70
ｆ                     12.64
ＩＨ(mm)                4.92
ｆｂ(mm) (in air)       2.22
全長(mm) (in air)      62.90
【０３６９】
数値実施例１９
単位  ｍｍ
面データ
面番号        r          d         nd        νd       φ
1       26.174      2.53     1.75520    27.51     19.24
2      181.093      4.69                          19.03
3       80.000      2.74     1.75520    27.51     17.55
4     -222.051      5.36                          16.99
5      -19.728      1.01     1.63980    34.46     14.76
6       55.506      0.10                          14.80
7       18.713      4.22     1.49700    81.61     15.03
8*     -20.481      1.82                          14.81
9       14.895      2.67     1.71700    47.92     12.08
10     -170.914      0.71     1.69895    30.13     11.12
11       37.736      0.80                          10.27
12（絞り） ∞        0.78                           9.77
13      -32.704      0.70     1.68893    31.07      9.71
14*      10.611      0.10                           9.81
15*       9.944      7.91     1.49700    81.54     10.08
16*     -23.726      0.30                          11.11
17         ∞       15.00     1.84666    23.78     11.16
18         ∞        0.34                          11.69
19*      14.537      3.07     1.76182    26.52     11.79
20*     -22.336      0.43                          11.41
21*     -39.900      0.76     1.53368    55.90     10.52
22*      10.795      3.75                           9.26
23*      -8.659      0.86     1.53368    55.90      8.73
24*      34.534      1.04                           9.15
25         ∞        0.30     1.51640    65.06      9.46
26         ∞        1.00
像面         ∞
非球面データ
第８面
k=-2.501
A4=3.96328e-07
第１４面
k=0.000
A4=7.37862e-05
第１５面
k=-0.579
A4=9.90599e-05
第１６面
k=0.000
A4=6.45169e-05
第１９面
k=0.000
A4=-1.65312e-07,A6=-3.31238e-08
第２０面
k=0.000
A4=6.33148e-08,A6=1.47372e-06
第２１面
k=0.000
A4=2.52692e-08,A6=1.69426e-06,A8=2.53564e-08
第２２面
k=0.000
A4=9.53833e-09,A6=-7.46227e-07,A8=1.01372e-07
第２３面
k=0.000
A4=-1.69115e-03,A6=9.17126e-05,A8=-1.39048e-06
第２４面
k=0.000
A4=-1.71866e-03,A6=6.91391e-05,A8=-8.66396e-07
各種データ
ＮＡ                    0.18
β                     -0.80
ｆ                     12.21
ＩＨ(mm)                4.92
ｆｂ(mm) (in air)       2.24
全長(mm) (in air)      62.90
【０３７０】
数値実施例２０
単位  ｍｍ
面データ
面番号        r          d         nd        νd       φ
1      -54.261      3.17     1.59522    67.74     19.61
2      -18.186      1.00                          19.99
3       18.851      4.02     1.75520    27.51     18.66
4      -91.514      2.75                          18.00
5      -25.396      0.70     1.67270    32.10     15.04
6       10.785      4.88                          13.39
7*      53.315      3.04     1.69100    54.82     14.62
8      -54.764      0.10                          14.91
9       22.477      4.41     1.49700    81.61     15.00
10*     -16.111      0.10                          14.78
11       10.609      2.67     1.65412    39.68     11.29
12     -439.195      0.70     1.72047    34.71     10.24
13        7.839      1.47                           8.33
14（絞り） ∞        1.02                           8.11
15      -11.743      0.70     1.72047    34.71     10.00
16        8.055      4.41     1.61800    63.33      9.00
17      -15.206      0.30                          10.64
18*     -38.253      4.50     1.49700    81.61     11.24
19*     -13.427      2.98                          13.61
20*     -48.786      4.50     1.49700    81.61     15.95
21*     -11.803      1.24                          16.85
22*      27.742      4.50     1.75520    27.51     16.11
23*     -66.985      0.10                          15.08
24*      25.387      2.92     1.53368    55.90     13.73
25*       9.988      4.49                          10.90
26*     -11.541      0.70     1.53368    55.90      9.97
27*      31.354      0.93                           9.92
28         ∞        0.40     1.51640    65.06      9.89
29         ∞        1.00
像面         ∞
非球面データ
第７面
k=0.000
A4=-1.43540e-05
第１０面
k=-0.973
A4=-4.39795e-05
第１８面
k=-0.579
A4=-1.20369e-04
第１９面
k=0.000
A4=9.76785e-05
第２０面
k=0.000
A4=-3.96436e-07
第２１面
k=0.000
A4=3.32030e-05
第２２面
k=-4.000
A4=3.54179e-05
第２３面
k=0.000
A4=2.28057e-05
第２４面
k=0.000
A4=1.39991e-04
第２５面
k=0.000
A4=1.19101e-04
第２６面
k=0.000
A4=9.75033e-05
第２７面
k=0.000
A4=-3.51511e-04
各種データ
ＮＡ                    0.20
β                     -0.70
ｆ                     17.14
ＩＨ(mm)                4.92
ｆｂ(mm) (in air)       2.20
全長(mm) (in air)      63.55
【０３７１】
数値実施例２１
単位  ｍｍ
面データ
面番号        r          d         nd        νd       φ
1       30.335      1.00     1.72503    46.41     15.77
2       14.070      3.48     1.67117    39.75     15.50
3       99.957      2.44                          15.39
4       40.804      3.54     1.49700    81.61     15.31
5*     -18.956      9.61                          15.10
6       11.976      3.07     1.61800    63.33      8.12
7      -12.669      0.70     1.71736    29.52      6.91
8       15.989      0.77                           6.08
9（絞り） ∞        3.12                           5.75
10      -13.213      2.00     1.61743    36.63      7.33
11       20.439      3.50     1.65472    41.91      9.14
12      -20.352      0.91                          10.45
13*      15.684      4.50     1.49700    81.61     12.04
14*     -19.173      0.50                          12.37
15       18.461      4.48     1.86400    40.58     12.19
16      -35.815      0.86                          11.11
17      -47.078      0.72     1.55923    64.00      9.98
18       16.643      2.37                           9.08
19*      -8.191      0.70     1.53368    55.90      8.71
20*      14.018      3.00                           8.67
21         ∞        0.30     1.51640    65.06      9.43
22         ∞        1.00
像面         ∞
非球面データ
第５面
k=0.000
A4=6.00125e-05
第１３面
k=-0.579
A4=-5.74141e-05
第１４面
k=0.000
A4=7.19502e-05
第１９面
k=0.000
A4=5.80084e-04
第２０面
k=0.000
A4=1.02743e-05,A6=-9.27668e-07
各種データ
ＮＡ                    0.15
β                     -0.80
ｆ                     13.26
ＩＨ(mm)                4.92
ｆｂ(mm) (in air)       4.21
全長(mm) (in air)      52.48
【０３７２】
数値実施例２２
単位  ｍｍ
面データ
面番号        r          d         nd        νd       φ
1       52.075      4.41     1.80860    40.42     17.25
2      -41.203      0.74                          17.24
3       93.850      2.85     1.49700    81.61     16.50
4*     -27.831      5.97                          16.06
5       11.037      3.94     1.61800    63.33     10.06
6      -17.959      1.01     1.71736    29.52      8.16
7        9.255      1.71                           6.60
8（絞り） ∞        1.13                           5.81
9       -7.786      1.50     1.62588    35.70      6.24
10       14.384      3.50     1.67790    55.34      8.76
11      -14.292      0.10                          10.29
12*      11.464      4.37     1.49700    81.61     12.78
13*     -15.725      2.08                          12.88
14       20.070      4.27     1.76182    26.52     12.10
15      -66.782      0.88                          10.93
16      -32.952      1.53     1.53368    55.90     10.33
17*     -30.112      1.68                           9.72
18*      -7.257      0.70     1.53368    55.90      9.12
19*      15.178      3.00                           9.02
20         ∞        0.30     1.51640    65.06      9.56
21         ∞        1.00
像面         ∞
非球面データ
第４面
k=0.000
A4=4.08312e-05,A6=-1.88966e-08
第１２面
k=-0.579
A4=-2.47611e-05,A6=2.78355e-07
第１３面
k=0.000
A4=1.52112e-04,A6=-1.20062e-07
第１７面
k=0.000
A4=-1.03934e-04,A6=2.50226e-06
第１８面
k=0.000
A4=3.08242e-04,A6=7.28592e-06
第１９面
k=0.000
A4=-2.23467e-04,A6=2.73800e-06
各種データ
ＮＡ                    0.18
β                     -0.81
ｆ                     13.10
ＩＨ(mm)                4.92
ｆｂ(mm) (in air)       4.21
全長(mm) (in air)      46.58
【０３７３】
実施例１〜２２における条件式（２）〜（２４）の値を掲げる。なお、ハイフン（−）は、該当する構成がないか、条件式を満足しないことを示している。また、条件式（１０）、（１３）については、条件式を満足しているレンズを示している。また、条件式（１）の値は、何れの実施例においても３２５０を上回るので、値は示していない。
【０３７４】
ここで、条件式（１０）のＬ１−Ｌ２は、レンズＬ１とレンズＬ２が条件式（１０）を満足していることを示している。また、条件式（１３）のＬ３−Ｌ６は、レンズＬ３からレンズＬ６までの各レンズが条件式（１３）を満足していることを示している。
条件式
(1)            2Y/p
(2)            β
(3)            CRAobj
(4)            LL/√(Y×Yobj)
(5)            LTL/Doi
(6)            DG1G2/φs
(7)            Dmax/LL
(8)            DG2max/Y
(9)            f/fG2
(10)           φG1o×|β|/Y
(11)           βG1o
(12)           fG1o/f
(13)           φG1i×|β|/Y
(14)           (WD×tan(sin-1NA)-φs/2)/LG1s
(15),(15-1)    φs/(2×WD×tan(sin-1NA))
(16),(16-1)    (Yobj-WD×tanCRAobj)/LG1s
(17)           fG1pn/fG1
(18)           Dos/Doi
(19)           BF/LL
(20)           Dos/LG1
(21)           1/νdmin-1/νdmax
(22)           CRAimg/CRAobj
(23)           LG1/LG2
(24)           DsBS/DBSi
実施例１    実施例２    実施例３    実施例４    実施例５
(1)
(2)        -0.43       -0.43       -0.43       -0.35       -0.40
(3)         5.1         5.1         5.1         5.0         5.1
(4)         5.34        5.33        5.33        5.88        5.52
(5)         0.75        0.75        0.75        0.75        0.75
(6)         0.017       0.013       0.026       0.155       0.069
(7)         0.23        0.23        0.29        0.34        0.32
(8)         0.53        0.53        0.56        0.66        0.56
(9)         2.05        2.04        1.91        1.90        1.83
(10)        L1-L2       L1-L2       L1-L2       L1-L2       L1-L2
(11)        3.22        3.30        2.80        2.54        2.71
(12)        2.23        2.28        2.66        2.73        2.68
(13)        L3-L6       L3-L6       L3-L6       L3-L6       L3-L6
(14)       -0.05       -0.05       -0.05       -0.05       -0.05
(15)        1.97        1.99        2.07        2.36        2.22
(15-1)      2.07        2.09        2.18        2.34        2.23
(16)        0.40        0.40        0.39        0.39        0.39
(16-1)      0.40        0.40        0.39        0.39        0.39
(17)       -0.11       -0.10       -0.12       -0.11       -0.15
(18)        0.72        0.72        0.73        0.73        0.73
(19)        0.02        0.02        0.02        0.02        0.02
(20)        1.56        1.55        1.55        1.55        1.55
(21)        0.030       0.030       0.030       0.030       0.030
(22)        4.71        4.71        4.74        4.68        4.44
(23)        1.66        1.74        1.86        1.89        1.86
(24)         -           -           -           -           -
実施例６    実施例７    実施例８    実施例９    実施例１０
(1)
(2)        -0.40       -0.40       -0.33       -0.40       -0.40
(3)         5.1         5.1         2.6         2.6         2.1
(4)         5.49        5.51        5.75        5.33        8.20
(5)         0.72        0.70        0.85        0.80        0.86
(6)         0.164       0.116       0.017       0.029       0.040
(7)         0.32        0.30        0.26        0.23        0.16
(8)         0.57        0.58        0.52        0.51        2.10
(9)         2.00        2.04        2.33        1.96        2.16
(10)        L1-L2       L1-L2       L1-L2       L1-L2       L1-L2
(11)        3.11        3.63        1.81        2.28        4.08
(12)        2.66        2.63        1.72        1.44        1.40
(13)        L3-L6       L3-L6       L3-L6       L3-L6       L3-L7
(14)       -0.03       -0.03       -0.06       -0.06       -0.06
(15)        1.99        1.86        4.31        2.92        3.83
(15-1)      1.91        1.80        4.57        2.95        3.83
(16)        0.38        0.37        0.42        0.42        0.32
(16-1)      0.38        0.37        0.42        0.42        0.32
(17)       -0.12       -0.12       -0.40       -0.65       -0.20
(18)        0.74        0.76        0.74        0.71        0.63
(19)        0.03        0.03        0.02        0.05        0.03
(20)        1.62        1.66        1.26        1.40        1.30
(21)        0.030       0.030       0.030       0.030       0.030
(22)        4.46        4.51        9.59        9.47        8.47
(23)        1.96        2.05        2.38        2.02        1.39
(24)         -           -           -           -          0.44
実施例１１  実施例１２  実施例１３  実施例１４  実施例１５
(1)
(2)        -0.33       -0.32       -0.16       -0.09       -0.20
(3)         1.9         2.0         2.1         2.1         2.1
(4)         9.04        8.73        6.79        9.13        6.55
(5)         0.82        0.72        0.82        0.82        0.83
(6)         0.018       0.007       0.630       0.222       0.733
(7)         0.23        0.25        0.26        0.34        0.20
(8)         2.55        2.63        0.65        0.50        0.54
(9)         2.66        2.73        4.83        4.40        4.28
(10)        L1-L2       L1-L2       L1-L2       L1-L2       L1-L2
(11)        3.15       11.51        1.50        4.62        1.39
(12)        1.47        1.35        1.11        1.74        1.37
(13)        L3-L7       L3-L7       L3-L5       L3-L5       L3-L5
(14)       -0.07       -0.05       -0.03       -0.04       -0.04
(15)        3.10        2.05        4.09        5.30        4.26
(15-1)      3.27        1.96        4.30         -           -
(16)        0.31        0.32        0.50        0.46        0.47
(16-1)      0.31        0.32        0.50         -           -
(17)       -0.07       -0.11       -0.02        0.03        0.02
(18)        0.65        0.69        0.75        0.81        0.75
(19)        0.03        0.03        0.03        0.03        0.03
(20)        1.41        1.71        1.36        1.29        1.38
(21)        0.030       0.030       0.017       0.017       0.022
(22)        6.64        6.09        5.43        4.67       10.70
(23)        1.38        1.36        2.52        3.81        2.43
(24)        0.46        0.47         -           -           -
実施例１６  実施例１７  実施例１８  実施例１９  実施例２０
(1)
(2)        -0.85       -0.70       -0.70       -0.80       -0.70
(3)         4.1         4.1         3.9         3.8         2.2
(4)         9.61       10.33       10.33       11.07       10.44
(5)         0.75        0.74        0.68        0.68        0.79
(6)         0.339       0.141       0.155       0.161       0.306
(7)         0.06        0.24        0.25        0.26        0.08
(8)         0.65        2.98        3.10        3.18        0.91
(9)         0.08       -0.40       -0.59       -0.61        0.84
(10)         -           -           -           -           -
(11)         -           -           -           -           -
(12)         -           -           -           -           -
(13)         -           -           -           -           -
(14)        0.00       -0.04        0.01        0.02       -0.02
(15)        0.96        1.27        0.94        0.89        1.15
(15-1)      0.97        1.28        0.95        0.89        1.15
(16)        0.16        0.17        0.16        0.15        0.22
(16-1)      0.16        0.17        0.16        0.15        0.22
(17)         -           -           -           -           -
(18)        0.65        0.63        0.65        0.61        0.57
(19)        0.05        0.04        0.04        0.04        0.04
(20)        1.75        1.73        2.03        2.19        1.68
(21)        0.030       0.025       0.025       0.025       0.024
(22)        5.42        5.66        5.79        5.75        6.67
(23)        1.20        1.11        1.03        0.78        0.88
(24)         -          0.42        0.55        0.85         -
実施例２１  実施例２２
(1)
(2)        -0.80       -0.81
(3)         3.0         2.6
(4)         8.80        7.74
(5)         0.75        0.72
(6)         0.675       0.488
(7)         0.20        0.14
(8)         0.48        0.42
(9)         0.73        1.09
(10)         -           -
(11)         -           -
(12)         -           -
(13)         -           -
(14)       -0.01        0.02
(15)        1.09        0.89
(15-1)      1.09        0.89
(16)        0.21        0.26
(16-1)      0.21        0.26
(17)         -           -
(18)        0.60        0.60
(19)        0.09        0.10
(20)        1.76        2.04
(21)        0.022       0.025
(22)        6.92        8.08
(23)        1.16        0.92
(24)         -           -
【０３７５】
また、変数の値を以下に掲げる。なお、ｆL1は第１レンズＬ１の焦点距離、ｆLR1は最終レンズの１つ前のレンズの焦点距離、ｆLRは最終レンズの焦点距離、である。
実施例１    実施例２    実施例３    実施例４
Doi              240.0       240.0       240.0       240.0
Yobj              50.5        50.5        50.5        50.5
Y                21.7        21.7        21.6        17.9
LTL              180.0       180.0       180.0       180.0
LL               176.5       176.4       176.0       176.5
WD               60.0        60.0        60.0        60.0
BF                3.5         3.7         4.0         3.5
NA                0.09        0.09        0.09        0.07
β               -0.43       -0.43       -0.43       -0.35
f                44.8        44.3        43.2        44.9
φs               21.4        21.6        22.5        19.9
Dos              171.6       173.6       176.3       176.0
DG1G2               0.4         0.3         0.6         3.1
LG1              110.0       111.9       114.1       113.3
LG2               66.2        64.1        61.3        60.1
CRAobj              5.1         5.1         5.1         5.0
CRAimg             24.0        24.0        24.0        23.4
Dmax               41.1        39.7        50.7        60.7
DG2max             11.5        11.6        12.0        11.7
νdmax             81.6        81.6        81.6        81.6
νdmin             23.8        23.8        23.8        23.8
fG1              503.5       566.5       581.5       685.7
fG2               21.9        21.7        22.6        23.6
fL1              160.5       162.4       205.7       232.5
fLR1              167.0       173.5       161.4       134.5
fLR               -39.6       -39.5       -37.5       -37.9
実施例５    実施例６    実施例７    実施例８
Doi              240.0       249.6       256.0       200.7
Yobj              50.5        50.5        50.5        50.5
Y                20.1        20.2        20.1        16.7
LTL              180.0       179.6       180.0       170.7
LL               176.1       175.2       175.6       166.7
WD               60.0        70.0        76.0        30.0
BF                3.9         4.4         4.5         4.0
NA                0.08        0.05        0.05        0.07
β               -0.40       -0.40       -0.40       -0.33
f                44.1        45.9        46.5        57.1
φs               21.4        13.9        14.2        18.1
Dos              175.6       185.7       194.3       148.0
DG1G2               1.5         2.3         1.6         0.3
LG1              113.6       114.4       116.9       117.2
LG2               61.0        58.5        57.0        49.2
CRAobj              5.1         5.1         5.1         2.6
CRAimg             22.5        22.6        22.8        25.0
Dmax               55.6        55.5        53.4        44.1
DG2max             11.3        11.6        11.6         8.7
νdmax             81.6        81.6        81.6        81.6
νdmin             23.8        23.8        23.8        23.8
fG1              521.3       586.4       595.2       205.7
fG2               24.1        23.0        22.8        24.5
fL1              235.0       231.2       230.9       146.5
fLR1              159.8       208.1       210.1      -307.4
fLR               -37.8       -39.9       -39.6       -66.9
実施例９    実施例１０  実施例１１  実施例１２
Doi              110.7       157.0       165.0       178.6
Yobj              25.2        25.2        25.2        25.2
Y                10.0        10.1         8.3         8.1
LTL               88.7       135.0       135.0       128.6
LL                84.7       131.0       131.0       124.6
WD               22.0        22.0        30.0        50.0
BF                4.0         4.0         4.0         4.0
NA                0.08        0.08        0.08        0.07
β               -0.40       -0.40       -0.33       -0.32
f                29.3        36.4        40.8        44.6
φs               10.3        13.5        14.9        14.4
Dos               79.1        99.1       107.0       122.7
DG1G2               0.3         0.5         0.3         0.1
LG1               56.5        76.0        75.9        71.8
LG2               27.9        54.5        54.9        52.7
CRAobj              2.6         2.1         1.9         2.0
CRAimg             25.0        17.4        12.6        12.2
Dmax               19.3        21.2        29.6        30.9
DG2max              5.1        21.2        21.2        21.2
νdmax             81.6        81.6        81.6        81.6
νdmin             23.8        23.8        23.8        23.8
fG1               80.8       166.7       393.2       258.3
fG2               15.0        16.8        15.4        16.3
fL1               80.4        94.8       116.9       131.3
fLR1               35.0        32.4        23.3        25.2
fLR               -14.6       -18.0       -17.1       -18.0
実施例１３  実施例１４  実施例１５  実施例１６
Doi              170.7       170.7       181.0        71.8
Yobj              50.5        50.5        50.5         5.8
Y                 8.0         4.4         9.9         4.9
LTL              140.7       140.7       151.0        53.7
LL               136.6       136.7       146.7        51.2
WD               30.0        30.0        30.0        18.1
BF                4.1         4.0         4.3         2.4
NA                0.03        0.03        0.04        0.21
β               -0.16       -0.09       -0.20       -0.85
f                69.7        49.8        55.4        11.7
φs                7.4         9.6        10.2         7.5
Dos              128.1       137.7       136.1        46.5
DG1G2               4.6         2.1         7.5         2.6
LG1               94.5       106.6        98.6        26.5
LG2               37.4        28.0        40.6        22.1
CRAobj              2.1         2.1         2.1         4.1
CRAimg             11.6         9.9        22.1        21.9
Dmax               35.5        47.0        29.4         3.2
DG2max              5.2         2.2         5.4         3.2
νdmax             81.6        81.6        81.6        81.6
νdmin             34.7        34.7        29.5        23.9
fG1             1034.1      -262.1     -1054.0        14.5
fG2               14.4        11.3        12.9       152.0
fL1              130.9       194.7       124.0        20.1
fLR1              128.5        34.0     -3489.1       -30.9
fLR              -257.0       316.1       -46.7       -16.0
実施例１７  実施例１８  実施例１９  実施例２０
Doi               84.9        93.1        93.1        81.0
Yobj               7.0         7.0         6.1         7.0
Y                 4.9         4.9         4.9         4.9
LTL               63.0        63.0        63.0        63.7
LL                60.7        60.7        60.7        61.3
WD               21.9        30.1        30.1        17.3
BF                2.3         2.3         2.3         2.3
NA                0.18        0.18        0.18        0.20
β               -0.70       -0.70       -0.80       -0.70
f                11.8        12.6        12.2        17.1
φs               10.3        10.5         9.8         8.1
Dos               53.8        60.9        56.8        46.3
DG1G2               1.4         1.6         1.6         2.5
LG1               31.1        30.0        25.9        27.5
LG2               28.1        29.1        33.2        31.3
CRAobj              4.1         3.9         3.8         2.2
CRAimg             23.0        22.8        21.6        14.6
Dmax               14.7        15.2        15.6         4.9
DG2max             14.7        15.2        15.6         4.5
νdmax             81.6        81.6        81.6        81.6
νdmin             26.5        26.5        26.5        27.5
fG1               19.6        19.8        18.9        18.7
fG2              -29.2       -21.6       -19.9        20.4
fL1               38.6        40.9        40.2        44.5
fLR1              -19.4       -16.6       -15.8       -33.0
fLR               -11.1       -12.3       -12.9       -15.7
実施例２１  実施例２２
Doi               70.0        64.6
Yobj               6.1         6.1
Y                 4.9         4.9
LTL               52.6        46.7
LL                48.3        42.4
WD               17.4        17.9
BF                4.3         4.3
NA                0.15        0.18
β               -0.80       -0.81
f                13.3        13.1
φs                5.8         5.8
Dos               42.0        38.6
DG1G2               3.9         2.8
LG1               23.8        18.9
LG2               20.5        20.6
CRAobj              3.0         2.6
CRAimg             21.1        20.7
Dmax                9.6         6.0
DG2max              2.4         2.1
νdmax             81.6        81.6
νdmin             29.5        26.5
fG1               18.3        16.3
fG2               18.1        12.0
fL1              -37.2        29.1
fLR1              -21.9       551.4
fLR                -9.6        -9.1
【０３７６】
また、φG1oとφG1iの値を以下に掲げる。上段の値は最大値を表し、下段の値は最小値を表している。また、Ｌ１〜Ｌ７は第１レンズ〜第７レンズを表し、“ｏ”は物体側のレンズ面を表し、“ｉ”は像側のレンズ面を表している。例えば、Ｌ１−ｏは第１レンズの物体側のレンズ面を意味し、Ｌ３−ｉは第３レンズの像側のレンズ面を意味している。
実施例１        実施例２        実施例３        実施例４
φG1o    L1-o  101.49    L1-o  102.33    L1-o  104.37    L1-o  101.64
L2-i   94.52    L2-i   94.47    L2-i   98.12    L2-i   95.56
φG1i    L3-o   38.74    L3-o   40.11    L3-o   34.31    L3-o   26.77
L6-i   21.65    L6-i   21.83    L6-i   22.68    L6-i   20.61
実施例５        実施例６        実施例７        実施例８
φG1o    L1-i  104.62    L1-o   98.66    L1-o   97.76    L1-o  102.08
L2-i   99.06    L2-i   92.7     L2-i   91.66    L2-i   77.22
φG1i    L3-o   30.87    L3-o   28.45    L3-o   30.85    L3-o   24.73
L6-i   21.65    L6-i   14.24    L6-i   14.48    L6-i   18.35
実施例９        実施例１０      実施例１１      実施例１２
φG1o    L1-o   51.23    L1-i   54.79    L1-i   55.65    L1-i   56.19
L2-i   41.85    L2-i   42.77    L2-i   50.03    L2-i   52.75
φG1i    L3-o   15.04    L3-o   22.29    L3-o   17.63    L3-o   20.21
L6-i   10.6     L7-i   13.69    L7-i   14.99    L7-i   14.53
実施例１３      実施例１４      実施例１５
φG1o    L1-o  101.37    L1-o  101.01    L1-o  104.43
L2-i   64.99    L2-i   72.93    L2-i   57.88
φG1i    L3-o   20.61    L3-o   17.96    L3-o   25.29
L5-i    8.48    L5-i    9.61    L5-i   11.92
【０３７７】
また、各実施例のバリエーションとして、各実施例の画素ピッチｐは以下に示す値とすることができる。なお、各変形例には、画素ピッチｐの値を複数示している。
実施例１の変形例    約１３．３μｍ、約５μｍ、約３μｍ、約１μｍ
実施例２の変形例    約１３．３μｍ、約５μｍ、約３μｍ、約１μｍ
実施例３の変形例    約１３．２μｍ、約５μｍ、約３μｍ、約１μｍ
実施例４の変形例    約１１．０μｍ、約５μｍ、約３μｍ、約１μｍ
実施例５の変形例    約１２．３μｍ、約５μｍ、約３μｍ、約１μｍ
実施例６の変形例    約１２．４μｍ、約５μｍ、約３μｍ、約１μｍ
実施例７の変形例    約１２．３μｍ、約５μｍ、約３μｍ、約１μｍ
実施例８の変形例    約１０．２μｍ、約５μｍ、約３μｍ、約１μｍ
実施例９の変形例    約６．１μｍ、約３μｍ、約１μｍ
実施例１０の変形例  約６．２μｍ、約３μｍ、約１μｍ
実施例１１の変形例  約５．１μｍ、約３μｍ、約１μｍ
実施例１２の変形例  約４．９μｍ、約３μｍ、約１μｍ
実施例１３の変形例  約４．９μｍ、約３μｍ、約１μｍ
実施例１４の変形例  約２．７μｍ、約１μｍ
実施例１５の変形例  約６．１μｍ、約３μｍ、約１μｍ
実施例１６の変形例  約３．０μｍ、約１μｍ
実施例１７の変形例  約３．０μｍ、約１μｍ
実施例１８の変形例  約３．０μｍ、約１μｍ
実施例１９の変形例  約３．０μｍ、約１μｍ
実施例２０の変形例  約３．０μｍ、約１μｍ
実施例２１の変形例  約３．０μｍ、約１μｍ
実施例２２の変形例  約３．０μｍ、約１μｍ
【０３７８】
図２３は、本実施形態の光学機器である顕微鏡を示す図である。顕微鏡１は正立型の顕微鏡である。図２３に示すように、顕微鏡１は、本体２、ステージ３、撮像部４、照明ユニット５、照準ノブ６、光学系７、撮像素子８を備える。
【０３７９】
本体２には、ステージ３、撮像部４及び照準ノブ６が設けられている。ステージ３の上には、標本が載置される。ステージ３の光軸方向への移動は、照準ノブ６によって行なわれる。照準ノブ６の操作（回転）によってステージ３を移動させ、これにより、標本に対するピント合わせができる。そのために、本体２とステージ３との間に移動機構（不図示）が設けられている。
【０３８０】
撮像部４には、照明ユニット５が設けられている。撮像部４と照明ユニット５は、ステージ３の上方に位置している。照明ユニット５には、照明素子５ａが輪帯状に配置されている。照明素子５ａとしては、例えば、ＬＥＤがある。
【０３８１】
撮像部４の内部には、光学系７と撮像素子８が配置されている。光学系７には、例えば、実施例１の光学系が用いられている。光学系７は、第１レンズ群７ａと、第２レンズ群７ｂと、を有する。第１レンズ群７ａの先端は、照明ユニット５の中央部に位置している。
【０３８２】
照明ユニット５から、標本に照明光が照射される。この場合、照明は落射照明になる。標本からの反射光や蛍光は、光学系７を通過して撮像素子８に入射する。撮像素子８の撮像面には、標本像（光学像）が形成される。標本像は撮像素子８によって光電変換され、これにより標本の画像が得られる。標本の画像は表示装置（不図示）に表示される。このようにして、観察者は、標本の画像を観察できる。
【０３８３】
ここで、顕微鏡１は、光学系７（本実施形態の光学系）を備えている。この光学系７は、全長が短い光学系でありながら、広い撮影範囲を有し、収差が良好に補正され、高い分解能を有する。そのため、顕微鏡１では、広い範囲で諸収差が良好に補正され、明るく鮮明な標本像が得られる。
【０３８４】
なお、上記の例では、光学系を撮像部に配置したが、これに限られない。例えば、同焦点距離が７５ｍｍの対物レンズでは、レンズを保持する枠部材に、本実施例の光学系と撮像素子を配置できる。この場合、既存の対物レンズと同様に、本実施例の光学系をレボルバーに取り付けることができる。このようにすれば、既存の対物レンズと本実施形態の光学系を切り替えて使用できる。
【０３８５】
また、上記光学系を用いる光学機器として顕微鏡の例を用いて説明した。しかしながら、本発明の光学系は、これに限られず、光学機器として、たとえば電子撮像装置（携帯カメラ用レンズユニット、ノートＰＣ、携帯情報端末）へ適用できる。
【０３８６】
なお、撮像部４は光学系７と撮像素子８を備えているので、撮像部４を撮像装置と見なすことができる。この場合、顕微鏡１は、撮像部４、ステージ３及び照明ユニット５（照明装置）を備えているので、撮像システムということができる。なお、図２３では、ステージ３は、照準機構（照準ノブ６）を介して本体２に接続されているが、移動機構を介さずにステージ３を本体２に直接取り付けても良い。このようにすることで、本体２を介して、撮像部４とステージ３とを一体化することができる。
【０３８７】
図２４は、本実施形態の光学機器である顕微鏡を示す図である。顕微鏡１０は、正立型の顕微鏡である。顕微鏡１（図２３）と同じ構成については同じ番号を付し、説明は省略する。
【０３８８】
撮像部４の内部には、光学系１１と撮像素子８が配置されている。光学系１１には、例えば、実施例１の光学系が用いられている。光学系１１は、第１レンズ群１１ａと第２レンズ群１１ｂと、を有する。
【０３８９】
顕微鏡１では、光学系７側に照明ユニット５が設けられていた。これに対して、顕微鏡１０では、ステージ３を挟んで光学系１１と反対側に照明ユニット１２が設けられている。これにより、顕微鏡１０では透過照明が行える。照明ユニット１２は、光源部１３とライトガイドファイバ１４とで構成されている。
【０３９０】
光源部１３は、光源として、例えばハロゲンランプ、水銀ランプ、キセノンランプ、ＬＥＤ、レーザを備える。また、光源部１３はレンズを備える。光源から出射した照明光は、レンズを介してライトガイドファイバ１４の入射端１５に入射する。ライトガイドファイバ１４に入射した照明光は、ライトガイドファイバ１４内を伝達して出射端１６から出射する。
【０３９１】
ライトガイドファイバ１４の出射端１６は、保持機構（不図示）によってステージ３に接続されている。ここで、ライトガイドファイバ１４の出射端１６は、ステージ３の下面に位置している。よって、出射端１６から出射した照明光は、ステージ３の下側から光学系１１側に向かって標本に照射される。このようにして、顕微鏡１０では透過照明が行われる。
【０３９２】
なお、ライトガイドファイバ１４の保持はステージ３で行っているが、ステージ３以外の手段でライトガイドファイバ１４を保持しても良い。また、ライトガイドファイバ１４の出射端１６をステージ３の上面（光学系７側）に位置させても良い。このようにすることで、顕微鏡１と同様に、顕微鏡１０において落射照明を行うことができる。
【０３９３】
標本からの透過光や蛍光は、光学系１１を通過して撮像素子８に入射する。撮像素子８の撮像面には、標本像（光学像）が形成される。標本像は撮像素子８によって光電変換され、これにより標本の画像が得られる。標本の画像は表示装置（不図示）に表示される。このようにして、観察者は、標本の画像を観察できる。
【０３９４】
顕微鏡１０も、光学系１１（本実施形態の光学系）を備えている。この光学系１１は、全長が短い光学系でありながら、広い撮影範囲を有し、収差が良好に補正され、高い分解能を有する。そのため、顕微鏡１０では、広い範囲で諸収差が良好に補正され、明るく鮮明な標本像が得られる。なお、顕微鏡１０は落射照明であっても構わない。また、顕微鏡１０を構成する各部材の配置は、適宜設計変更可能である。
【０３９５】
図２５は、本実施形態の光学機器である顕微鏡を示す図である。顕微鏡２０は、倒立型の顕微鏡である。顕微鏡２０は、本体２１、ステージ２２、撮像部４、光学系２３、撮像素子８、照準ノブ２４、透過照明光源２５、反射ミラー２６、コンデンサレンズ２７を備える。
【０３９６】
ここで、撮像部４の内部には、光学系２３と撮像素子８が配置されている。光学系２３には、例えば、実施例１の光学系が用いられている。光学系２３は、第１レンズ群２３ａと第２レンズ群２３ｂと、を有する。
【０３９７】
本体２１には、ステージ２２、撮像部４及び照準ノブ２４が設けられている。ステージ２２の上には、標本が載置される。撮像部４の光軸方向への移動は、照準ノブ２４によって行なわれる。照準ノブ２４の操作（回転）によって撮像部４を移動させ、これにより、標本に対するピント合わせができる。そのために、本体２１内には移動機構（不図示）が設けられ、移動機構に撮像部４が保持されている。
【０３９８】
また、本体２１には、透過照明光源２５、反射ミラー２６及びコンデンサレンズ２７が設けられている。透過照明光源２５、反射ミラー２６及びコンデンサレンズ２７は、ステージ２２の上方に配置されている。透過照明光源２５から出射した照明光は反射ミラー２６で反射され、コンデンサレンズ２７に入射する。コンデンサレンズ２７は、ステージ２２の上面に位置している。よって、コンデンサレンズ２７から出射した照明光は、ステージ２２の上側から光学系２３側に向かって標本に照射される。このようにして、顕微鏡２０では透過照明が行われる。
【０３９９】
顕微鏡２０も、光学系２３（本実施形態の光学系）を備えている。この光学系２３は、全長が短い光学系でありながら、広い撮影範囲を有し、収差が良好に補正され、高い分解能を有する。そのため、顕微鏡１では、広い範囲で諸収差が良好に補正され、明るく鮮明な標本像が得られる。なお、顕微鏡２０を構成する各部材の配置は、適宜設計変更可能である。
【０４００】
図２６は、本実施形態の光学機器である顕微鏡を示す図である。図２６（ａ）は顕微鏡の全体構成を示す図、（ｂ）は顕微鏡３０を固定した状態を示す図である。
【０４０１】
顕微鏡３０は、携帯型の顕微鏡である。顕微鏡３０は、プローブ部３１、コントロールボックス３２、ライトガイドファイバ３３、ケーブル３４、撮像部４、光学系３５、撮像素子８、照明用導光体３６、光源３７を備える。
【０４０２】
撮像部４の内部には、光学系３５と撮像素子８が配置されている。光学系３５には、例えば、実施例１の光学系が用いられている。光学系３５は、第１レンズ群３５ａと第２レンズ群３５ｂと、を有する。
【０４０３】
プローブ部３１とコントロールボックス３２は、ライトガイドファイバ３３とケーブル３４により接続されている。コントロールボックス３２は、光源３７と処理部（不図示）とを有する。処理部は、プローブ部３１からの映像信号を処理する。
【０４０４】
プローブ部３１は、使用者が手に持つことができる大きさである。プローブ部３１は、撮像部４と照明用導光体３６とを有する。照明用導光体３６は撮像部４の外周側に配置されている。照明用導光体３６はライトガイドファイバ３３と光学的に接続されている。光源３７から出射した照明光はライトガイドファイバ３３内を伝達して、照明用導光体３６に入射する。照明光は照明用導光体３６内を伝達して、プローブ部３１から出射する。このようにして、顕微鏡３０では落射照明が行われる。
【０４０５】
標本からの反射光や蛍光は、光学系３５を通過して撮像素子８に入射する。撮像素子８の撮像面には、標本像（光学像）が形成される。標本像は撮像素子８によって光電変換され、これにより標本の画像が得られる。標本の画像は表示装置（不図示）に表示される。このようにして、観察者は、標本の画像を観察できる。
【０４０６】
プローブ部３１は、ライトガイドファイバ３３とケーブル３４によりコントロールボックス３２に接続されている。そのため、プローブ部３１の位置や向きを自由に設定することができる。この場合、プローブ部３１の姿勢（位置や向き）の固定は、観察者の手で行うことになる。しかしながら、観察者の手による固定では、十分に安定しない場合がある。
【０４０７】
プローブ部３１の姿勢（位置や向き）を安定させるためには、図２６（ｂ）に示すように架台３８でプローブ部３１を保持すれば良い。このようにすることで、プローブ部３１の姿勢（位置や向き）を安定させることができる。
【０４０８】
なお、架台３８には、照準ノブ３９が設けられている。プローブ部３１（撮像部４）の光軸方向への移動は、照準ノブ３９によって行なわれる。照準ノブ３９の操作（回転）によってプローブ部３１を移動させ、これにより、標本に対するピント合わせができる。そのために、架台３８内には移動機構（不図示）が設けられている。
【０４０９】
顕微鏡３０も、光学系３５（本実施形態の光学系）を備えている。この光学系３５は、全長が短い光学系でありながら、広い撮影範囲を有し、収差が良好に補正され、高い分解能を有する。そのため、顕微鏡３０では、広い範囲で諸収差が良好に補正され、明るく鮮明な標本像が得られる。なお、顕微鏡３０を構成する各部材の配置は、適宜設計変更可能である。
【０４１０】
図２７は、本実施形態の光学機器である顕微鏡を示す図である。顕微鏡１は正立型の顕微鏡である。図２７に示すように、顕微鏡４０は、本体４１、ステージ４２、撮像部４、光学系４３、撮像素子８、照準ノブ４４、照明ユニット４５、光源部４６を備える。
【０４１１】
本体４１には、ステージ４２、撮像部４及び照準ノブ４４が設けられている。ステージ４２の上には、標本が載置される。ステージ４２の光軸方向への移動は、照準ノブ４４によって行なわれる。照準ノブ４４の操作（回転）によってステージ４２を移動させ、これにより、標本に対するピント合わせができる。そのために、本体４１とステージ４２の間に移動機構（不図示）が設けられている。
【０４１２】
撮像部４には、接続部４７が設けられている。この接続部４７には、照明ユニット４５の一端が接続されている。また、照明ユニット４５の他端には、光源部４６が接続されている。照明ユニット４５は、複数のレンズや絞りを備え、ケーラー照明やクリティカル照明が行えるようになっている。また、照明ユニット４５は、光学フィルタを有していても良い。光源部４６は、光源として、例えばハロゲンランプ、水銀ランプ、キセノンランプ、ＬＥＤ、レーザを備える。
【０４１３】
撮像部４の内部には、光学系４３と撮像素子８が配置されている。光学系４３には、例えば、実施例１１の光学系が用いられている。光学系４３は、第１レンズ群４３ａと、第２レンズ群４３ｂと、を有する。
【０４１４】
第２レンズ群４３ｂ内には、ビームスプリッタ４８が配置されている。ビームスプリッタ４８は光路分割素子である。ビームスプリッタ４８によって、第１の光路４９と第２の光路５０とが形成される。
【０４１５】
ビームスプリッタ４８よりも物体側（標本側）の光路は、共通光路である。共通光路には、第１レンズ群４３ａと第２レンズ群４３ｂの一部とが配置されている。ビームスプリッタ４８よりも撮像素子８側には、第１の光路４９と第２の光路５０が形成されている。第１の光路４９は、共通の光路の延長線上に形成されている。第１の光路４９には、第２レンズ群４３ｂの一部のレンズと撮像素子８が配置されている。
【０４１６】
一方、第２の光路５０は、共通の光路と直交する方向に形成されている。そして、第２の光路５０の延長線が撮像部４の外周面と交わる位置に、接続部４７が設けられている。この接続部４７に照明ユニット４５が接続されている。
【０４１７】
照明ユニット４５から、標本に照明光が照射される。この場合、照明は落射照明になる。標本からの反射光や蛍光は、光学系４３を通過して撮像素子８に入射する。撮像素子８の撮像面には、標本像（光学像）が形成される。標本像は撮像素子８によって光電変換され、これにより標本の画像が得られる。標本の画像は表示装置（不図示）に表示される。このようにして、観察者は、標本の画像を観察できる。
【０４１８】
ここで、顕微鏡４０は、光学系４３（本実施形態の光学系）を備えている。この光学系４３は、全長が短い光学系でありながら、広い撮影範囲を有し、収差が良好に補正され、高い分解能を有する。そのため、顕微鏡４０では、広い範囲で諸収差が良好に補正され、明るく鮮明な標本像が得られる。
【０４１９】
なお、顕微鏡１、顕微鏡１０、顕微鏡２０、顕微鏡３０、顕微鏡４０の各々には、実施例１〜２２の光学系のうちのどの光学系でも用いることができる。
【０４２０】
このように、本発明は、その趣旨を逸脱しない範囲で様々な変形例をとることができる。また、上記各実施例により示された形状枚数には必ずしも限定されない。また、各レンズ群内又は各レンズ群外に、上記各実施例に図示されていないレンズであって実質的に屈折力を有さないレンズを配置してもよい。
【０４２１】
また、本発明には、上述の発明の他に以下の発明も含まれる。
【０４２２】
（付記項１）
撮像素子と、光学系と、を有する撮像装置であって、
前記撮像素子は、光強度を電気信号に変換する画素を複数有し、前記複数の画素は２次元に配列され、
前記光学系によって、前記撮像素子上に光学像が形成され、
前記光学系は、物体側から順に、
複数のレンズからなる第１レンズ群と、
絞りと、
複数のレンズからなる第２レンズ群と、からなり、
前記第１レンズ群は、最も物体側に配置された第１物体側レンズを有し、
前記第２レンズ群は、最も像側に配置された第２像側レンズを有し、
以下の条件式（１）、（２）、（３）、（４）、（５）を満足することを特徴とする撮像装置。
３２５０＜２Ｙ／ｐ      （１）
−１．０＜β      （２）
ＣＲＡobj＜１０ｄｅｇ      （３）
２．０＜ＬL／√（Ｙ×Ｙobj）＜１５．０      （４）
０．５＜ＬTL／Ｄoi＜０．９５      （５）
ここで、
Ｙは、前記光学系全系における最大像高、
ｐは、前記撮像素子における画素ピッチ、
βは、前記光学系の結像倍率、
ＣＲＡobjは、前記第１物体側レンズに入射する主光線と光軸とのなす角度のうち、最大となる角度、
ＬLは、前記第１物体側レンズの物体側面から前記第２像側レンズの像側面までの光軸上の距離、
Ｙobjは、最大物体高、
ＬTLは、前記第１物体側レンズの物体側面から像までの光軸上の距離、
Ｄoiは、物体から像までの光軸上の距離、
である。
角度の正負は、光軸から時計回りの方向に測った場合の角度を負、反時計回りの方向に測ったときの角度を正とする。
（付記項２）
前記第１レンズ群は、最も像側に配置された第１像側レンズを有し、
前記第２レンズ群は、最も物体側に配置された第２物体側レンズを有し、
以下の条件式（６）を満足することを特徴とする付記項１に記載の撮像装置。
ＤG1G2／φs＜２．０      （６）
ここで、
ＤG1G2は、前記第１像側レンズの像側面から前記第２物体側レンズの物体側面までの光軸上の距離、
φsは、前記絞りの直径、
である。
（付記項３）
以下の条件式（７）を満足することを特徴とする付記項１に記載の撮像装置。
０．０３＜Ｄmax／ＬL＜０．５      （７）
ここで、
Ｄmaxは、前記光学系における隣り合うレンズの光軸上の間隔のうち、最大となる間隔、
ＬLは、前記第１物体側レンズの物体側面から前記第２像側レンズの像側面までの光軸上の距離、
である。
（付記項４）
以下の条件式（８）を満足することを特徴とする付記項１に記載の撮像装置。
０．１＜ＤG2max／Ｙ＜１．５      （８）
ここで、
ＤG2maxは、前記第２レンズ群における隣り合うレンズの光軸上の間隔のうち、最大となる間隔、
Ｙは、前記光学系全系における最大像高、
である。
（付記項５）
以下の条件式（９）を満足することを特徴とする付記項１に記載の撮像装置。
−１．５＜ｆ／ｆG2＜１０．０      （９）
ここで、
ｆは、前記光学系全系の焦点距離、
ｆG2は、前記第２レンズ群の焦点距離、
である。
（付記項５−１）
前記絞りの物体側もしくは像側に、少なくとも１つの接合レンズを有することを特徴とする付記項１に記載の撮像装置。
（付記項５−２）
前記第２レンズ群は、最も像側に所定のレンズ群を有し、
前記所定のレンズ群は全体で負の屈折力を有すると共に、負の屈折力を有する単レンズか２枚のレンズからなり、
前記２枚のレンズは、物体側から順に、負の屈折力を有するレンズと、正または負の屈折力を有するレンズと、からなることを特徴とする付記項１に記載の撮像装置。
（付記項６）
前記第１レンズ群は、最も物体側に配置された物体側レンズ群を含み、
前記物体側レンズ群は全体として正の屈折力を有すると共に、以下の条件式（１０）を満足するレンズにより構成され、
以下の条件式（１１）を満足することを特徴とする付記項１に記載の撮像装置。
０．６＜φG1o×｜β｜／Ｙ      （１０）
０．０＜βG1o      （１１）
ここで、
φG1oは、前記物体側レンズ群を構成する全てのレンズにおける有効径、
βは、前記光学系の結像倍率、
Ｙは、前記光学系全系における最大像高、
βG1oは、前記物体側レンズ群の結像倍率、
である。
（付記項６−１）
前記第１レンズ群は、物体側から順に、前記物体側レンズ群と、像側レンズ群と、からなることを特徴とする付記項６に記載の撮像装置。
（付記項６−２）
前記物体側レンズ群は、少なくとも２枚の正レンズからなり、
前記物体側レンズ群と前記絞りとの間には、少なくとも１枚の負レンズが配置されていることを特徴とする付記項６に記載の撮像装置。
（付記項６−３）
以下の条件式（１２）を満足することを特徴とする付記項６に記載の撮像装置。
０．３＜ｆG1o／ｆ＜１２．０      （１２）
ここで、
ｆG1oは、前記物体側レンズ群の焦点距離、
ｆは、前記光学系全系の焦点距離、
である。
（付記項７）
以下の条件式（１４）を満足することを特徴とする付記項１に記載の撮像装置。
−０．５０＜（ＷＤ×ｔａｎ（ｓｉｎ-1ＮＡ）−φs／２）／ＬG1s＜０．１０      （１４）
ここで、
ＷＤは、物体から前記第１物体側レンズの物体側面までの光軸上の距離、
ＮＡは、前記光学系の物体側の開口数、
φsは、前記絞りの直径、
ＬG1sは、前記第１物体側レンズの物体側面から前記絞りまでの光軸上の距離、
である。
（付記項７−１）
前記第１レンズ群は、物体側から順に、正の屈折力を有するレンズ群と、負または正の屈折力を有するレンズ群と、からなり、
以下の条件式（１４）を満足することを特徴とする付記項１に記載の撮像装置。
−０．５０＜（ＷＤ×ｔａｎ（ｓｉｎ-1ＮＡ）−φs／２）／ＬG1s＜０．１０      （１４）
ここで、
ＷＤは、物体から前記第１物体側レンズの物体側面までの光軸上の距離、
ＮＡは、前記光学系の物体側の開口数、
φsは、前記絞りの直径、
ＬG1sは、前記第１物体側レンズの物体側面から前記絞りまでの光軸上の距離、
である。
（付記項８）
以下の条件式（１５）を満足することを特徴とする付記項１に記載の撮像装置。
０．６０＜φs／（２×ＷＤ×ｔａｎ（ｓｉｎ-1ＮＡ））＜１２．０      （１５）
ここで、
φsは、前記絞りの直径、
ＷＤは、物体から前記第１物体側レンズの物体側面までの光軸上の距離、
ＮＡは、前記光学系の物体側の開口数、
である。
（付記項８−１）
前記第１レンズ群は、物体側から順に、正の屈折力を有するレンズ群と、負または正の屈折力を有するレンズ群と、からなり、
以下の条件式（１５−１）を満足することを特徴とする付記項１に記載の撮像装置。
０．６＜φs／（２×ＷＤ×ｔａｎ（ｓｉｎ-1ＮＡ））＜１２．０      （１５−１
）
ここで、
φsは、前記絞りの直径、
ＷＤは、物体から前記第１物体側レンズの物体側面までの光軸上の距離、
ＮＡは、前記光学系の物体側の開口数、
である。
（付記項９）
以下の条件式（１６）を満足することを特徴とする付記項１に記載の撮像装置。
０．０３＜（Ｙobj−ＷＤ×ｔａｎＣＲＡobj）／ＬG1s＜１．０      （１６）
ここで、
Ｙobjは、最大物体高、
ＷＤは、物体から前記第１物体側レンズの物体側面までの光軸上の距離、
ＣＲＡobjは、前記第１物体側レンズに入射する主光線と光軸とのなす角度のうち、最大となる角度、
ＬG1sは、前記第１物体側レンズの物体側面から前記絞りまでの光軸上の距離、
である。
角度の正負は、光軸から時計回りの方向に測った場合の角度を負、反時計回りの方向に測ったときの角度を正とする。
（付記項９−１）
前記第１レンズ群は、物体側から順に、正の屈折力を有するレンズ群と、負または正の屈折力を有するレンズ群と、からなり、
以下の条件式（１６−１）を満足することを特徴とする付記項１に記載の撮像装置。
０．０３＜（Ｙobj−ＷＤ×ｔａｎＣＲＡobj）／ＬG1s＜１．０      （１６−１）
ここで、
Ｙobjは、最大物体高、
ＷＤは、物体から前記第１物体側レンズの物体側面までの光軸上の距離、
ＣＲＡobjは、前記第１物体側レンズに入射する主光線と光軸とのなす角度のうち、最大となる角度、
ＬG1sは、前記第１物体側レンズの物体側面から前記絞りまでの光軸上の距離、
である。
角度の正負は、光軸から時計回りの方向に測った場合の角度を負、反時計回りの方向に測ったときの角度を正とする。
（付記項１０）
前記第１レンズ群は、最も物体側に配置された物体側レンズ群を含み、
前記物体側レンズ群は全体として正の屈折力を有し、
前記物体側レンズ群は、少なくとも２枚の正レンズを有することを特徴とする付記項９に記載の撮像装置。
（付記項１１）
前記第１レンズ群は、最も像側に配置された像側レンズ群を含み、
前記像側レンズ群は、１枚以上の正レンズと、１枚以上の負レンズと、を有することを特徴とする付記項９に記載の撮像装置。
（付記項１２）
第１レンズ群は、最も像側に配置された像側レンズ群を含み、
以下の条件式（１７）を満足することを特徴とする付記項９に記載の撮像装置。
−１．５＜ｆG1pn／ｆG1＜０．５      （１７）
ここで、
ｆG1pnは、前記像側レンズ群の焦点距離、
ｆG1は、前記第１レンズ群の焦点距離、
である。
（付記項１２−１）
前記絞りよりも像側に正レンズを有することを特徴とする付記項１に記載の撮像装置。（付記項１２−２）
前記第２レンズ群の最も像側に負の屈折力を有するレンズが配置されることを特徴とする付記項１に記載の撮像装置。
（付記項１３）
以下の条件式（１８）を満足することを特徴とする付記項１に記載の撮像装置。
０．４０＜Ｄos／Ｄoi＜０．９０      （１８）
ここで、
Ｄosは、物体から前記絞りまでの光軸上の距離、
Ｄoiは、物体から像までの光軸上の距離、
である。
（付記項１４）
以下の条件式（１９）を満足することを特徴とする付記項１に記載の撮像装置。
０．００５＜ＢＦ／ＬL＜０．４      （１９）
ここで、
ＢＦは、前記第２像側レンズの像側面から像までの光軸上の距離、
ＬLは、前記第１物体側レンズの物体側面から前記第２像側レンズの像側面までの光軸上の距離、
である。
（付記項１５）
以下の条件式（２０）を満足することを特徴とする付記項１に記載の撮像装置。
０．５＜Ｄos／ＬG1＜４．０      （２０）
ここで、
Ｄosは、物体から前記絞りまでの光軸上の距離、
ＬG1は、前記第１物体側レンズの物体側面から前記第１像側レンズの像側面までの光軸上の距離、
である。
（付記項１５−１）
前記第１レンズ群は、正の屈折力を有するレンズと、負の屈折力を有するレンズと、を有し、
前記正の屈折力を有するレンズは、最も物体側に配置され、
前記負の屈折力を有するレンズは、前記正の屈折力を有するレンズと隣り合う位置に配置されていることを特徴とする付記項１５に記載の撮像装置。
（付記項１６）
撮像素子と、光学系と、を有する撮像装置であって、
前記撮像素子は、光強度を電気信号に変換する画素を複数有し、前記複数の画素は２次元に配列され、
前記光学系によって、前記撮像素子上に光学像が形成され、
前記光学系は、物体側から順に、
複数のレンズからなる第１レンズ群と、
絞りと、
複数のレンズからなる第２レンズ群と、を有し、
前記第１レンズ群は、最も物体側に配置された第１物体側レンズを有し、
前記第２レンズ群は、最も像側に配置された第２像側レンズを有し、
前記第１レンズ群は、最も物体側に配置され全体として正の屈折力を有する物体側レンズ群を含み、
前記物体側レンズ群は、以下の条件式（１０）を満足するレンズにより構成され、
以下の条件式（１）、（２）、（４）、（１１）を満足することを特徴とする撮像装置。
３２５０＜２Ｙ／ｐ      （１）
−１．０＜β      （２）
２．０＜ＬL／√（Ｙ×Ｙobj）＜１５．０      （４）
０．６＜φG1o×｜β｜／Ｙ      （１０）
０．０＜βG1o      （１１）
ここで、
Ｙは、前記光学系全系における最大像高、
ｐは、前記撮像素子における画素ピッチ、
βは、前記光学系の結像倍率、
ＬLは、前記第１物体側レンズの物体側面から前記第２像側レンズの像側面までの光軸上の距離、
Ｙobjは、最大物体高、
φG1oは、前記物体側レンズ群を構成する全てのレンズにおける有効径、
βG1oは、前記物体側レンズ群の結像倍率、
である。
（付記項１６−１）
前記第１レンズ群は、物体側から順に、前記物体側レンズ群と、像側レンズ群と、からなることを特徴とする付記項１６に記載の撮像装置。
（付記項１７）
以下の条件式（２１）を満足することを特徴とする付記項１又は１６に記載の撮像装置。
０．０１５＜１／νｄmin−１／νｄmax      （２１）
ここで、
νｄminは、前記光学系を構成するレンズのアッベ数のうち、最小となるアッベ数、
νｄmaxは、前記光学系を構成するレンズのアッベ数のうち、最大となるアッベ数、
である。
（付記項１８）
以下の条件式（２２）を満足することを特徴とする付記項１又は１６に記載の撮像装置。
３．０＜ＣＲＡimg／ＣＲＡobj＜５０．０      （２２）
ここで、
ＣＲＡimgは、像面に入射する主光線と光軸とのなす角度うち、最大となる角度、
ＣＲＡobjは、前記第１物体側レンズに入射する主光線と光軸とのなす角度のうち、最大となる角度、
である。
角度の正負は、光軸から時計回りの方向に測った場合の角度を負、反時計回りの方向に測ったときの角度を正とする。
（付記項１９）
前記第１レンズ群は、最も像側に配置された第１像側レンズを有し、
前記第２レンズ群は、最も物体側に配置された第２物体側レンズを有し、
以下の条件式（２３）を満足することを特徴とする付記項１又は１６に記載の撮像装置。
０．６５＜ＬG1／ＬG2＜５．００      （２３）
ここで、
ＬG1は、前記第１物体側レンズの物体側面から前記第１像側レンズの像側面までの光軸上の距離、
ＬG2は、前記第２物体側レンズの物体側面から前記第２像側レンズの像側面までの光軸上の距離、
である。
（付記項２０）
前記光学系の光路中に光路分割素子が配置され、
前記光路分割素子によって、第１の光路と第２の光路とが形成され、
前記第１の光路に、前記光学系の一部が配置され、
前記分割された第２の光路側に、物体を照射する照明光学系を接続する接続部を有することを特徴とする付記項１又は１６に記載の撮像装置。
（付記項２１）
前記光学系の光路中に光路分割素子が配置され、
前記光路分割素子が前記第２レンズ群内に配置されることを特徴とする付記項１又は１６に記載の撮像装置。
（付記項２２）
以下の条件式（２４）を満足することを特徴とする付記項２１に記載の撮像装置。
０．１＜ＤsBS／ＤBSi＜０．９５      （２４）
ここで、
ＤsBSは、前記絞りから前記光路分割素子までの光軸上の距離、
ＤBSiは、前記光路分割素子から前記撮像素子の撮像面までの光軸上の距離、
である。
（付記項２３）
前記絞りと前記光路分割素子との間に、少なくとも１枚の正レンズが配置されることを特徴とする付記項２１に記載の撮像装置。
（付記項２３−１）
前記正レンズの少なくとも１枚は負レンズと接合されていることを特徴とする付記項１，１６，２３のいずれか１項に記載の撮像装置。
（付記項２３−２）
前記光路分割素子の像側に正レンズが配置され、
前記正レンズの像側には少なくとも１枚の負レンズが配置されていることを特徴とする付記項１，１６，２３のいずれか１項に記載の撮像装置。
（付記項２４）
以下の条件式（３）を満足することを特徴とする付記項１６に記載の撮像装置。
ＣＲＡobj＜１０ｄｅｇ      （３）
ここで、
ＣＲＡobjは、前記第１物体側レンズに入射する主光線と光軸とのなす角度のうち、最大となる角度、
である。
角度の正負は、光軸から時計回りの方向に測った場合の角度を負、反時計回りの方向に測ったときの角度を正とする。
（付記項２５）
付記項１から２４のいずれか一項に記載の撮像装置と、
物体を保持するステージと、
物体を照明する照明装置と、を有することを特徴とする撮像システム。
（付記項２５−１）
前記撮像装置と前記ステージとが一体になっていることを特徴とする付記項２５に記載の撮像システム。
【産業上の利用可能性】
【０４２３】
以上のように、本発明は、広い撮影範囲を確保しつつ、収差が良好に補正され、高い分解能を有しながらも、全長が短い光学系を備える撮像装置及び撮像システムに適している。
【符号の説明】
【０４２４】
Ｃ  カバーガラス
Ｉ  撮像面（像面）
Ｇ１  第１レンズ群
Ｇ２  第２レンズ群
Ｌ１〜Ｌ１９  レンズ
Ｓ  絞り（開口絞り）
１、１０、２０、３０、４０  顕微鏡（光学機器）
２、２１、３８、４１  本体
３、２２、４２  ステージ
４  撮像部
５、１２、４５  照明ユニット
５ａ  照明素子
６、２４、３９、４４  照準ノブ
７、１１、２３、３５、４３  光学系
８  撮像素子
７ａ、１１ａ、２３ａ、３５ａ、４３ａ  第１レンズ群
７ｂ、１１ｂ、２３ｂ、３５ｂ、４３ｂ  第２レンズ群
１３、４６  光源部
１４  ライトガイドファイバ
１５  入射端
１６  出射端
２５  透過照明光源
２６  反射ミラー
２７  コンデンサレンズ
３１  プローブ部
３２  コントロールボックス
３３  ライトガイドファイバ
３４  ケーブル
３６  照明用導光体
３７  光源
３８  架台
４７  接続部
４８  ビームスプリッタ
４９  第１の光路
５０  第２の光路
【図１】
2015072245.tif 000003
【図２】
2015072245.tif 000004
【図３】
2015072245.tif 000005
【図４】
2015072245.tif 000006
【図５】
2015072245.tif 000007
【図６】
2015072245.tif 000008
【図７】
2015072245.tif 000009
【図８】
2015072245.tif 000010
【図９】
2015072245.tif 000011
【図１０】
2015072245.tif 000012
【図１１】
2015072245.tif 000013
【図１２】
2015072245.tif 000014
【図１３】
2015072245.tif 000015
【図１４】
2015072245.tif 000016
【図１５】
2015072245.tif 000017
【図１６】
2015072245.tif 000018
【図１７】
2015072245.tif 000019
【図１８】
2015072245.tif 000020
【図１９】
2015072245.tif 000021
【図２０】
2015072245.tif 000022
【図２１】
2015072245.tif 000023
【図２２】
2015072245.tif 000024
【図２３】
2015072245.tif 000025
【図２４】
2015072245.tif 000026
【図２５】
2015072245.tif 000027
【図２６】
2015072245.tif 000028
【図２７】
2015072245.tif 000029
【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
撮像素子と、光学系と、を有する撮像装置であって、
前記撮像素子は、光強度を電気信号に変換する画素を複数有し、前記複数の画素は２次元に配列され、
前記光学系によって、前記撮像素子上に光学像が形成され、
前記光学系は、物体側から順に、
複数のレンズからなる第１レンズ群と、
絞りと、
複数のレンズからなる第２レンズ群と、からなり、
前記第１レンズ群は、最も物体側に配置された第１物体側レンズを有し、
前記第１レンズ群は、最も像側に配置された第１像側レンズを有し、
前記第２レンズ群は、最も像側に配置された第２像側レンズを有し、
前記第２レンズ群は、最も物体側に配置された第２物体側レンズを有し、
以下の条件式（１）、（２）、（３）、（４）、（５）、（６）を満足することを特徴とする撮像装置。
３２５０＜２Ｙ／ｐ      （１）
−１．０＜β      （２）
ＣＲＡobj＜１０ｄｅｇ      （３）
２．０＜ＬL／√（Ｙ×Ｙobj）＜１５．０      （４）
０．５＜ＬTL／Ｄoi＜０．９５      （５）
ＤG1G2／φs＜２．０      （６）
ここで、
Ｙは、前記光学系全系における最大像高、
ｐは、前記撮像素子における画素ピッチ、
βは、前記光学系の結像倍率、
ＣＲＡobjは、前記第１物体側レンズに入射する主光線と光軸とのなす角度のうち、最大となる角度、
ＬLは、前記第１物体側レンズの物体側面から前記第２像側レンズの像側面までの光軸上の距離、
Ｙobjは、最大物体高、
ＬTLは、前記第１物体側レンズの物体側面から像までの光軸上の距離、
Ｄoiは、物体から像までの光軸上の距離、
ＤG1G2は、前記第１像側レンズの像側面から前記第２物体側レンズの物体側面までの光軸上の距離、
φsは、前記絞りの直径、
である。
角度の正負は、光軸から時計回りの方向に測った場合の角度を負、反時計回りの方向に測ったときの角度を正とする。
【請求項２】
以下の条件式（７）を満足することを特徴とする請求項１に記載の撮像装置。
０．０３＜Ｄmax／ＬL＜０．５      （７）
ここで、
Ｄmaxは、前記光学系における隣り合うレンズの光軸上の間隔のうち、最大となる間隔、
ＬLは、前記第１物体側レンズの物体側面から前記第２像側レンズの像側面までの光軸上の距離、
である。
【請求項３】
以下の条件式（８）を満足することを特徴とする請求項１に記載の撮像装置。
０．１＜ＤG2max／Ｙ＜１．５      （８）
ここで、
ＤG2maxは、前記第２レンズ群における隣り合うレンズの光軸上の間隔のうち、最大となる間隔、
Ｙは、前記光学系全系における最大像高、
である。
【請求項４】
以下の条件式（９）を満足することを特徴とする請求項１に記載の撮像装置。
−１．５＜ｆ／ｆG2＜１０．０      （９）
ここで、
ｆは、前記光学系全系の焦点距離、
ｆG2は、前記第２レンズ群の焦点距離、
である。
【請求項５】
前記第１レンズ群は、最も物体側に配置された物体側レンズ群を含み、
前記物体側レンズ群は全体として正の屈折力を有すると共に、以下の条件式（１０）を満足するレンズにより構成され、
以下の条件式（１１）を満足することを特徴とする請求項１に記載の撮像装置。
０．６＜φG1o×｜β｜／Ｙ      （１０）
０．０＜βG1o      （１１）
ここで、
φG1oは、前記物体側レンズ群を構成する全てのレンズにおける有効径、
βは、前記光学系の結像倍率、
Ｙは、前記光学系全系における最大像高、
βG1oは、前記物体側レンズ群の結像倍率、
である。
【請求項６】
以下の条件式（１４）を満足することを特徴とする請求項１に記載の撮像装置。
−０．５０＜（ＷＤ×ｔａｎ（ｓｉｎ-1ＮＡ）−φs／２）／ＬG1s＜０．１０      （１４）
ここで、
ＷＤは、物体から前記第１物体側レンズの物体側面までの光軸上の距離、
ＮＡは、前記光学系の物体側の開口数、
φsは、前記絞りの直径、
ＬG1sは、前記第１物体側レンズの物体側面から前記絞りまでの光軸上の距離、
である。
【請求項７】
以下の条件式（１５）を満足することを特徴とする請求項１に記載の撮像装置。
０．６０＜φs／（２×ＷＤ×ｔａｎ（ｓｉｎ-1ＮＡ））＜１２．０      （１５）
ここで、
φsは、前記絞りの直径、
ＷＤは、物体から前記第１物体側レンズの物体側面までの光軸上の距離、
ＮＡは、前記光学系の物体側の開口数、
である。
【請求項８】
以下の条件式（１６）を満足することを特徴とする請求項１に記載の撮像装置。
０．０３＜（Ｙobj−ＷＤ×ｔａｎＣＲＡobj）／ＬG1s＜１．０      （１６）
ここで、
Ｙobjは、最大物体高、
ＷＤは、物体から前記第１物体側レンズの物体側面までの光軸上の距離、
ＣＲＡobjは、前記第１物体側レンズに入射する主光線と光軸とのなす角度のうち、最大となる角度、
ＬG1sは、前記第１物体側レンズの物体側面から前記絞りまでの光軸上の距離、
である。
角度の正負は、光軸から時計回りの方向に測った場合の角度を負、反時計回りの方向に測ったときの角度を正とする。
【請求項９】
前記第１レンズ群は、最も物体側に配置された物体側レンズ群を含み、
前記物体側レンズ群は全体として正の屈折力を有し、
前記物体側レンズ群は、少なくとも２枚の正レンズを有することを特徴とする請求項８に記載の撮像装置。
【請求項１０】
前記第１レンズ群は、最も像側に配置された像側レンズ群を含み、
前記像側レンズ群は、１枚以上の正レンズと、１枚以上の負レンズと、を有することを特徴とする請求項８に記載の撮像装置。
【請求項１１】
前記第１レンズ群は、最も像側に配置された像側レンズ群を含み、
以下の条件式（１７）を満足することを特徴とする請求項８に記載の撮像装置。
−１．５＜ｆG1pn／ｆG1＜０．５      （１７）
ここで、
ｆG1pnは、前記像側レンズ群の焦点距離、
ｆG1は、前記第１レンズ群の焦点距離、
である。
【請求項１２】
以下の条件式（１８）を満足することを特徴とする請求項１に記載の撮像装置。
０．４０＜Ｄos／Ｄoi＜０．９０      （１８）
ここで、
Ｄosは、物体から前記絞りまでの光軸上の距離、
Ｄoiは、物体から像までの光軸上の距離、
である。
【請求項１３】
以下の条件式（１９）を満足することを特徴とする請求項１に記載の撮像装置。
０．００５＜ＢＦ／ＬL＜０．４      （１９）
ここで、
ＢＦは、前記第２像側レンズの像側面から像までの光軸上の距離、
ＬLは、前記第１物体側レンズの物体側面から前記第２像側レンズの像側面までの光軸上の距離、
である。
【請求項１４】
以下の条件式（２０）を満足することを特徴とする請求項１に記載の撮像装置。
０．５＜Ｄos／ＬG1＜４．０      （２０）
ここで、
Ｄosは、物体から前記絞りまでの光軸上の距離、
ＬG1は、前記第１物体側レンズの物体側面から前記第１像側レンズの像側面までの光軸上の距離、
である。
【請求項１５】
撮像素子と、光学系と、を有する撮像装置であって、
前記撮像素子は、光強度を電気信号に変換する画素を複数有し、前記複数の画素は２次元に配列され、
前記光学系によって、前記撮像素子上に光学像が形成され、
前記光学系は、物体側から順に、
複数のレンズからなる第１レンズ群と、
絞りと、
複数のレンズからなる第２レンズ群と、を有し、
前記第１レンズ群は、最も物体側に配置された第１物体側レンズを有し、
前記第１レンズ群は、最も像側に配置された第１像側レンズを有し、
前記第２レンズ群は、最も像側に配置された第２像側レンズを有し、
前記第２レンズ群は、最も物体側に配置された第２物体側レンズを有し、
前記第１レンズ群は、最も物体側に配置され全体として正の屈折力を有する物体側レンズ群を含み、
前記物体側レンズ群は、以下の条件式（１０）を満足するレンズにより構成され、
以下の条件式（１）、（２）、（４）、（１１）、（６）を満足することを特徴とする撮像装置。
３２５０＜２Ｙ／ｐ      （１）
−１．０＜β      （２）
２．０＜ＬL／√（Ｙ×Ｙobj）＜１５．０      （４）
０．６＜φG1o×｜β｜／Ｙ      （１０）
０．０＜βG1o      （１１）
ＤG1G2／φs＜２．０      （６）
ここで、
Ｙは、前記光学系全系における最大像高、
ｐは、前記撮像素子における画素ピッチ、
βは、前記光学系の結像倍率、
ＬLは、前記第１物体側レンズの物体側面から前記第２像側レンズの像側面までの光軸上の距離、
Ｙobjは、最大物体高、
φG1oは、前記物体側レンズ群を構成する全てのレンズにおける有効径、
βG1oは、前記物体側レンズ群の結像倍率、
ＤG1G2は、前記第１像側レンズの像側面から前記第２物体側レンズの物体側面までの光軸上の距離、
φsは、前記絞りの直径、
である。
【請求項１６】
以下の条件式（２１）を満足することを特徴とする請求項１又は１５に記載の撮像装置。
０．０１５＜１／νｄmin−１／νｄmax      （２１）
ここで、
νｄminは、前記光学系を構成するレンズのアッベ数のうち、最小となるアッベ数、
νｄmaxは、前記光学系を構成するレンズのアッベ数のうち、最大となるアッベ数、
である。
【請求項１７】
以下の条件式（２２）を満足することを特徴とする請求項１又は１５に記載の撮像装置。
３．０＜ＣＲＡimg／ＣＲＡobj＜５０．０      （２２）
ここで、
ＣＲＡimgは、像面に入射する主光線と光軸とのなす角度うち、最大となる角度、
ＣＲＡobjは、前記第１物体側レンズに入射する主光線と光軸とのなす角度のうち、最大となる角度、
である。
角度の正負は、光軸から時計回りの方向に測った場合の角度を負、反時計回りの方向に測ったときの角度を正とする。
【請求項１８】
前記第１レンズ群は、最も像側に配置された第１像側レンズを有し、
前記第２レンズ群は、最も物体側に配置された第２物体側レンズを有し、
以下の条件式（２３）を満足することを特徴とする請求項１又は１５に記載の撮像装置。
０．６５＜ＬG1／ＬG2＜５．００      （２３）
ここで、
ＬG1は、前記第１物体側レンズの物体側面から前記第１像側レンズの像側面までの光軸上の距離、
ＬG2は、前記第２物体側レンズの物体側面から前記第２像側レンズの像側面までの光軸上の距離、
である。
【請求項１９】
前記光学系の光路中に光路分割素子が配置され、
前記光路分割素子によって、第１の光路と第２の光路とが形成され、
前記第１の光路に、前記光学系の一部が配置され、
前記分割された第２の光路側に、物体を照射する照明光学系を接続する接続部を有することを特徴とする請求項１又は１５に記載の撮像装置。
【請求項２０】
前記光学系の光路中に光路分割素子が配置され、
前記光路分割素子が前記第２レンズ群内に配置されることを特徴とする請求項１又は１５に記載の撮像装置。
【請求項２１】
以下の条件式（２４）を満足することを特徴とする請求項２０に記載の撮像装置。
０．１＜ＤsBS／ＤBSi＜０．９５      （２４）
ここで、
ＤsBSは、前記絞りから前記光路分割素子までの光軸上の距離、
ＤBSiは、前記光路分割素子から前記撮像素子の撮像面までの光軸上の距離、
である。
【請求項２２】
前記絞りと前記光路分割素子との間に、少なくとも１枚の正レンズが配置されることを特徴とする請求項２０に記載の撮像装置。
【請求項２３】
以下の条件式（３）を満足することを特徴とする請求項１５に記載の撮像装置。
ＣＲＡobj＜１０ｄｅｇ      （３）
ここで、
ＣＲＡobjは、前記第１物体側レンズに入射する主光線と光軸とのなす角度のうち、最大となる角度、
である。
角度の正負は、光軸から時計回りの方向に測った場合の角度を負、反時計回りの方向に測ったときの角度を正とする。
【請求項２４】
撮像素子と、光学系と、を有する撮像装置であって、
前記撮像素子は、光強度を電気信号に変換する画素を複数有し、前記複数の画素は２次元に配列され、
前記光学系によって、前記撮像素子上に光学像が形成され、
前記光学系は、物体側から順に、
複数のレンズからなる第１レンズ群と、
絞りと、
複数のレンズからなる第２レンズ群と、からなり、
前記第１レンズ群は、最も物体側に配置された第１物体側レンズを有し、
前記第２レンズ群は、最も像側に配置された第２像側レンズを有し、
前記光学系の光路中に光路分割素子が配置され、
前記光路分割素子が前記第２レンズ群内に配置され、
以下の条件式（１）、（２）、（３）、（４）、（５）を満足することを特徴とする撮像装置。
３２５０＜２Ｙ／ｐ      （１）
−１．０＜β      （２）
ＣＲＡobj＜１０ｄｅｇ      （３）
２．０＜ＬL／√（Ｙ×Ｙobj）＜１５．０      （４）
０．５＜ＬTL／Ｄoi＜０．９５      （５）
ここで、
Ｙは、前記光学系全系における最大像高、
ｐは、前記撮像素子における画素ピッチ、
βは、前記光学系の結像倍率、
ＣＲＡobjは、前記第１物体側レンズに入射する主光線と光軸とのなす角度のうち、最大となる角度、
ＬLは、前記第１物体側レンズの物体側面から前記第２像側レンズの像側面までの光軸上の距離、
Ｙobjは、最大物体高、
ＬTLは、前記第１物体側レンズの物体側面から像までの光軸上の距離、
Ｄoiは、物体から像までの光軸上の距離、
である。
角度の正負は、光軸から時計回りの方向に測った場合の角度を負、反時計回りの方向に測ったときの角度を正とする。
【請求項２５】
撮像素子と、光学系と、を有する撮像装置であって、
前記撮像素子は、光強度を電気信号に変換する画素を複数有し、前記複数の画素は２次元に配列され、
前記光学系によって、前記撮像素子上に光学像が形成され、
前記光学系は、物体側から順に、
複数のレンズからなる第１レンズ群と、
絞りと、
複数のレンズからなる第２レンズ群と、を有し、
前記第１レンズ群は、最も物体側に配置された第１物体側レンズを有し、
前記第２レンズ群は、最も像側に配置された第２像側レンズを有し、
前記第１レンズ群は、最も物体側に配置され全体として正の屈折力を有する物体側レンズ群を含み、
前記光学系の光路中に光路分割素子が配置され、
前記光路分割素子が前記第２レンズ群内に配置され、
前記物体側レンズ群は、以下の条件式（１０）を満足するレンズにより構成され、
以下の条件式（１）、（２）、（４）、（１１）を満足することを特徴とする撮像装置。
３２５０＜２Ｙ／ｐ      （１）
−１．０＜β      （２）
２．０＜ＬL／√（Ｙ×Ｙobj）＜１５．０      （４）
０．６＜φG1o×｜β｜／Ｙ      （１０）
０．０＜βG1o      （１１）
ここで、
Ｙは、前記光学系全系における最大像高、
ｐは、前記撮像素子における画素ピッチ、
βは、前記光学系の結像倍率、
ＬLは、前記第１物体側レンズの物体側面から前記第２像側レンズの像側面までの光軸上の距離、
Ｙobjは、最大物体高、
φG1oは、前記物体側レンズ群を構成する全てのレンズにおける有効径、
βG1oは、前記物体側レンズ群の結像倍率、
である。
【請求項２６】
以下の条件式（２４）を満足することを特徴とする請求項２４または２５に記載の撮像装置。
０．１＜ＤsBS／ＤBSi＜０．９５      （２４）
ここで、
ＤsBSは、前記絞りから前記光路分割素子までの光軸上の距離、
ＤBSiは、前記光路分割素子から前記撮像素子の撮像面までの光軸上の距離、
である。
【請求項２７】
前記絞りと前記光路分割素子との間に、少なくとも１枚の正レンズが配置されることを特徴とする請求項２４または２５に記載の撮像装置。
【請求項２８】
請求項１から２７のいずれか一項に記載の撮像装置と、
物体を保持するステージと、
物体を照明する照明装置と、を有することを特徴とする撮像システム。
【手続補正２】
【補正対象書類名】明細書
【補正対象項目名】０００８
【補正方法】変更
【補正の内容】
【０００８】
上述した課題を解決し、目的を達成するために、本発明の撮像装置は、
撮像素子と、光学系と、を有する撮像装置であって、
撮像素子は、光強度を電気信号に変換する画素を複数有し、複数の画素は２次元に配列され、
光学系によって、撮像素子上に光学像が形成され、
光学系は、物体側から順に、
複数のレンズからなる第１レンズ群と、
絞りと、
複数のレンズからなる第２レンズ群と、からなり、
第１レンズ群は、最も物体側に配置された第１物体側レンズを有し、
第１レンズ群は、最も像側に配置された第１像側レンズを有し、
第２レンズ群は、最も像側に配置された第２像側レンズを有し、
第２レンズ群は、最も物体側に配置された第２物体側レンズを有し、
以下の条件式（１）、（２）、（３）、（４）、（５）、（６）を満足することを特徴とする。
３２５０＜２Ｙ／ｐ      （１）
−１．０＜β      （２）
ＣＲＡobj＜１０ｄｅｇ      （３）
２．０＜ＬL／√（Ｙ×Ｙobj）＜１５．０      （４）
０．５＜ＬTL／Ｄoi＜０．９５      （５）
ＤG1G2／φs＜２．０      （６）
ここで、
Ｙは、光学系全系における最大像高、
ｐは、撮像素子における画素ピッチ、
βは、光学系の結像倍率、
ＣＲＡobjは、第１物体側レンズに入射する主光線と光軸とのなす角度のうち、最大となる角度、
ＬLは、第１物体側レンズの物体側面から第２像側レンズの像側面までの光軸上の距離、
Ｙobjは、最大物体高、
ＬTLは、第１物体側レンズの物体側面から像までの光軸上の距離、
Ｄoiは、物体から像までの光軸上の距離、
ＤG1G2は、第１像側レンズの像側面から第２物体側レンズの物体側面までの光軸上の距離、
φsは、絞りの直径、
である。
角度の正負は、光軸から時計回りの方向に測った場合の角度を負、反時計回りの方向に測ったときの角度を正とする。
【手続補正３】
【補正対象書類名】明細書
【補正対象項目名】０００９
【補正方法】変更
【補正の内容】
【０００９】
また、本発明の別の撮像装置は、
撮像素子と、光学系と、を有する撮像装置であって、
撮像素子は、光強度を電気信号に変換する画素を複数有し、複数の画素は２次元に配列され、
光学系によって、撮像素子上に光学像が形成され、
光学系は、物体側から順に、
複数のレンズからなる第１レンズ群と、
絞りと、
複数のレンズからなる第２レンズ群と、を有し、
第１レンズ群は、最も物体側に配置された第１物体側レンズを有し、
第１レンズ群は、最も像側に配置された第１像側レンズを有し、
第２レンズ群は、最も像側に配置された第２像側レンズを有し、
第２レンズ群は、最も物体側に配置された第２物体側レンズを有し、
第１レンズ群は、最も物体側に配置され全体として正の屈折力を有する物体側レンズ群を含み、
物体側レンズ群は、以下の条件式（１０）を満足するレンズにより構成され、
以下の条件式（１）、（２）、（４）、（１１）、（６）を満足することを特徴とする。
３２５０＜２Ｙ／ｐ      （１）
−１．０＜β      （２）
２．０＜ＬL／√（Ｙ×Ｙobj）＜１５．０      （４）
０．６＜φG1o×｜β｜／Ｙ      （１０）
０．０＜βG1o      （１１）
ＤG1G2／φs＜２．０      （６）
ここで、
Ｙは、光学系全系における最大像高、
ｐは、撮像素子における画素ピッチ、
βは、光学系の結像倍率、
ＬLは、第１物体側レンズの物体側面から第２像側レンズの像側面までの光軸上の距離、
Ｙobjは、最大物体高、
φG1oは、物体側レンズ群を構成する全てのレンズにおける有効径、
βG1oは、物体側レンズ群の結像倍率、
ＤG1G2は、第１像側レンズの像側面から第２物体側レンズの物体側面までの光軸上の距離、
φsは、絞りの直径、
である。
【国際調査報告】
2015072245.tif 000030
2015072245.tif 000031
2015072245.tif 000032
2015072245.tif 000033